(57)【要約】本出願の実施形態は、メッセージ送信方法および装置を提供する。この方法は、分散されたノードＤＵによって、中央ノードＣＵにより送信された無線リソース制御ＲＲＣメッセージおよびインジケーション情報を受信するステップと、ＤＵによって、インジケーション情報に基づいてＲＲＣメッセージを送信するステップとを含む。本出願の実施形態による無線リソース制御ＲＲＣメッセージ送信方法および装置を使用することによって、ＣＵは、ＲＲＣ制御シグナリングをＤＵに正しく伝送することができる。
2019533355.tif 000002
【特許請求の範囲】
【請求項１】
分散されたノードＤＵによって、中央ノードＣＵから第１のメッセージおよびインジケーション情報を受信するステップであって、前記インジケーション情報は、前記第１のメッセージに対応するシグナリング無線ベアラＳＲＢ識別子および端末識別子を含む、ステップと、
前記ＤＵによって、前記ＳＲＢ識別子および前記端末識別子に基づいて、前記第１のメッセージを送信するステップと
を含むメッセージ送信方法。
【請求項２】
前記ＳＲＢ識別子は、ＳＲＢ０、ＳＲＢ１、ＳＲＢ２、またはＳＲＢ３である請求項１に記載の方法。
【請求項３】
分散されたノードＤＵによって、中央ノードＣＵから第１のメッセージおよびインジケーション情報を受信する前記ステップは、
前記ＤＵによって、ＣＵ−ＤＵ制御プレーンプロトコルに従って、前記ＣＵから前記第１のメッセージおよび前記インジケーション情報を受信するステップである請求項１または２に記載の方法。
【請求項４】
前記第１のメッセージは、無線リソース制御ＲＲＣメッセージである請求項１乃至３のいずれか一項に記載の方法。
【請求項５】
中央ノードＣＵによって、第１のメッセージに関連付けられたインジケーション情報を取得するステップであって、前記インジケーション情報は、前記第１のメッセージを送信するために使用され、前記インジケーション情報は、前記第１のメッセージに対応するシグナリング無線ベアラＳＲＢ識別子および端末識別子を含む、ステップと、
前記ＣＵによって、前記第１のメッセージおよび前記インジケーション情報を、分散されたノードＤＵに送信するステップと
を含むメッセージ送信方法。
【請求項６】
前記ＳＲＢ識別子は、ＳＲＢ０、ＳＲＢ１、ＳＲＢ２、またはＳＲＢ３である請求項５に記載の方法。
【請求項７】
前記ＣＵによって、前記第１のメッセージおよび前記インジケーション情報を、分散されたノードＤＵに送信する前記ステップは、
前記ＣＵによって、ＣＵ−ＤＵ制御プレーンプロトコルに従って、前記第１のメッセージおよび前記インジケーション情報を前記ＤＵに送信するステップを含む請求項５または６に記載の方法。
【請求項８】
前記第１のメッセージは、無線リソース制御ＲＲＣメッセージである請求項５乃至７のいずれか一項に記載の方法。
【請求項９】
プロセッサと、通信回路と、トランシーバとを備えるノードであって、前記プロセッサは、
前記通信回路を使用することによって、中央ノードＣＵから第１のメッセージおよびインジケーション情報を受信し、前記インジケーション情報は、前記第１のメッセージのシグナリング無線ベアラＳＲＢ識別子および端末識別子を含み、
前記ＳＲＢ識別子および前記端末識別子に基づいて、前記第１のメッセージを送信するように構成される、ノード。
【請求項１０】
前記ＳＲＢ識別子は、ＳＲＢ０、ＳＲＢ１、ＳＲＢ２、またはＳＲＢ３である請求項９に記載のノード。
【請求項１１】
前記プロセッサは、
前記通信回路を使用することによって、ＣＵ−ＤＵ制御プレーンプロトコルに従って、前記ＣＵから前記第１のメッセージおよび前記インジケーション情報を受信するように構成される請求項９または１０に記載のノード。
【請求項１２】
前記第１のメッセージは、無線リソース制御ＲＲＣメッセージである請求項９乃至１１のいずれか一項に記載のノード。
【請求項１３】
プロセッサと、通信回路とを備えるノードであって、
前記プロセッサは、
第１のメッセージに関連付けられたインジケーション情報を取得し、前記インジケーション情報は、前記第１のメッセージを送信するために使用され、前記インジケーション情報は、前記第１のメッセージに対応するシグナリング無線ベアラＳＲＢ識別子および端末識別子を含み、
前記通信回路を使用することによって、前記第１のメッセージおよび前記インジケーション情報を、分散されたノードＤＵに送信するように構成される、ノード。
【請求項１４】
前記ＳＲＢ識別子は、ＳＲＢ０、ＳＲＢ１、ＳＲＢ２、またはＳＲＢ３である請求項１３に記載のノード。
【請求項１５】
前記プロセッサは、前記通信回路を使用することによって、ＣＵ−ＤＵ制御プレーンプロトコルに従って、前記第１のメッセージおよび前記インジケーション情報を前記ＤＵに送信するように構成される請求項１３または１４に記載のノード。
【請求項１６】
前記第１のメッセージは、無線リソース制御ＲＲＣメッセージである請求項１３乃至１５のいずれか一項に記載のノード。
【発明の詳細な説明】
【技術分野】
【０００１】
本出願の実施形態は、コンピュータ技術に関し、特にメッセージ送信方法および装置に関する。
【背景技術】
【０００２】
本出願は、２０１６年９月２３日に中国特許庁に出願された「ＭＥＴＨＯＤ  ＡＮＤ  ＡＰＰＡＲＡＴＵＳ  ＦＯＲ  ＲＡＤＩＯ  ＲＥＳＯＵＲＣＥ  ＣＯＮＴＲＯＬ  ＲＲＣ  ＭＥＳＳＡＧＥ  ＳＥＮＤＩＮＧ」という名称の中国特許出願第２０１６１０８４９０００．８号、および２０１７年３月２４日に中国特許庁に出願された「ＭＥＴＨＯＤ  ＡＮＤ  ＡＰＰＡＲＡＴＵＳ  ＦＯＲ  ＭＥＳＳＡＧＥ  ＳＥＮＤＩＮＧ」という名称の中国特許出願第２０１７１０１８２０５４．８号の優先権を主張するものであり、それらは、参照によりそれら全体が本明細書に組み込まれている。
【０００３】
クラウド無線アクセスネットワーク（Ｃｌｏｕｄ  Ｒａｄｉｏ  Ａｃｃｅｓｓ  Ｎｅｔｗｏｒｋ、略してＣＲＡＮ）は、より少数のビルディングベースバンドユニット（Ｂｕｉｌｄｉｎｇ  Ｂａｓｅｂａｎｄ  Ｕｎｉｔ、略してＢＢＵ）、ＢＢＵリソースプールの共有利得、異なる事業者間での宅内アクセスネットワーク（Ｒｅｓｉｄｅｎｔｉａｌ  Ａｃｃｅｓｓ  Ｎｅｔｗｏｒｋ、略してＲＡＮ）の共有のより良いサポート、および省電力などの利点を有する。したがって、第５世代モバイル通信技術（ｔｈｅ  ５ｔｈ  Ｇｅｎｅｒａｔｉｏｎ  ｍｏｂｉｌｅ  ｃｏｍｍｕｎｉｃａｔｉｏｎｓ  ｔｅｃｈｎｏｌｏｇｙ、略して５Ｇ）のＣＲＡＮに対して徹底的な研究が行われている。
【０００４】
ＣＲＡＮは、中央ノード（Ｃｅｎｔｒａｌ  Ｕｎｉｔ、略してＣＵ）および分散されたノード（Ｄｉｓｔｒｉｂｕｔｅｄ  Ｕｎｉｔ、略してＤＵ）を含む。１つのＣＵは、１つまたは複数のＤＵに接続され得る。図１は、プロトコル層において分割されたＣＵ−ＤＵの概略図である。図１に示されるように、現在の第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）標準は、ＣＲＡＮアーキテクチャにおいて図１に示される異なるＣＵ−ＤＵ機能で分割された解決策を提案している。現在のプロトコルスタックに基づいて、ＣＵおよびＤＵは、オプション（Ｏｐｔｉｏｎ）１、２、４、６、および８において、無線リソース制御（Ｒａｄｉｏ  Ｒｅｓｏｕｒｃｅ  Ｃｏｎｔｒｏｌ、略してＲＲＣ）層、パケットデータ収束プロトコル（Ｐａｃｋｅｔ  Ｄａｔａ  Ｃｏｎｖｅｒｇｅｎｃｅ  Ｐｒｏｔｏｃｏｌ、略してＰＤＣＰ）層、無線リンク制御（Ｒａｄｉｏ  Ｌｉｎｋ  Ｃｏｎｔｒｏｌ、略してＲＬＣ）層、メディアアクセス制御（Ｍｅｄｉａ  Ａｃｃｅｓｓ  Ｃｏｎｔｒｏｌ、略してＭＡＣ）層、および物理層（Ｐｈｙｓｉｃａｌ  Ｌａｙｅｒ、略してＰＨＹ）層で分割される。オプション（Ｏｐｔｉｏｎ）３、５、および７における分割解決策において、ＲＬＣ部分およびＲＬＣ層よりも高い層の機能、ＭＡＣ部分およびＭＡＣ層よりも高い層の機能、およびＰＨＹ層部分およびＰＨＹ層よりも高い層の機能は、ＣＵに割り振られる。
【０００５】
前述の分割方式では、ＲＲＣ層における機能はＣＵに配置される。ＲＲＣメッセージをどのように送信するかは、現在緊急に解決される必要がある技術的問題となっている。
【先行技術文献】
【非特許文献】
【０００６】
【非特許文献１】３ＧＰＰ  ｓｔａｎｄａｒｄ  ＴＳ  ３６．３００  ｖ１３．１．０，  Ｓｅｃｔｉｏｎｓ  ５  ａｎｄ  ６
【発明の概要】
【発明が解決しようとする課題】
【０００７】
本出願の実施形態は、ＲＲＣメッセージを送信するためのメッセージ送信方法および装置を提供する。加えて、本出願の解決策は、代替として、別の層におけるメッセージに適用され得る。
【課題を解決するための手段】
【０００８】
第１の態様によれば、本出願の実施形態は、
分散されたノード（ＤＵ）によって、中央ノード（ＣＵ）から第１のメッセージおよびインジケーション情報を受信するステップと、
ＤＵによって、インジケーション情報に基づいて第１のメッセージを送信するステップと
を含むメッセージ送信方法を提供する。
【０００９】
任意選択で、インジケーション情報は、第１のメッセージの第１のメッセージタイプを含む。第１のメッセージタイプは、マスタ情報ブロックメッセージ（master information block message）、システム情報ブロックタイプ１メッセージ（system information block type 1 message）、ページングメッセージ（paging message）、最小システム情報メッセージ（minimum system information message）、システム情報メッセージ（system information message）、または他システム情報メッセージ（other-system-information message）である。第１のメッセージタイプは、第１のスケジューリング情報に関連付けられる。ＤＵによって、インジケーション情報に基づいて第１のメッセージを送信するステップは、ＤＵによって、第１のメッセージタイプおよび第１のスケジューリング情報に基づいて、第１のメッセージを送信するステップである。任意選択で、第１のスケジューリング情報は、ＣＵによってＤＵに送信されてよく、または通信標準で規定されてよい。
【００１０】
任意選択で、インジケーション情報は、第１のメッセージの第１のスケジューリング情報、および第１のメッセージの第１のメッセージタイプを含む。第１のメッセージタイプは、システム情報メッセージまたは他システム情報メッセージである。ＤＵによって、インジケーション情報に基づいて第１のメッセージを送信するステップは、ＤＵによって、第１のメッセージタイプおよび第１のスケジューリング情報に基づいて、第１のメッセージを送信するステップである。この方法は、ＤＵによって、ＣＵから、第２のメッセージ、および第２のメッセージの第２のメッセージタイプを受信するステップであって、第２のメッセージタイプは、システム情報ブロックタイプ１メッセージまたは最小システム情報メッセージであり、第２のメッセージは、第１のスケジューリング情報を含む、ステップと、ＤＵによって、第２のメッセージタイプ、および第２のメッセージタイプに関連付けられた第２のスケジューリング情報に基づいて、第２のメッセージを送信するステップと
をさらに含む。
【００１１】
任意選択で、この方法は、ＤＵによって、１つまたは複数の端末から第１の要求メッセージを受信するステップであって、第１の要求メッセージは、第１のメッセージタイプを含む、ステップと、ＤＵによって、第２の要求メッセージをＣＵに送信するステップであって、第２の要求メッセージは、第１のメッセージタイプを含む、ステップとをさらに含む。
【００１２】
任意選択で、第１の要求メッセージの量は閾値条件を満たす。
【００１３】
任意選択で、この方法は、ＤＵによって、ＣＵから閾値条件を受信するステップをさらに含む。
【００１４】
任意選択で、インジケーション情報は、セル識別子またはネットワーク標準をさらに含む。ＤＵによって、第１のメッセージタイプおよび第１のスケジューリング情報に基づいて、第１のメッセージを送信するステップは、ＤＵによって、第１のメッセージタイプおよび第１のスケジューリング情報に基づいて、セル識別子に対応するセルにおいて第１のメッセージを送信するステップ、または、ＤＵによって、第１のメッセージタイプおよび第１のスケジューリング情報に基づいて、およびネットワーク標準に対応するワイヤレス技術を使用することによって、第１のメッセージを送信するステップである。
【００１５】
任意選択で、第１のスケジューリング情報は、有効性情報、スケジューリング期間、またはスケジューリングウィンドウを含む。
【００１６】
任意選択で、インジケーション情報は、第１のメッセージの第１のメッセージタイプ、および端末識別子を含み、第１のメッセージタイプは、シグナリング無線ベアラ１メッセージ（signaling radio bearer 1 message）、シグナリング無線ベアラ２メッセージ（signaling radio bearer 2 message）、システム情報メッセージ、または他システム情報メッセージである。ＤＵによって、インジケーション情報に基づいて第１のメッセージを送信するステップは、ＤＵによって、第１のメッセージタイプおよび端末識別子に基づいて、第１のメッセージを送信するステップである。
【００１７】
任意選択で、この方法は、ＤＵによって、トンネルのセットアップ要求メッセージをＣＵに送信するステップであって、セットアップ要求メッセージは、第１のメッセージタイプの第１のメッセージ、および端末識別子を含む、ステップをさらに含み、インジケーション情報は、トンネルの識別子を含む。ＤＵによって、インジケーション情報に基づいて第１のメッセージを送信するステップは、ＤＵによって、第１のメッセージタイプおよび端末識別子に基づいて、第１のメッセージを送信するステップである。
【００１８】
任意選択で、この方法は、ＤＵによって、トンネルのセットアップ要求メッセージをＣＵに送信するステップであって、セットアップ要求メッセージは、端末識別子を含む、ステップをさらに含み、インジケーション情報は、トンネルの識別子、および第１のメッセージの第１のメッセージタイプを含む。ＤＵによって、インジケーション情報に基づいて第１のメッセージを送信するステップは、ＤＵによって、第１のメッセージタイプおよび端末識別子に基づいて、第１のメッセージを送信するステップである。
【００１９】
任意選択で、インジケーション情報は、セル識別子またはネットワーク標準をさらに含む。ＤＵによって、第１のメッセージタイプおよび端末識別子に基づいて、第１のメッセージを送信するステップは、ＤＵによって、第１のメッセージタイプおよび端末識別子に基づいて、セル識別子に対応するセルにおいて第１のメッセージを送信するステップ、または、ＤＵによって、第１のメッセージタイプおよび端末識別子に基づいて、およびネットワーク標準に対応するワイヤレス技術を使用することによって、第１のメッセージを送信するステップである。
【００２０】
第２の態様によれば、本出願の実施形態は、中央ノードＣＵによって、第１のメッセージに関連付けられたインジケーション情報を取得するステップであって、インジケーション情報は、第１のメッセージを送信するために使用される、ステップと、ＣＵによって、第１のメッセージおよびインジケーション情報を、分散されたノードＤＵに送信するステップとを含むメッセージ送信方法をさらに提供する。
【００２１】
任意選択で、インジケーション情報は、第１のメッセージの第１のメッセージタイプを含む。第１のメッセージタイプは、マスタ情報ブロックメッセージ、システム情報ブロックタイプ１メッセージ、ページングメッセージ、最小システム情報メッセージ、システム情報メッセージ、または他システム情報メッセージである。第１のメッセージタイプは、第１のメッセージの第１のスケジューリング情報に関連付けられる。
【００２２】
任意選択で、この方法は、ＣＵによって、第１のスケジューリング情報をＤＵに送信するステップをさらに含む。
【００２３】
任意選択で、インジケーション情報は、第１のメッセージの第１のスケジューリング情報、および第１のメッセージの第１のメッセージタイプを含む。第１のメッセージタイプは、システム情報メッセージまたは他システム情報メッセージである。この方法は、ＣＵによって、第２のメッセージ、および第２のメッセージの第２のメッセージタイプを、ＤＵに送信するステップであって、第２のメッセージタイプは、システム情報ブロックタイプ１メッセージまたは最小システム情報メッセージであり、第２のメッセージは、第１のスケジューリング情報を含む、ステップをさらに含む。
【００２４】
任意選択で、この方法は、ＣＵによって、ＤＵから第２の要求メッセージを受信するステップであって、第２の要求メッセージは、第１のメッセージタイプを含む、ステップをさらに含む。
【００２５】
任意選択で、この方法は、ＣＵによって、第２の要求メッセージに関連付けられた閾値条件をＤＵに送信するステップをさらに含む。
【００２６】
任意選択で、第１のスケジューリング情報は、有効性情報、スケジューリング情報、またはスケジューリングウィンドウを含む。
【００２７】
任意選択で、インジケーション情報は、第１のメッセージの第１のメッセージタイプ、および端末識別子を含み、第１のメッセージタイプは、シグナリング無線ベアラ１メッセージ、シグナリング無線ベアラ２メッセージ、システム情報メッセージ、または他システム情報メッセージである。
【００２８】
任意選択で、この方法は、ＣＵによって、ＤＵからトンネルのセットアップ要求メッセージを受信するステップであって、セットアップ要求メッセージは、第１のメッセージの第１のメッセージタイプ、および端末識別子を含む、ステップをさらに含み、インジケーション情報は、トンネルの識別子を含む。
【００２９】
任意選択で、この方法は、ＣＵによって、ＤＵからトンネルのセットアップ要求メッセージを受信するステップであって、セットアップ要求メッセージは、端末識別子を含む、ステップをさらに含み、インジケーション情報は、トンネルの識別子、および第１のメッセージの第１のメッセージタイプを含む。
【００３０】
任意選択で、インジケーション情報は、セル識別子またはネットワーク標準をさらに含む。
【００３１】
第３の態様によれば、本出願の実施形態はノードをさらに提供する。ノードは、たとえば、第１の態様のメッセージ送信方法を実装するように構成される。任意選択で、ノードはＤＵであり得る。
【００３２】
任意選択の設計において、ノードは、プロセッサ、トランシーバ、および通信回路を含む。プロセッサは、通信回路を使用することによって中央ノードＣＵから第１のメッセージおよびインジケーション情報を受信し、インジケーション情報に基づいて第１のメッセージを送信するように構成される。
【００３３】
別の任意選択の設計では、ノードは、プロセッサおよびメモリを含む。メモリは、第１の態様の方法を実装するためのプログラムを記憶するように構成される。プロセッサは、前述のプログラムを実行して第１の態様の方法を実装するように構成される。
【００３４】
どのようにノードが第１の態様の方法を実装するかについては、第１の態様の内容を参照されたい。
【００３５】
第４の態様によれば、本出願の実施形態は、さらに別のノードを提供する。ノードは、たとえば、第２の態様のメッセージ送信方法を実装するように構成される。任意選択で、ノードはＣＵであり得る。
【００３６】
任意選択の設計において、ノードは、プロセッサおよび通信回路を含む。プロセッサは、第１のメッセージに関連付けられたインジケーション情報を取得するように構成され、インジケーション情報は、第１のメッセージを送信するために使用される。プロセッサは、通信回路を使用することによって、第１のメッセージおよびインジケーション情報を、分散されたノードＤＵに送信する。
【００３７】
別の任意選択の設計では、ノードは、プロセッサおよびメモリを含む。メモリは、第２の態様の方法を実装するためのプログラムを記憶するように構成される。プロセッサは、前述のプログラムを実行して第２の態様の方法を実装するように構成される。
【００３８】
どのようにノードが第２の態様の方法を実装するかについては、第２の態様の内容を参照されたい。
【００３９】
第５の態様によれば、本出願の実施形態は、第３の態様のノードおよび第４の態様のノードを含む、通信システムをさらに提供する。
【００４０】
第６の態様によれば、本出願の実施形態は、コンピュータプログラム製品をさらに提供し、プログラム製品は、第１の態様の方法を実装するために使用されるプログラムを含む。
【００４１】
第７の態様によれば、本出願の実施形態は、コンピュータ可読記憶媒体をさらに提供し、媒体は、第６の態様におけるプログラムを記憶する。
【００４２】
第８の態様によれば、本出願の実施形態は、コンピュータプログラム製品をさらに提供し、プログラム製品は、第２の態様の方法を実装するために使用されるプログラムを含む。
【００４３】
第９の態様によれば、本出願の実施形態は、コンピュータ可読記憶媒体をさらに提供し、媒体は、第８の態様におけるプログラムを記憶する。
【００４４】
本出願で提供される他の実施形態が以下に説明される。
【００４５】
第１の態様によれば、本出願の実施形態は、
分散されたノードＤＵによって、中央ノードＣＵにより送信された無線リソース制御ＲＲＣメッセージおよびインジケーション情報を受信するステップと、
ＤＵによって、インジケーション情報に基づいてＲＲＣメッセージを送信するステップと
を含む無線リソース制御ＲＲＣメッセージ送信方法を提供する。
【００４６】
第１の態様において提供される無線リソース制御ＲＲＣメッセージ送信方法では、ＤＵは、ＣＵにより送信されたＲＲＣメッセージおよびインジケーション情報を受信し、インジケーション情報に基づいてＲＲＣメッセージを送信する。ＲＲＣメッセージおよびインジケーション情報を受信した後、ＤＵはインジケーション情報に基づいてＲＲＣメッセージを送信してよく、そうすることで、ＤＵはＲＲＣ制御シグナリングをＵＥに正しく送信することが可能である。
【００４７】
可能な設計において、インジケーション情報は、メッセージタイプを含み、メッセージタイプは、ＲＲＣメッセージのメッセージタイプを示すために使用され、
ＤＵによって、インジケーション情報に基づいてＲＲＣメッセージを送信するステップは、
ＤＵによって、メッセージタイプに基づいてＲＲＣメッセージをブロードキャストするステップを含む。
【００４８】
この態様では、ＤＵは、メッセージタイプに基づいて、ＲＲＣメッセージを送信する機会を知り、したがって、ＲＲＣメッセージを正しくブロードキャストすることができる。したがって、端末は、ＲＲＣメッセージを正しく受信することができる。
【００４９】
可能な設計において、インジケーション情報は、セル識別子をさらに含み得るので、インジケーション情報を受信した後、ＤＵは、セル識別子に対応するセルにおいてＲＲＣメッセージをブロードキャストし得る。この設計では、ＤＵは、複数のセルに対応し得る。
【００５０】
可能な設計において、インジケーション情報は、ネットワーク標準インジケーション情報をさらに含み、ネットワーク標準インジケーション情報は、ＲＲＣメッセージが送信される無線アクセスネットワークの標準タイプを示すために使用される。インジケーション情報を受信した後、ＤＵは、無線アクセスネットワークの標準タイプに基づいてＲＲＣメッセージをブロードキャストすることができる。この設計では、ＤＵは、ＣＤＭＡ技術、ＵＭＴＳ技術、ＬＴＥ技術、または５Ｇアクセス技術など種々のアクセス技術をサポートすることができる。
【００５１】
この可能な設計で提供された無線リソース制御ＲＲＣメッセージ送信方法では、ＣＵにより送信されたメッセージタイプを受信した後、ＤＵは、メッセージタイプに対応するスケジューリング期間に基づいて、セルレベルＲＲＣメッセージをＵＥにブロードキャストし、それにより、ＤＵがＣＵにより送信されたメッセージを識別できずに結果としてメッセージをどのように処理するかを認識しないという問題を解決し得るので、ＤＵは、ＲＲＣ制御シグナリングをＵＥに正しく伝送することができる。
【００５２】
可能な設計において、インジケーション情報は、シグナリング無線ベアラＳＲＢ識別子情報（signaling radio bearer SRB identifier information）、および端末デバイス識別子情報（terminal device identifier information）を含む。ＳＲＢ識別子情報は、ＳＲＢのタイプ情報として理解されてもまたよく、たとえば、ＳＲＢ０、ＳＲＢ１、ＳＲＢ２、およびＳＲＢ３である。ＳＲＢ識別子情報は、新しい５Ｇ標準におけるＳＲＢ１ＳまたはＳＲＢ２ＳなどのＳＲＢ識別子に拡張され得る。
【００５３】
ＤＵによって、インジケーション情報に基づいてＲＲＣメッセージを送信するステップは、
ＤＵによって、ＳＲＢ識別子情報および端末デバイス識別子情報に基づいて、ＲＲＣメッセージを対応する端末に送信するステップを含む。たとえば、ＤＵは、ＳＲＢ識別子情報および端末デバイス識別子情報に基づいて、対応するＰＤＣＰエンティティ／ＲＬＣエンティティを見つけ出して、ＲＲＣメッセージを処理し（言い換えれば、ＰＤＣＰ／ＲＬＣ層において対応する処理をＲＲＣメッセージに対して行い）、対応する論理チャネルを介してＲＲＣメッセージを端末デバイスに送信することができる。端末デバイス識別子情報は、ＣＵおよびＤＵ間にあり、インターフェース上でＵＥを識別するためにＣＵおよびＤＵによって使用されるインターフェースＵＥ識別子であってよいことは理解され得る。ＤＵは、インターフェースＵＥ識別子とＤＵ内のＣ−ＲＮＴＩなどのＵＥ識別子との間の関係を保持し、ＤＵは、端末デバイス識別子情報に基づいて対応するＵＥを見つけ出す。次いで、ＵＥに対応するＲＬＣエンティティが、ＳＲＢ識別子情報に基づいて見つけ出される。ＲＲＣメッセージは、処理のためにＲＬＣエンティティに送達され、次いで、処理のためにＭＡＣ／ＰＨＹ層内に送信される。ＲＲＣメッセージは、エアインターフェースを介して最終的に端末に送信される。また、ＣＵとＤＵの間のＰＤＣＰ−ＲＬＣ分割方式において、ＣＵは、ＲＲＣ層およびＰＤＣＰ層を含み、ＤＵは、ＲＬＣ層、ＭＡＣ層、およびＰＨＹ層を含む。ＤＵは、端末デバイス識別子情報およびＳＲＢ識別子情報に基づいて、処理のために対応するＵＥのＲＬＣエンティティを見つけ出す。ＰＤＣＰエンティティ（ＰＤＣＰ層での処理）、ＲＬＣエンティティ（ＲＬＣ層での処理）、論理チャネルを伝送チャネルにマッピングする方法、および伝送チャネルを物理チャネルにマッピングする方法などの内容については、たとえば、非特許文献１の関係付けられた内容を参照されたい。
【００５４】
この可能な設計で提供された方法では、ＣＵにより送信されたＳＲＢ識別子情報および端末デバイス識別子情報を受信した後、ＤＵは、ＳＲＢ識別子情報および端末デバイスに基づいて、対応する端末への送信のための対応する論理チャネルを見つけ出すことができる。
【００５５】
第２の態様によれば、本出願の実施形態は、
分散されたノードＤＵによってユーザプレーントンネルを介して、中央ノードＣＵにより送られた無線リソース制御ＲＲＣメッセージを受信するステップであって、ユーザプレーントンネルは、ＲＲＣメッセージのメッセージタイプおよび端末との対応関係を有する、ステップと、
ＤＵによって、ユーザプレーントンネルに対応する端末にＲＲＣメッセージを送信するステップと
を含む無線リソース制御ＲＲＣメッセージ送信方法を提供する。たとえば、ユーザプレーントンネルは、トンネルエンドポイント識別子ＴＥＩＤを有する。ＤＵは、ＴＥＩＤに基づいて、対応するメッセージタイプ（たとえばＳＲＢ１）および端末識別子を取得してよく、対応するＰＤＣＰ／ＲＬＣエンティティを見つけ出して、ＲＲＣメッセージを処理し（言い換えれば、ＰＤＣＰ／ＲＬＣ層において対応する処理をＲＲＣメッセージに対して行い）、対応する論理チャネルを介してＲＲＣメッセージを端末に送信することが可能である。言い換えれば、ＤＵは、ＴＥＩＤに基づいて、対応するメッセージタイプ（たとえばＳＲＢ１）および端末識別子を取得し、対応する論理チャネルを見つけ出して、ＲＲＣメッセージを対応する端末に送信し得る。
【００５６】
第２の態様で提供された無線リソース制御ＲＲＣメッセージ送信方法では、ＤＵは、ＣＵにより送信されたＲＲＣメッセージを、ユーザプレーントンネルを介して受信し、ユーザプレーントンネルとＲＲＣメッセージのメッセージタイプおよび端末デバイスとの間の対応関係に基づいて、対応する処理をＲＲＣメッセージに対して行い、ＲＲＣメッセージを対応する端末に送信する。
【００５７】
可能な設計において、分散されたノードＤＵによって、中央ノードＣＵにより送られたＲＲＣメッセージを受信するステップの前に、この方法は、
ＤＵによって、ＣＵにより送信されたベアラセットアップ要求メッセージを受信するステップであって、たとえば、ベアラセットアップ要求メッセージは、メッセージタイプＡおよび端末識別子Ｂを含んでよく、言い換えれば、ユーザパネルトンネルを介して送信されたＲＲＣメッセージを使用することによって、ＤＵは、ＲＲＣメッセージのメッセージタイプはメッセージタイプＡであり、端末識別子Ｂにより識別された端末にＲＲＣメッセージが送信されるべきであるとみなしてよく、したがって、対応する処理がＲＲＣメッセージに対して行われてよく、ＲＲＣメッセージは対応する端末に送信される、ステップと、
ＤＵによって、ベアラセットアップ要求メッセージに基づいて、ＤＵとＣＵの間のユーザプレーントンネルを確立し、言い換えれば、ＤＵが応答メッセージをＣＵに送信するステップであって、応答メッセージは、ＤＵ側のトンネルエンドポイント識別子ＴＥＩＤを含んでよい、ステップと
をさらに含む。
【００５８】
この可能な設計で提供された方法では、ＤＵは、ベアラセットアップ要求メッセージをＣＵに送信して、ＲＲＣメッセージを送信する前にユーザプレーントンネルを確立し、したがって、ユーザプレーントンネルを介して送信されたＲＲＣメッセージを使用することによって、ＲＲＣメッセージのメッセージタイプと、ＲＲＣメッセージを受信する必要がある端末とが、正しく識別されることが可能であり、それにより、ＲＲＣメッセージが正しく送信されることを確実にする。
【００５９】
第３の態様によれば、本出願の実施形態は、分散されたノードＤＵであって、
中央ノードＣＵにより送信された無線リソース制御ＲＲＣメッセージおよびインジケーション情報を受信するように構成された受信機と、
インジケーション情報に基づいてＲＲＣメッセージを送信するように構成された送信機と
を含む分散されたノードＤＵを提供する。
【００６０】
可能な設計において、インジケーション情報は、メッセージタイプおよびセル識別子を含み、メッセージタイプは、ＲＲＣメッセージのメッセージタイプを示すために使用され、
送信機は、セル識別子およびメッセージタイプに基づいて、セル識別子に対応するセルにおいてＲＲＣメッセージをブロードキャストするようにさらに構成される。
【００６１】
可能な設計において、インジケーション情報は、ネットワーク標準インジケーション情報をさらに含み、ネットワーク標準インジケーション情報は、ＲＲＣメッセージが送信される無線アクセスネットワークの標準タイプを示すために使用される。
【００６２】
可能な設計において、インジケーション情報は、シグナリング無線ベアラＳＲＢ識別子情報、および端末デバイス識別子情報を含み、
送信機は、ＳＲＢ識別子情報および端末デバイス識別子情報に基づいて、ＲＲＣメッセージを、端末デバイス識別子情報に対応する端末デバイスに送信するようにさらに構成される。
【００６３】
任意選択の設計において、ＤＵは、プロセッサ、トランシーバ、および通信回路を含み得る。プロセッサは、通信回路を使用することによって、ＣＵにより送信されたＲＲＣメッセージおよびインジケーション情報を受信し、トランシーバを使用することによって、インジケーション情報に基づいてＲＲＣメッセージを送信するように構成される。ＤＵがＲＲＣメッセージをどのように送信するかに関する具体的な内容については、上述された他の実施形態における第１の態様の内容を参照されたい。
【００６４】
第３の態様および第３の態様の可能な設計で提供される有益な効果については、第１の態様および第１の態様の可能な設計によりもたらされた有益な効果を参照されたい。詳細は本明細書では再度説明されない。
【００６５】
第４の態様によれば、本出願の実施形態は、分散されたノードＤＵであって、
中央ノードＣＵにより送信された無線リソース制御ＲＲＣメッセージを、ユーザプレーントンネルを介して受信するように構成された受信機と、
ユーザプレーントンネルに対応する端末にＲＲＣメッセージを送信するように構成された送信機とを含み、
可能な設計において、受信機は、ＣＵにより送信されたベアラセットアップ要求メッセージを受信するようにさらに構成され、
ベアラセットアップ要求メッセージに基づいて、ＤＵとＣＵの間のユーザプレーントンネルを確立するように構成されたプロセッサを含む分散されたノードＤＵを提供する。
【００６６】
任意選択の設計において、ＤＵは、プロセッサ、トランシーバ、および通信回路を含む。プロセッサは、ユーザプレーントンネルを介して、通信回路を使用することによって、ＣＵにより送信されたＲＲＣメッセージを受信し、トランシーバを使用することによって、ユーザプレーントンネルに対応する端末にＲＲＣメッセージを送信するように構成される。ＤＵがＲＲＣメッセージをどのように送信するかに関する具体的な内容については、上述された他の実施形態における第２の態様の内容を参照されたい。
【００６７】
第４の態様および第４の態様の可能な設計で提供される有益な効果については、第２の態様および第２の態様の可能な設計によりもたらされた有益な効果を参照されたい。詳細は本明細書では再度説明されない。
【００６８】
トランシーバおよび通信回路は、１つの物理デバイス、たとえば、基板に実装されることがある。物理デバイスは、トランシーバユニットまたは通信ユニットと呼ばれることがある。
【図面の簡単な説明】
【００６９】
【図１】プロトコル層において分割されたＣＵ−ＤＵの概略図である。
【図２】本出願による無線リソース制御ＲＲＣメッセージ送信方法の実施形態１の概略フローチャートである。
【図３】本出願による無線リソース制御ＲＲＣメッセージ送信方法の実施形態２の概略フローチャートである。
【図４】ＤＳＣＰプレシデンス（DSCP precedence）およびＩＰプレシデンス（IP precedence）のビットの概略図である。
【図５】本出願の実施形態による無線リソース制御ＲＲＣメッセージ送信装置の実施形態１の概略構造図である。
【図６】本出願の実施形態による無線リソース制御ＲＲＣメッセージ送信装置の実施形態２の概略構造図である。
【図７】本出願の実施形態による無線リソース制御ＲＲＣメッセージ送信装置の実施形態３の概略構造図である。
【図８】本出願の実施形態によるＤＵの実施形態１の概略構造図である。
【図９】本出願の実施形態によるＤＵの実施形態２の概略構造図である。
【発明を実施するための形態】
【００７０】
本明細書に説明されている技術は、現在の３Ｇおよび４Ｇ通信システムならびに次世代通信システムなどの種々の通信システムにおいて使用されてよく、たとえば、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ、略してＧＳＭ）、符号分割多元接続（Ｃｏｄｅ  Ｄｉｖｉｓｉｏｎ  Ｍｕｌｔｉｐｌｅ  Ａｃｃｅｓｓ、略してＣＤＭＡ）システム、時分割多元接続（Ｔｉｍｅ  Ｄｉｖｉｓｉｏｎ  Ｍｕｌｔｉｐｌｅ  Ａｃｃｅｓｓ、略してＴＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）システム、周波数分割多元接続（Ｆｒｅｑｕｅｎｃｙ  Ｄｉｖｉｓｉｏｎ  Ｍｕｌｔｉｐｌｅ  Ａｃｃｅｓｓ、略してＦＤＭＡ）システム、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、略してＯＦＤＭＡ）システム、シングルキャリアＦＤＭＡ（ＳＣ−ＦＤＭＡ）システム、汎用パケット無線サービス（Ｇｅｎｅｒａｌ  Ｐａｃｋｅｔ  Ｒａｄｉｏ  Ｓｅｒｖｉｃｅ、略してＧＰＲＳ）システム、ロングタームエボリューション（Ｌｏｎｇ  Ｔｅｒｍ  Ｅｖｏｌｕｔｉｏｎ、略してＬＴＥ）システム、５Ｇ通信システム（たとえば、ＮＲ（新無線、Ｎｅｗ  Ｒａｄｉｏ）システム）、種々の通信技術を組み合わせた通信システム（たとえば、ＬＴＥ技術とＮＲ技術を組み合わせた通信システム）、およびこのタイプの他の通信システムにおいて使用されてよい。
【００７１】
本出願において、端末は、端末デバイスまたは端末装置と呼ばれることがある。
【００７２】
本出願において、ＣＵおよびＤＵのプロトコル層の機能は、実際の要件に従って分離され得る。実装中に、ＣＵおよびＤＵは、たとえば、ＲＲＣ層、ＰＤＣＰ層、ＲＬＣ層、ＭＡＣ層、および物理層を含む完全なプロトコル層の処理機能を有し得る。展開中に、いくつかの基地局はＲＲＣ層の処理機能を有効にするように構成されてよく、そのような基地局はＣＵとみなされてよい。いくつかの基地局は、ＰＤＣＰ層および下位層の処理機能を有効にするように構成されてよく、これらの基地局はＤＵとみなされてよい。ＣＵおよびＤＵは、異なるプロトコル層の機能を有する基地局の名前であり、他の名前が通信分野で使用されることがある。
【００７３】
本出願において、基地局は、アクセスネットワークデバイスである。様々な名前が様々なネットワークにおいて使用される。たとえば、基地局は、５Ｇネットワークにおいて、ＴＲＰ（送受信点）、マイクロセル、スモールセル、マクロセル、高周波基地局、または低周波基地局などと呼ばれることがある。
【００７４】
本出願において、メッセージは、様々なメッセージタイプを有する。たとえば、１つのタイプのメッセージ分類では、メッセージは、ＭＩＢメッセージ、ＳＩＢ１メッセージ、ページングメッセージ、最小ＳＩメッセージ、ＳＩメッセージ、他ＳＩメッセージ（other-SI message）、またはＳＩＢ２メッセージであり得る。ＳＩＢ１メッセージおよびＳＩＢ２メッセージは、一般にＳＩＢメッセージと呼ばれることがある。場合によって、ＳＩＢ１およびＳＩＢ２が、ＳＩＢメッセージ識別子と呼ばれることがあり、またはＳＩＢ１およびＳＩＢ２における「１」および「２」が、ＳＩＢメッセージ識別子と呼ばれることがある。例では、ＬＴＥシステムにおいて、システムメッセージは、ＭＩＢメッセージ、ＳＩＢ１メッセージ、およびＳＩメッセージを含み得る。ＭＩＢメッセージは、ダウンリンクシステム帯域幅、ＰＨＩＣＨ構成、およびＳＦＮ情報を含む。ＳＩＢ１メッセージは、どのＳＩメッセージが存在するか、各ＳＩメッセージの期間、およびどのＳＩＢが各ＳＩメッセージに含まれるかを指定し得る。ＳＩメッセージは、ＳＩＢ１に加えて、同じスケジューリング要件（伝送期間）を有する他のＳＩＢを含む。別の例では、５Ｇシステム（ＮＲシステム）において、システムメッセージは、最小ＳＩメッセージおよび他ＳＩメッセージを含み得る。最小ＳＩメッセージは、端末が通信システムを発見しまたは通信システムにアクセスすることが可能なように、通信システムで必要とされるシステム情報を搬送するメッセージタイプ、たとえば、取決めに従って通信システムによって一定間隔で送信されるメッセージとして理解されてよい。他ＳＩメッセージは、最小ＳＩメッセージと比べて、最小ＳＩメッセージ以外のＳＩメッセージとして理解されてよい。任意選択で、他ＳＩメッセージは、異なるタイプ、たとえば、他のＳＩ１、他のＳＩ２、および他のＳＩ３をさらに含んでよい。例では、ＬＴＥシステムにおけるシステムメッセージと５Ｇシステムにおけるシステムメッセージとが、１つの通信システムに共存し得る。例では、ＭＩＢメッセージ、ＳＩＢ１メッセージ、ページングメッセージ、最小ＳＩメッセージ、ＳＩメッセージ、および他ＳＩメッセージのスケジューリング情報が、前もって合意され、たとえば、通信標準で規定され得る。別の例では、ＳＩメッセージおよび他ＳＩメッセージのスケジューリング情報が、ネットワークを介して端末に通知され、たとえば、基地局によって端末に通知され得る。
【００７５】
本出願において、ＭＩＢメッセージ、ＳＩＢ１メッセージ、ＳＩＢメッセージ、ＳＩメッセージ、またはＳＲＢメッセージなどにおける「メッセージ」という語は、時として省略され、したがって、ＭＩＢメッセージ、ＳＩＢ１メッセージ、ＳＩＢメッセージ、ＳＩメッセージ、およびＳＲＢメッセージはそれぞれ、略してＭＩＢ、ＳＩＢ１、ＳＩＢ、ＳＩ、およびＳＲＢと呼ばれることがある。
【００７６】
本出願において、プロトコル層は時として層と呼ばれる。たとえば、ＲＲＣプロトコル層は、ＲＲＣ層と呼ばれることがある。
【００７７】
本出願において、スケジューリング期間は、時として送信期間と呼ばれることがある。
【００７８】
本出願において、ネットワーク標準情報は、時としてネットワーク標準情報と呼ばれ、または略してネットワーク標準と呼ばれることがある。
【００７９】
本出願において、トンネルの識別子は、トンネルのトンネルエンドポイント識別子、たとえば、ＣＵ側におけるトンネルのエンドポイント識別子、またはＤＵ側におけるトンネルのエンドポイント識別子であり得る。
【００８０】
本出願における技術的解決策は、ＲＲＣメッセージに適用されることが可能なだけでなく、通信プロトコル層が変わって別のプロトコル層のメッセージに適用されることも可能である。ＲＲＣプロトコル層におけるメッセージは、説明のための例として使用される。ＲＲＣプロトコル層におけるメッセージは、ＲＲＣメッセージと呼ばれることがある。
【００８１】
図２は、本出願による無線リソース制御ＲＲＣメッセージ送信方法の実施形態１の概略フローチャートである。図２に示される方法は、メッセージ送信方法とみなされてもよい。この本出願の実施形態は、無線リソース制御ＲＲＣメッセージ送信方法を提供する。この方法は、無線リソース制御ＲＲＣメッセージ送信方法を行う任意の装置によって行われ得る。装置は、ソフトウェアおよび／またはハードウェアによって実装され得る。この実施形態では、装置はＤＵに組み込まれ得る。図２に示されるように、この実施形態の方法は以下のステップを含み得る。
【００８２】
ステップ２０１：ＤＵは、ＣＵにより送信されたＲＲＣメッセージおよびインジケーション情報を受信する。
【００８３】
言い換えれば、ＤＵは、ＣＵから第１のメッセージおよびインジケーション情報を受信する。
【００８４】
ステップ２０２：ＤＵは、インジケーション情報に基づいてＲＲＣメッセージを送信する。
【００８５】
言い換えれば、ＤＵは、インジケーション情報に基づいて第１のメッセージを送信する。
【００８６】
この実施形態では、ＣＵ−ＤＵインターフェースはＣＲＡＮアーキテクチャに導入される。したがって、解決されるべき問題は、どのようにＤＵがＣＵにより送信されたメッセージを識別してメッセージを端末に正しく送信するかである。この実施形態では、ＣＵにより送信されたインジケーション情報および無線リソース制御（Ｒａｄｉｏ  Ｒｅｓｏｕｒｃｅ  Ｃｏｎｔｒｏｌ、略してＲＲＣ）などのメッセージを受信した後、ＤＵは、メッセージを送信する方式をインジケーション情報に基づいて知り得る。したがって、ＤＵは、メッセージを正しく送出することができる。たとえば、ＤＵは、メッセージをユーザ機器（Ｕｓｅｒ  Ｅｑｕｉｐｍｅｎｔ、略してＵＥ）に送信する。実装の例として、パケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）／無線リンク制御（Ｒａｄｉｏ  Ｌｉｎｋ  Ｃｏｎｔｒｏｌ、ＲＬＣ）分割方式では、ＣＵは、ＲＲＣ層およびＰＤＣＰ層を有し、ＤＵは、ＲＬＣ／メディアアクセス制御（Ｍｅｄｉａ  Ａｃｃｅｓｓ  Ｃｏｎｔｒｏｌ、ＭＡＣ）／物理層（Ｐｈｙｓｉｃａｌ  Ｌａｙｅｒ、ＰＨＹ）を有する。この場合、ＣＵによりＤＵに送信されるＲＲＣメッセージの固有のフォーマットは、ＰＤＣＰ／ＲＲＣメッセージとなる（この部分が、たとえば、メッセージがＣＵ−ＤＵインターフェースを介して送信されるとき、ＣＵ−ＤＵインターフェースを介して送信されるペイロードとして使用され、ＣＵ−ＤＵインターフェース制御プレーンプロトコル層またはＣＵ−ＤＵインターフェースユーザプレーンプロトコル層であり得るＣＵ−ＤＵインターフェースプロトコル層、すなわち、ＳＣＴＰ層またはＧＴＰ−Ｕ層などが、さらに追加される必要がある）。例では、ＣＵによりＤＵに送信されるＲＲＣメッセージのフォーマットは、以下の通りであり得る。
【００８７】
【表１】
2019533355.tif 000003
【００８８】
ＣＵ−ＤＵ制御プレーンプロトコルまたはユーザプレーンプロトコルが、ＣＵとＤＵの間でＲＲＣメッセージを伝送するために使用されてよいことは理解され得る。
【００８９】
ＲＲＣメッセージを受信した後、ＤＵは、まずＣＵ−ＤＵインターフェースプロトコル層を除去し、パースを行って、ペイロード、具体的にはＰＤＣＰ／ＲＲＣメッセージを取得し、次いで、ＰＤＣＰ／ＲＲＣメッセージをＰＨＹ／ＭＡＣ／ＲＬＣ／ＰＤＣＰ／ＲＲＣメッセージ内へカプセル化し、ＰＨＹ／ＭＡＣ／ＲＬＣ／ＰＤＣＰ／ＲＲＣメッセージをＵＥに送信する。例では、カプセル化されたＲＲＣメッセージは、以下の通りであり得る。
【００９０】
【表２】
2019533355.tif 000004
【００９１】
加えて、ＣＵによりＤＵに送信されたインジケーションメッセージは、ＤＵによって直接パースされることが可能である。たとえば、ＳＣＴＰまたはＧＴＰ−Ｕにおける情報要素またはフィールドは、インジケーションメッセージを搬送し、またはインジケーション情報として使用される。
【００９２】
ＤＵは、ＣＵにより送信されたＲＲＣメッセージおよびインジケーション情報を受信し、ＣＵ−ＤＵ制御プレーンプロトコルに従う伝送中の特定のフォーマットは、たとえば以下の通りであってよいことが理解され得る。
【００９３】
【表３】
2019533355.tif 000005
【００９４】
別の例では、ＲＲＣ／ＰＤＣＰ層分割方式、具体的には図１におけるオプション１の分割方式が使用され得る。分割方式において、ＣＵは、ＲＲＣ層をサポートし、ＤＵは、ＰＤＣＰ層およびより下位のプロトコル層をサポートする。ＣＵによりＤＵに送信されたＲＲＣメッセージは、ＤＵに対するＰＤＣＰ層のペイロード（ｐａｙｌｏａｄ）である。ＤＵは、ＲＲＣ層プロトコルをサポートしない。結果として、ＤＵは、ＣＵによりＤＵに送信された内容を知ることができず、したがって、ＣＵによりＤＵに送信されたＲＲＣメッセージを端末に正しく送信することができない。ＣＵは、ＣＵとＤＵの間のインターフェースメッセージまたはインターフェースデータパケットにインジケーション情報を追加し得る。
【００９５】
任意選択で、インジケーション情報は、メッセージタイプを含んでよく、メッセージタイプは、第１のメッセージのメッセージタイプである。メッセージタイプは、スケジューリング情報に関連付けられ得る。具体的には、そのメッセージタイプの任意のメッセージが、スケジューリング情報を使用することによってスケジューリングされることが可能である。スケジューリング情報とメッセージタイプとの対応関係は、通信標準で規定されてよく、またはネットワークデバイスによって指定され端末に送信されてよい。メッセージタイプが送達されたとき、メッセージのスケジューリング情報がＤＵに示される。したがって、ＤＵは、メッセージを正しく送信することができる。
【００９６】
たとえば、第１のメッセージタイプは、ＭＩＢメッセージ、ＳＩＢ１メッセージ、ＳＩメッセージ、ページングメッセージ、最小ＳＩメッセージ、および他ＳＩメッセージであり得る。ＭＩＢメッセージ、ＳＩＢ１メッセージ、ＳＩメッセージ、ページングメッセージ、最小ＳＩメッセージ、および他ＳＩメッセージのスケジューリング情報は、前もって合意されてよく、たとえば通信標準で規定されてよく、またはＣＵによりＤＵに送信されてよい。したがって、メッセージのメッセージタイプを知った後、ＤＵは、メッセージに対応するスケジューリング情報を知る。本明細書では、第１のメッセージのメッセージタイプは、スケジューリング情報に関連付けられる。
【００９７】
別の例として、第１のメッセージタイプは、ＳＩメッセージまたは他ＳＩメッセージであり得る。ＳＩメッセージまたは他ＳＩメッセージに対応するスケジューリング情報は、たとえば、ＭＩＢメッセージ、ＳＩＢ１メッセージ、または最小ＳＩメッセージを使用することによって、基地局により端末に送信され得る。
【００９８】
別の例として、第１のメッセージタイプは、ＳＲＢ１メッセージ、ＳＲＢ２メッセージ、ＳＩメッセージ、または他ＳＩメッセージであり得る。前述のメッセージは、特定の端末に送信され得る。シグナリングベアラが、端末とＤＵの間に確立され得る。１つのシグナリングベアラは通常、特定の端末および特定のメッセージタイプとの対応関係を有する。インジケーション情報は、端末識別子をさらに含み得る。したがって、メッセージのメッセージタイプ、および対応する端末識別子を知った後、ＤＵは、対応するシグナリングベアラ上でメッセージをＵＥに送信し得る。具体的には、ネットワーク側が、端末の各ベアラについて対応するＰＤＣＰエンティティおよびＲＬＣエンティティを確立し、ＤＵが、メッセージタイプおよび端末識別子を使用することによって、メッセージを対応するＰＤＣＰエンティティまたはＲＬＣエンティティに送信して対応する処理を行い、ベアラと論理チャネルが一対一対応にある。ＤＵは、論理チャネルに対応する物理リソース上でメッセージを送信し得るので、メッセージは、対応する端末に正しく送信されることが可能である。
【００９９】
変形例では、インジケーション情報におけるメッセージタイプまたは端末識別子が、他の情報に置き換えられてよい。たとえば、端末についてトンネルが確立された後、端末のメッセージがすべてトンネルを介して送信され、トンネルの識別子は、ユーザの端末の識別子を示すために使用され得る。別の例として、端末のメッセージタイプについてトンネルが確立された後、ユーザのメッセージタイプのメッセージがすべてトンネルを介して送信され、トンネルの識別子は、メッセージタイプおよび端末識別子を示すために使用され得る。
【０１００】
任意選択で、スケジューリング情報が、主にメッセージを送信する機会を示すために使用される。たとえば、スケジューリング情報は、スケジューリング期間またはスケジューリングウィンドウを含み得る。任意選択で、スケジューリング情報は、有効性情報をさらに含み得る。
【０１０１】
本出願のこの実施形態で提供されたメッセージ送信方法では、インジケーション情報は、ＣＵによりＤＵに送信されたメッセージを正しく送信するやり方をＤＵが識別するのを助けることができる。例では、本出願のこの実施形態で提供された無線リソース制御ＲＲＣメッセージ送信方法において、ＣＵにより送信されたＲＲＣメッセージおよびインジケーション情報が受信され、ＲＲＣメッセージがインジケーション情報に基づいて送信される。ＲＲＣメッセージおよびインジケーション情報を受信した後、ＤＵは、インジケーション情報に基づいてＲＲＣメッセージを送信し得るので、ＣＵは、ＲＲＣ制御シグナリングをＤＵに正しく伝送することができる。
【０１０２】
この実施形態および以下の実施形態は、例としてＲＲＣメッセージを使用するのみで説明されていることに留意されたい。実際の適用において、ＤＵは、ＣＵにより送信される他の高層のメッセージを受信することがある。本明細書では、高層は、ＣＵによってサポートされるがＤＵによって識別されることができないプロトコル層を意味する。加えて、ネットワーク技術の発展に伴って、ＤＵおよびＣＵによってサポートされるプロトコル層が変化し、またプロトコル層の分割が変化する。新しいネットワーク環境において、ＤＵが、ＤＵによりサポートされない高層のメッセージをＣＵから受信するとき、本出願のこの実施形態で提供された方法が、高層のメッセージを伝送するために使用され得る。
【０１０３】
図２に示されている実施形態に関するいくつかの考察が以下に提供される。
【０１０４】
一般に、メッセージは、セルレベルメッセージおよびユーザレベルメッセージを含み得る。セルレベルメッセージは、セルにおいてブロードキャストされるメッセージであるが、特定のユーザに対するメッセージではない。具体的には、メッセージは、セル内の端末デバイスに向けられる。ユーザレベルメッセージは、特定のユーザに対して送信されるメッセージである。たとえば、ＲＲＣメッセージは、セルレベルＲＲＣメッセージおよびユーザレベルＲＲＣメッセージを含む。
【０１０５】
例を使用することによってセルレベルメッセージが以下に説明される。
【０１０６】
特に、伝送信頼性を確実にするために、セルレベルシグナリングは、制御プレーンにおけるトランスポート層プロトコル、すなわち、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、略してＳＣＴＰ）に従って伝送され得ることを、当業者は理解し得る。ＣＵおよびＤＵはＣＲＡＮ内の２つのエンティティであるので、インジケーション情報はインターフェースを介して転送される必要がある。したがって、セルレベルＲＲＣメッセージは、メッセージタイプおよびセル識別子を示すためにＣＵ−ＤＵインターフェースを使用する必要がある。
【０１０７】
ＲＲＣメッセージに関して、セルレベルＲＲＣメッセージは、マスタ情報ブロック（ｍａｓｔｅｒ  ｉｎｆｏｒｍａｔｉｏｎ  ｂｌｏｃｋ、略してＭＩＢ）メッセージ、およびシステム情報ブロック（Ｓｙｓｔｅｍ  ｉｎｆｏｒｍａｔｉｏｎ  ｂｌｏｃｋ、略してＳＩＢ）メッセージを含む。ＳＩＢメッセージはさらに、ＳＩＢ１メッセージおよびＳＩメッセージを含み得る。特定の例では、ページング（Ｐａｇｉｎｇ）メッセージが、特定のユーザをページングするために使用されるが、やはりセルレベルメッセージとみなされることができる。特定の例では、ＳＩＢ２、ＳＩＢ３、…、およびＳＩＢ２３などのＳＩメッセージ、ならびに他ＳＩメッセージが、セルレベルメッセージとユーザレベルメッセージの両方とみなされることができる。ＳＩＢメッセージはさらに、ＳＩＢ１、ＳＩＢ２、ＳＩＢ３、…、およびＳＩＢ２３などのメッセージを含み得る。ＳＩＢ２、ＳＩＢ３、…、およびＳＩＢ２３は、ＳＩメッセージと呼ばれることがある。具体的には、ＳＩＢメッセージは、ＳＩＢ１メッセージおよびＳＩメッセージを含み得る。ＭＩＢメッセージならびにＳＩＢメッセージ（ＳＩＢ１メッセージおよびＳＩメッセージ）は、システムメッセージと呼ばれることがある。たとえば、ＬＴＥシステムにおいて、ＭＩＢの送信期間が４０ｍｓであり、ＳＩＢ１の送信期間が８０ｍｓであり、ＳＩＢ２に続くＳＩＢメッセージは異なる期間を有する。ＳＩＢ２に続くＳＩＢメッセージの期間は、ＳＩＢ１において提供され得る。別の例では、セルレベルＲＲＣメッセージは、最小ＳＩメッセージ、他ＳＩメッセージ、およびページングメッセージを含み得る。最小ＳＩメッセージの送信期間は、前もって合意され得る。他ＳＩメッセージの送信期間は、最小ＳＩによって指定され得る。たとえば、セルレベルＲＲＣメッセージは、ＣＵ−ＤＵインターフェースメッセージを使用してＳＩＢのタイプを示し、ＤＵがＳＩＢのタイプを知ることを可能にする。
【０１０８】
セルレベルメッセージは様々なスケジューリング要件を有するので、ＣＵは、以下の方式でセルレベルメッセージをＤＵに送信し得る。
【０１０９】
第１の任意選択の方式では、ＣＵは、セルレベルメッセージのスケジューリング情報に基づいて、セルレベルメッセージおよびメッセージタイプ（ここで、メッセージタイプはインジケーション情報とみなされてよい）をＤＵに送信する。セルレベルメッセージを受信した後、ＤＵは、メッセージタイプに基づいて、セルレベルメッセージを対応するチャネル上で送信する（ここで、チャネルは、時間および周波数リソースと対応関係を有する）。たとえば、ＤＵは、ＭＩＢメッセージを物理ブロードキャストチャネル（Ｐｈｙｓｉｃａｌ  Ｂｒｏａｄｃａｓｔ  Ｃｈａｎｎｅｌ、ＰＢＣＨ）上で送信し、他のメッセージを物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）上で送信する。この方式で、セルレベルメッセージをスケジューリングする機会はＤＵに対してＣＵによってトリガされる。ＤＵは、セルレベルメッセージのスケジューリング情報を構成する必要がない。ＣＵにより送信されたメッセージを受信した後、ＤＵは、即座にまたは合意された時間後にセルレベルメッセージを送信し得る。
【０１１０】
第２の任意選択の方式では、ＣＵは、セルレベルメッセージ、およびセルレベルメッセージに対応するスケジューリング情報を、ＤＵに送信する。セルレベルメッセージを受信した後、ＤＵは、スケジューリング情報に基づいてセルレベルメッセージを送信する。ＣＵは、そのたびにセルレベルメッセージをＤＵに送信する必要がなくてよい。ＣＵは、セルレベルメッセージが変わるときのみ、インターフェースを介してＤＵに更新されたセルレベルメッセージを送信する。このように、ＣＵとＤＵの間の対話が大幅に減少されることが可能である。ページングメッセージに関して、ＣＵは通常、ページングメッセージを受信した後に直接ページングメッセージを送信する。
【０１１１】
第２の方式の変形例では、スケジューリング情報は、スケジューリング情報と対応関係を有する他の情報と置き換えられてよい。たとえば、メッセージタイプとスケジューリング情報との対応がＤＵ上で構成されたとき、セルレベルメッセージのメッセージタイプがＤＵに送信され、ＤＵはセルレベルメッセージのスケジューリング情報を知り得る。メッセージタイプとスケジューリング情報との対応は、ＣＵによってＤＵに対して構成されてよく、または通信標準で合意されてよい。
【０１１２】
第２の方式および第２の方式の変形例では、セルレベルメッセージのスケジューリング情報が通信標準で規定されない場合、端末は、どのようにセルレベルメッセージを受信するかを知ることができない。したがって、ネットワーク側がスケジューリング情報を端末に通知する必要がある。例では、スケジューリング情報は、ＳＩＢ１メッセージまたは最小ＳＩメッセージで搬送されて端末に送信され得る。端末は、ＳＩＢメッセージまたは最小ＳＩメッセージのスケジューリング情報を前もって知るので、端末は、正しくスケジューリング情報を受信して後続のセルレベルメッセージを受信することができる。
【０１１３】
上述されたように、スケジューリング情報は、主にメッセージを送信する機会を示すために使用される。たとえば、スケジューリング情報は、スケジューリング期間またはスケジューリングウィンドウを含み得る。任意選択で、スケジューリング情報は、有効性情報をさらに含み得る。スケジューリング期間およびスケジューリングウィンドウ情報は、セルレベルメッセージが読み取られるべきサブフレームを決定するために使用される。有効性情報の変更は、システムメッセージの変更を表す。スケジューリングウィンドウおよびスケジューリング期間は、システムメッセージをスケジューリングウィンドウ内で読み取るようにＵＥを制限し、それにより、ＵＥの電力消費を低減し得る。ＣＵが最新のセルレベルメッセージをＤＵに送信したとき、ＤＵは、セルレベルメッセージを受信し、セルレベルメッセージが変わることを認識する。この場合、ＣＵは、セルレベルメッセージを最新のセルレベルメッセージに直接的に置き換え、スケジューリング情報は、有効性情報を含まなくてよい。また、スケジューリング情報が有効性情報を含む場合、ＤＵは、有効性情報を受信し、その有効性情報がローカルに保存された有効性情報と異なることを見出したとき、ＣＵは、セルレベルメッセージが変わることを認識し得る。この場合、ＤＵは、ＣＵにより送信された有効性情報に基づいてセルレベルメッセージを更新する。また、セルレベルメッセージが変わるとき、ＣＵは、ページングメッセージを使用して、セルレベルメッセージが変わることをＵＥに通知し得る。
【０１１４】
まとめると、本出願のこの実施形態は、
ＣＵによって、第１のメッセージおよびインジケーション情報をＤＵに送信するステップと、
ＤＵによって、インジケーション情報に基づいて第１のメッセージを送信するステップと。
を含むメッセージ送信方法を提供する。
【０１１５】
第１の任意選択の設計では、インジケーション情報は、第１のメッセージの第１のメッセージタイプを含む。第１のメッセージタイプは、ＭＩＢメッセージ、ＳＩＢ１メッセージ、ＳＩメッセージ、ページングメッセージ、最小ＳＩメッセージ、または他ＳＩメッセージであり得る。第１のメッセージタイプは、第１のスケジューリング情報に関連付けられる。ＤＵによって、インジケーション情報に基づいて第１のメッセージを送信するステップは、ＤＵによって、第１のメッセージタイプおよび第１のスケジューリング情報に基づいて、第１のメッセージを送信するステップである。
【０１１６】
たとえば、メッセージタイプがＭＩＢメッセージである場合、ＭＩＢメッセージは４０ｍｓの期間に基づいてＰＢＣＨ上で送信される。メッセージタイプがＳＩＢ１メッセージである場合、ＳＩＢ１メッセージは８０ｍｓの期間に基づいてＰＤＳＣＨ上で送信される。
【０１１７】
第２の任意選択の設計では、インジケーション情報は、第１のメッセージの第１のスケジューリング情報、および第１のメッセージの第１のメッセージタイプを含む。第１のメッセージタイプは、ＳＩメッセージまたは他ＳＩメッセージである。ＤＵによって、インジケーション情報に基づいて第１のメッセージを送信するステップは、ＤＵによって、第１のメッセージタイプおよび第１のスケジューリング情報に基づいて、第１のメッセージを送信するステップである。この方法は、ＤＵによって、第２のメッセージ、および第２のメッセージの第２のメッセージタイプを、ＣＵから受信するステップであって、第２のメッセージタイプは、ＳＩＢ１メッセージまたは最小ＳＩメッセージであり、第２のメッセージは、第１のスケジューリング情報を含む、ステップと、ＤＵによって、第２のメッセージタイプ、および第２のメッセージタイプに関連付けられた第２のスケジューリング情報に基づいて、第２のメッセージを送信するステップとをさらに含む。第２のメッセージが送信されると、端末が第１のメッセージのスケジューリング情報を知って第１のメッセージを正しく受信することが可能になる。
【０１１８】
たとえば、ＣＵは、メッセージＡおよびメッセージタイプＡをＤＵに送信し得る。メッセージタイプＡは、最小ＳＩメッセージであり、メッセージＡは、メッセージＢのスケジューリング情報Ｂである。メッセージＡおよびメッセージタイプＡを受信した後、ＤＵは、最小ＳＩメッセージのスケジューリング情報、およびメッセージタイプＡに基づいて、メッセージＡを送信する。ＣＵは、メッセージＢおよびインジケーション情報ＢをＤＵに送信し得る。インジケーション情報Ｂは、メッセージＢのスケジューリング情報ＢおよびメッセージタイプＢを含む。メッセージＢおよびインジケーション情報Ｂを受信した後、ＤＵは、メッセージＢのスケジューリング情報ＢおよびメッセージタイプＢに基づいて、メッセージＢを送信する。端末およびネットワーク側は既に最小ＳＩのスケジューリング情報を知っているので、端末は、メッセージＡを正しく受信し、メッセージＡからスケジューリング情報Ｂを知り得る。端末は、スケジューリング情報Ｂを使用することによってメッセージＢを正しく受信することができる。
【０１１９】
任意選択で、ＳＩメッセージは、ＳＩＢ２メッセージ、ＳＩＢ２メッセージ、…、およびＳＩＢ２３メッセージのいずれか１つであり得る。様々なＳＩＢメッセージが様々なスケジューリング情報に対応し得る。
【０１２０】
前述の方法では、ＤＵは、メッセージタイプに基づいて対応するチャネルを見つけ出して対応するメッセージを送信する。たとえば、メッセージは、第１のメッセージタイプに基づいてブロードキャストチャネル上で送信され得る。
【０１２１】
任意選択で、ＣＵとＤＵの間の対話は、トランスポート層プロトコル、すなわち、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、略してＳＣＴＰ）に従って行われ得る。ＳＣＴＰに従ってＣＵとＤＵの間で情報が交換される場合、信頼性が改善されることができる。具体的には、ＣＵは、ＳＣＴＰデータパケットのペイロードとして第１のメッセージを使用し、ＳＣＴＰデータパケットのプロトコルヘッダ内にインジケーション情報を追加し、第１のメッセージおよびインジケーション情報をＤＵに送信し得る。第２のメッセージの処理については、上記方式を参照されたい。
【０１２２】
任意選択で、ＤＵに複数のセルが対応する場合、インジケーション情報はセル識別子をさらに含み得る。セル識別子を受信した後、ＤＵは対応するセルにメッセージを送信し得る。
【０１２３】
任意選択で、ＤＵが様々なネットワーク標準をサポートしている場合、たとえば、ＤＵが２Ｇ、３Ｇ、および４Ｇをサポートできる場合、ネットワーク標準インジケーション情報がインジケーション情報に含まれてもよい。ネットワーク標準インジケーション情報は、メッセージを送信するためにどのアクセス技術が使用されるべきかを示すために使用される。ネットワーク標準情報を受信した後、ＤＵは、対応するネットワーク標準を使用してメッセージを送信し得る。
【０１２４】
任意選択で、ＣＵとＤＵの間の情報交換のために、ＧＰＲＳトンネリングプロトコル−ユーザプレーン（ＧＰＲＳ  Ｔｕｎｎｅｌｉｎｇ  Ｐｒｏｔｏｃｏｌ−Ｕｓｅｒ  Ｐｌａｎｅ、略してＧＴＰ−Ｕ）またはプロトコルカプセル化（Ｐｒｏｔｏｃｏｌ  Ｏｂｌｉｖｉｏｕｓ  Ｅｎｃａｐｓｕｌａｔｉｏｎ、ＰｏＥ）方式がメッセージをＤＵに送信するために使用され得る。
【０１２５】
例１：ＧＴＰ−Ｕトンネルは、ＣＵとＤＵの間のメッセージタイプごとに確立され得る。具体的には、対応（マッピングまたは関連付け）関係がメッセージタイプとトンネルの間で確立される。トンネルを介してＤＵに送信されたメッセージは、トンネルに対応するメッセージタイプを有するとみなされ得る。具体的には、ＧＴＰ−Ｕデータパケットを受信した後、ＤＵは、ＧＴＰ−Ｕで搬送されたトンネルの識別子（たとえば、エンドポイント識別子、ここで、エンドポイント識別子はＣＵ側のエンドポイント識別子またはＤＵ側のエンドポイント識別子であってよく、エンドポイント識別子はトンネルを識別し得る）に基づいて、対応するメッセージタイプを知り得る。ＧＴＰ−Ｕは、以下では略してＧＴＰと呼ばれる。
【０１２６】
任意選択で、トンネルのセットアップ中に、メッセージタイプに対応するスケジューリング情報、セル識別子、またはネットワーク標準情報が、ＤＵに送信されてもよい。ＣＵにより送信されたメッセージを、トンネルを介して受信した後、ＤＵは、トンネルに対応するメッセージタイプ、スケジューリング情報、セル識別子、またはネットワーク標準インジケーション情報などを見つけて、トンネルを介して転送されたメッセージを正しく送信する。
【０１２７】
任意選択の実装において、ＣＵおよびＤＵがトンネルを確立したとき、ＣＵは、メッセージタイプをＤＵに送信してよく、そうして、メッセージタイプとトンネルの間の対応関係を確立することができる。（１）スケジューリング情報が通信標準で規定される場合、トンネルのセットアップ中、メッセージタイプに対応するスケジューリング情報がＤＵに送信されなくてよい。（２）スケジューリング情報がＣＵによりＤＵに送信される必要がある場合、トンネルのセットアップ中、メッセージタイプに対応するスケジューリング情報がＤＵに送信される。（３）スケジューリング情報がＣＵによりＤＵに送信される必要がある場合、スケジューリング情報は、メッセージが後続してＤＵに送信されるとき、ＤＵに送信される。たとえば、ＣＵによりＤＵに送信されたＧＴＰデータパケットのペイロードが、送信されるべきメッセージを搬送するとき、ＧＴＰデータパケットのパケットヘッダは、メッセージタイプに対応するスケジューリング情報を搬送する。
【０１２８】
任意選択で、上記のケース（１）、（２）または（３）において、セル識別子またはネットワーク標準情報がさらに必要とされる場合、セル識別子またはネットワーク標準情報は、トンネルのセットアップ中にＤＵに送信され得る。この場合、メッセージが後続してＤＵに送信されるとき、セル識別子またはネットワーク標準情報はもはや送信される必要がなく、ＤＵは、トンネルエンドポイント識別子を使用することによって、必要とされる情報を取得し得る。任意選択で、ケース（１）、（２）または（３）において、セル識別子またはネットワーク標準情報がさらに必要とされる場合、メッセージがＤＵに送信されるときに、セル識別子またはネットワーク標準情報がＤＵに送信され得る。たとえば、ＣＵが、送信されるべきメッセージを、ＤＵに送信されるＧＴＰデータパケットのペイロードに追加する。ＧＴＰデータパケットのパケットヘッダは、セル識別子またはネットワーク標準情報を搬送する。
【０１２９】
任意選択で、ペイロードタイプ（ｐａｙｌｏａｄ  ｔｙｐｅ）が、ＧＴＰパケットヘッダで様々な情報を搬送するために使用され得る。たとえば、ＧＴＰパケットヘッダは、１つまたは複数のペイロードタイプフィールドを含む。１つのペイロードタイプフィールドの異なる値は異なるメッセージタイプを表す。別のペイロードタイプフィールドの異なる値は異なるセル識別子を表す。さらに別のペイロードタイプフィールドの異なる値は異なるネットワーク標準を表す。
【０１３０】
任意選択で、第２の任意選択の設計では、トリガ条件が、第１のメッセージの送信をトリガするために設定され得る。たとえば、第２の任意選択の設計では、この方法は、ＤＵによって、１つまたは複数の端末から第１の要求メッセージを受信するステップであって、第１の要求メッセージは、第１のメッセージタイプを含む、ステップをさらに含み得る。第１の要求メッセージを受信した後、ＤＵは、端末が第１のメッセージを要求していることを認識し得る。たとえば、端末は、ＳＩＢ２メッセージを要求する、ＳＩＢ３メッセージを要求する、または他ＳＩ２メッセージを要求する。
【０１３１】
ＤＵが第１のメッセージを端末に送信するトリガ条件は、端末からの要求の受信であることが認識され得る。ＤＵは、端末からの要求に基づいて第１のメッセージを端末に送信し得る。第１のメッセージがＤＵ上に存在しない、または第１のメッセージが既に無効である、またはＤＵがＣＵから第１のメッセージを毎回取得する必要がある、またはＤＵに設定された条件が満たされる場合、ＤＵは、第１のメッセージをＣＵから取得するための要求をし得る。たとえば、ＤＵは、第２の要求メッセージをＣＵに送信し、第２の要求メッセージは、第１のメッセージタイプを含む。第２の要求メッセージを受信した後、ＣＵは、第２の要求で搬送されたメッセージタイプに基づいて、第１のメッセージがＤＵに送信される必要があることを認識する。
【０１３２】
任意選択で、第２の要求は、ＤＵにより推奨され第１のメッセージに対応するスケジューリング情報をさらに搬送してよく、スケジューリング情報は、ＣＵによって参照のために使用される。ＣＵがスケジューリング情報を使用するのに合意した場合、第１の要求メッセージがＤＵに送信されるとき、推奨されたスケジューリング情報を使用することにＣＵが合意したことをＤＵに通知するために、インジケーション情報のみが送信されればよく、スケジューリング情報は、ＤＵに繰り返し送信される必要はない。
【０１３３】
任意選択で、１つの閾値がＤＵ上に設定され得る。第１のメッセージを端末が要求する回数の量が閾値を満たすとき、ＤＵは、第１のメッセージを端末に送信し、またはＣＵに第１のメッセージをＤＵに送信するように要求して、ＤＵが第１のメッセージを送信することを可能にし得る。
【０１３４】
第２の任意選択の設計は、ＬＴＥシステムにおけるＳＩメッセージ、またはＮＲシステムにおける他ＳＩメッセージに適用され得る。
【０１３５】
現在、ＮＲシステムで論じられるセルレベルメッセージは、最小システム情報（ｍｉｎｉｍｕｍ  Ｓｙｓｔｅｍ  Ｉｎｆｏｒｍａｔｉｏｎ、最小ＳＩ）および他システム情報（ｏｔｈｅｒ  ＳＩ）（オンデマンドＳＩとも呼ばれる）を含む。最小ＳＩのスケジューリング情報は通信標準で規定されてよく、他ＳＩのスケジューリング情報はネットワーク側によって端末に通知されてよい。たとえば、他ＳＩのスケジューリング情報は最小ＳＩで搬送される。
【０１３６】
接続された状態のＵＥの場合、ＵＥは、ＲＲＣメッセージを送信することによって他ＳＩを要求する。基地局は、ＲＲＣメッセージを使用することによって他ＳＩをＵＥに直接送信し、または基地局は、ブロードキャスト方式で他ＳＩを直接ＵＥに送信し得る。特に、ＵＥがアイドル状態または第３の状態である場合、ＵＥは、ランダム−アクセスチャネル（Ｒａｎｄｏｍ−ａｃｃｅｓｓ  Ｃｈａｎｎｅｌ、ＲＡＣＨ）ｍｓｇ１もしくはｍｓｇ３を使用することによって、他ＳＩを要求してよく、基地局は、ＲＡＣＨ  ｍｓｇ２もしくはｍｓｇ４を使用することによって、ＵＥにより要求された他ＳＩをＵＥに直接送信してよく、またはブロードキャスト方式で他ＳＩをＵＥに直接送信してよい。
【０１３７】
最小ＳＩおよび他ＳＩをＤＵに送信するとき、ＣＵは、最小ＳＩおよび他ＳＩをＤＵに直接送信してよく、または予め設定された閾値をＤＵに送信してよい。ＵＥにより送信されＤＵに受信された他ＳＩを要求するためのメッセージの量が、予め設定された閾値を超えた後、ＤＵは、インジケーションメッセージをＣＵに送信する。インジケーションメッセージは、他ＳＩを送信するようＣＵに命令するために使用される通知メッセージ（たとえば、通知メッセージは、他ＳＩのＳＩＢタイプを含み、たとえば、ＤＵは、ＳＩＢ２およびＳＩＢ５を送信するようＣＵに要求する）を含むだけでなく、ＤＵにより推奨された他ＳＩのスケジューリング情報も含む。たとえば、ＤＵによりＣＵに送信される通知メッセージは、「ＳＩＢ２＋期間＋ＳＩウィンドウ」および「ＳＩＢ５＋期間＋ＳＩウィンドウ」である。加えて、ＤＵはさらに、ｍｓｇ２／ｍｓｇ４を使用することによって通知メッセージをＵＥに送信して、他ＳＩを取得するためにブロードキャストをリッスンするようＵＥに命令し得る。ＣＵがインジケーションメッセージを受信した後、他ＳＩのスケジューリング情報がＵＥに通知される必要があるため、ＣＵは、更新された最小ＳＩをＤＵに送信する。任意選択で、ＣＵが、ＤＵにより推奨された他ＳＩのスケジューリング情報を受け入れた場合、ＣＵは、他ＳＩのスケジューリング情報をＤＵにもはや送信しない。ＣＵが、ＤＵにより推奨された他ＳＩのスケジューリング情報を受け入れない場合、ＣＵは、ＣＵにより決定された他ＳＩのＳＩＢタイプおよび対応するスケジューリング情報を、ＤＵに送信する必要がさらにある。任意選択で、ＣＵが、初めて他ＳＩをＤＵに送信するとき、または他ＳＩが変更されたとき、ＣＵは、変更された他ＳＩをＤＵに送信する必要がさらにある。
【０１３８】
ＵＥにより送信されＤＵに受信された要求メッセージの量が、予め設定された閾値を超えるとき、以下のケースが含まれ得る。ＵＥにより送信されＤＵに受信されたＲＲＣメッセージをブロードキャストするよう要求するための要求メッセージの総量が、第１の予め設定された閾値を超える、予め設定された時間期間内に受信された要求メッセージの総量が、第２の予め設定された閾値を超える、または要求メッセージを受信する頻度が、第３の予め設定された閾値を超える。
【０１３９】
ＣＵは、前述の制御プレーン方式または前述のユーザプレーン方式で、更新された最小ＳＩ、他ＳＩのＳＩＢタイプおよびスケジューリング情報、ならびに他ＳＩメッセージを、ＤＵに送信し得ることに留意されたい。この実施形態において特定の送信方式は本明細書で限定されない。
【０１４０】
この実施形態で提供されたメッセージ送信方法では、スケジューリング情報は、ＣＵによりＤＵに送信されたメッセージをＤＵが正しく送信することを可能にするように、ＤＵに示される。さらに、スケジューリング情報とメッセージタイプとの間の対応が前もって確立され、それにより、ＣＵとＤＵの間の対話の負担を軽減する。
【０１４１】
ユーザレベルメッセージが例を使用して以下に説明される。
【０１４２】
たとえば、ユーザレベルメッセージは、ＳＲＢメッセージであり得る。ＳＲＢメッセージは、シグナリング無線ベアラ（ｓｉｇｎａｌｉｎｇ  ｒａｄｉｏ  ｂｅａｒｅｒ、略してＳＲＢ）０（たとえば、ＲＲＣ接続セットアップ要求、ＲＲＣ接続セットアップメッセージ、またはＲＲＣ接続セットアップ完了メッセージ）、ＳＲＢ１（たとえば、ＲＲＣ再構成メッセージまたはＲＲＣ再構成完了メッセージ）、およびＳＲＢ２（セキュリティに関係付けられたＲＲＣメッセージ）を含み得る。透過モード（ｔｒａｎｓｐａｒｅｎｔ  ｍｏｄｅ、ＴＭ）がＳＲＢ０のために現在のところ使用され、対応するＰＤＣＰ／ＲＬＣエンティティが存在しない。例では、ＰＤＣＰ／ＲＬＣエンティティは、ＲＲＣ接続が確立された後、基地局のＲＲＣメッセージを使用することによって構成される。したがって、ＲＲＣ接続が確立される前のＳＲＢ０メッセージは、対応するＰＤＣＰ／ＲＬＣエンティティを有しない。ＳＲＢ１およびＳＲＢ２は各々、対応するＰＤＣＰおよびＲＬＣエンティティを有する。例では、ＲＲＣ接続が確立された後、基地局は、ＲＲＣメッセージを使用することによって、ＳＲＢ１に対応するＰＤＣＰエンティティ／ＲＬＣエンティティを構成する。セキュリティ認証手順の後、基地局は、ＲＲＣメッセージを使用することによって、ＳＲＢ２に対応するＰＤＣＰエンティティ／ＲＬＣエンティティをさらに構成する。本明細書では、ＳＲＢ０、ＳＲＢ１、およびＳＲＢ２は、異なるメッセージタイプとみなされてよい。時として、ＳＲＢ０、ＳＲＢ１、およびＳＲＢ２は、ＳＲＢ識別子情報と呼ばれることがある。ＳＲＢ１またはＳＲＢ２に関して、ＤＵは、ＳＲＢのメッセージタイプ、および端末デバイス識別子情報に基づいて、対応するＰＤＣＰ／ＲＬＣエンティティ（現在のＬＴＥプロトコルでは、ＰＤＣＰ／ＲＬＣエンティティは、各ＵＥの各ＳＲＢ／ＤＲＢに対応する）を見つけ出し得る。ＳＲＢ１またはＳＲＢ２は、ＰＤＣＰ／ＲＬＣエンティティによって処理され、次いでＭＡＣ／ＰＨＹ層内に送信され、最終的に対応する端末に送信される。ＳＲＢ０は、ＭＡＣ／ＰＨＹ層内に直接送信され、ＰＤＣＰエンティティ／ＲＬＣエンティティにより処理されることなく、対応する端末に最終的に送信される。例では、ＤＵは、ＳＲＢ識別子情報すなわちＳＲＢ０に基づいて、ＳＲＢ０を処理のためにＭＡＣ／ＰＨＹ層に直接送信し、ＳＲＢ０は、エアインターフェースを介して、端末識別子情報に対応する端末に最終的に送信される。例では、ＤＵは、ＳＲＢ識別子情報すなわちＳＲＢ０に基づいて、ＳＲＢ０を処理のためにＭＡＣ／ＰＨＹ層に直接送信する。ＳＲＢ０は、エアインターフェースを介して、端末識別子情報に対応する端末に最終的に送信される。
【０１４３】
本出願では、ユーザレベルメッセージは以下の方式で送信され得る。第１の任意選択の設計では、ＣＵ−ＤＵ制御プレーンプロトコルがメッセージを転送するために使用され得る。例では、ＣＵ−ＤＵインターフェース制御プレーンプロトコルはユーザレベルメッセージを転送するために使用され得る。
【０１４４】
この設計では、本出願の実施形態で提供されるメッセージ送信方法は、
ＣＵによって、第１のメッセージおよびインジケーション情報をＤＵに送信するステップを含み、
任意選択で、インジケーション情報は、第１のメッセージの第１のメッセージタイプ、および端末識別子を含み、第１のメッセージタイプは、ＳＲＢ０メッセージ、ＳＲＢ１メッセージ、ＳＲＢ２メッセージ、ＳＩメッセージ、または他ＳＩメッセージである。この場合、第１のメッセージタイプは、ＳＲＢ識別子またはＳＲＢ識別子情報と呼ばれることがある。
【０１４５】
さらに、ＤＵによって、第１のメッセージタイプおよび端末識別子に基づいて、第１のメッセージを送信するステップを含む。
【０１４６】
任意選択で、第１のメッセージタイプがＳＲＢ０である場合、ＤＵは、端末識別子およびＳＲＢ０に基づいて、端末に分散されＳＲＢ０に対応する物理リソース上で、第１のメッセージを送信する。
【０１４７】
任意選択で、第１のメッセージタイプがＳＲＢ１またはＳＲＢ２である場合、端末識別子に対応するＰＤＣＰ／ＲＬＣエンティティ、およびＳＲＢタイプを見つけ出し、第１のメッセージを対応する処理のために対応するＰＤＣＰ／ＲＬＣエンティティに送信した後、ＤＵは、端末に分散されＳＲＢ１またはＳＲＢ２に対応する物理リソース上で、第１のメッセージを送信し得る。
【０１４８】
任意選択で、第１のメッセージタイプがＳＩメッセージまたは他ＳＩメッセージである場合、ＤＵは、ＳＲＢ０メッセージ、ＳＲＢ１メッセージ、またはＳＲＢ２メッセージとしてＳＩメッセージまたは他ＳＩメッセージを処理し得る。
【０１４９】
実装において、ＳＣＴＰプロトコルは、ＣＵとＤＵの間の対話のために使用され得る。ＣＵは、第１のメッセージをＳＣＴＰデータパケットのペイロードに追加し得る。ＳＣＴＰデータパケットのパケットヘッダは、インジケーション情報および端末識別子を搬送して、第１のメッセージ、インジケーション情報、および端末識別子をＤＵに送信する。
【０１５０】
任意選択で、インジケーション情報は、セル識別子またはネットワーク標準をさらに含み得る。たとえば、ＤＵによって、インジケーション情報に基づいて第１のメッセージを送信するステップは、第１のメッセージタイプおよび端末識別子に基づいて、セル識別子に対応するセルにおいて第１のメッセージを送信するステップであってよく、またはＤＵによって、インジケーション情報に基づいて第１のメッセージを送信するステップは、ＤＵによって、第１のメッセージタイプおよび端末識別子に基づいて、およびネットワーク標準に対応するワイヤレス技術を使用することによって、第１のメッセージを送信するステップであってよい。
【０１５１】
第２の任意選択の設計では、ＣＵとＤＵの間のユーザプレーントンネルがメッセージを転送するために使用され得る。関係付けられた内容については、ＧＴＰ−Ｕがセルレベルメッセージを転送するために使用される前述の関係付けられた内容を参照されたい。
【０１５２】
第１の任意選択の実装では、１つのユーザプレーントンネル、たとえば、ＧＴＰ−Ｕトンネルが、ＣＵとＤＵの間の各端末の各ＳＲＢについて確立され得る。
【０１５３】
例１：ＤＵは、トンネルセットアップ要求をＣＵに送信し、セットアップ要求は、第１のメッセージの第１のメッセージタイプ、および端末識別子を含む。
【０１５４】
例２：ＣＵは、トンネルセットアップ要求をＤＵに送信し、セットアップ要求は、第１のメッセージの第１のメッセージタイプ、および端末識別子を含む。
【０１５５】
上記の２つの例を使用することによって、対応関係が、トンネルと第１のメッセージタイプおよび端末識別子の各々との間に確立され得る。言い換えれば、対応関係は、トンネルエンドポイント識別子と第１のメッセージタイプおよび端末識別子の各々との間に確立され得る。ＤＵは、トンネルを介して受信されたメッセージから、対応するメッセージタイプおよび端末識別子を知り得る。トンネルエンドポイント識別子は、ＣＵ側のトンネルエンドポイント識別子であってよく、またはＤＵ側のトンネルエンドポイント識別子であってよい。
【０１５６】
実装において、本出願の実施形態で提供されるメッセージ送信方法は、
ＣＵによって、インジケーション情報および第１のメッセージをＤＵに送信するステップであって、インジケーション情報は、トンネルエンドポイント識別子である、ステップと、
ＤＵによって、トンネルに対応する第１のメッセージタイプおよび端末識別子に基づいて、第１のメッセージを送信するステップと
を含む。
【０１５７】
任意選択で、ＣＵによりＤＵに送信されるＧＴＰデータパケットのペイロード部分は、第１のメッセージを搬送してよく、ＧＴＰデータパケットのパケットヘッダは、インジケーション情報、たとえば、トンネルエンドポイント識別子を搬送してよい。
【０１５８】
任意選択で、インジケーション情報は、セル識別子またはネットワーク標準情報をさらに含み、したがって、ＤＵは、対応するセルにおいて第１のメッセージを送信し、または対応するネットワーク技術を使用することによって第１のメッセージを送信することができる。
【０１５９】
上記の解決策では、各端末の各ＳＲＢについてトンネルが確立され、ＣＵが、メッセージのメッセージタイプおよび端末識別子をＤＵに毎回送信する必要がなく、したがって、ＣＵとＤＵの間の対話のためのリソースが節約される。
【０１６０】
第２の任意選択の実装では、ＣＵとＤＵの間で各端末について１つのユーザプレーントンネルが確立される。
【０１６１】
例１：ＤＵはトンネルセットアップ要求をＣＵに送信し、セットアップ要求は端末識別子を含む。
【０１６２】
例２：ＣＵはトンネルセットアップ要求をＤＵに送信し、セットアップ要求は端末識別子を含む。
【０１６３】
上記の２つの例を使用することによって、トンネルと端末識別子との間の対応関係が確立され得る。言い換えれば、トンネルエンドポイント識別子と端末識別子との間の対応関係が確立され得る。ＤＵは、トンネルから受信されたメッセージから対応する端末識別子を知り得る。トンネルエンドポイント識別子は、ＣＵ側のトンネルエンドポイント識別子であってよく、またはＤＵ側のトンネルエンドポイント識別子であってよい。
【０１６４】
実装において、本出願の実施形態で提供されるメッセージ送信方法は、
ＣＵによって、インジケーション情報および第１のメッセージをＤＵに送信するステップであって、インジケーション情報は、トンネルエンドポイント識別子、および第１のメッセージの第１のメッセージタイプを含む、ステップと、
ＤＵによって、端末に対応する端末識別子および第１のメッセージタイプに基づいて、第１のメッセージを送信するステップと
を含む。
【０１６５】
任意選択で、ＣＵによりＤＵに送信されるＧＴＰデータパケットのペイロード部分は、第１のメッセージを搬送してよく、ＧＴＰデータパケットのパケットヘッダは、インジケーション情報、たとえば、トンネルエンドポイント識別子、および第１のメッセージの第１のメッセージタイプを搬送してよい。
【０１６６】
任意選択で、インジケーション情報は、セル識別子またはネットワーク標準情報をさらに含み、したがって、ＤＵは、対応するセルにおいて第１のメッセージを送信し、または対応するネットワーク技術を使用することによって第１のメッセージを送信することができる。
【０１６７】
上記の解決策では、各端末の各ＳＲＢについてトンネルが確立され、ＣＵが、メッセージに対応する端末識別子をＤＵに毎回送信する必要がなく、したがって、ＣＵとＤＵの間の対話のためのリソースが節約される。
【０１６８】
例では、ペイロードタイプ（ｐａｙｌｏａｄ  ｔｙｐｅ）は、ＧＴＰパケットヘッダで様々な情報を搬送するために使用され得る。たとえば、ＧＴＰパケットヘッダは、１つまたは複数のペイロードタイプフィールドを含む。１つのペイロードタイプフィールドの異なる値は異なるメッセージタイプを表す。別のペイロードタイプフィールドの異なる値は異なるセル識別子を表す。さらに別のペイロードタイプフィールドの異なる値は異なるネットワーク標準を表す。
【０１６９】
ユーザプレーントンネルが双方向であることは当業者には認識されよう。したがって、ＣＵが、各ＤＲＢまたはＳＲＢメッセージが送信されるトンネルエンドポイントをＤＵに通知するためにＣＵ側にトンネルエンドポイントを提供する必要があるだけでなく、各ＳＲＢまたはＤＲＢメッセージが送信されるトンネルエンドポイントをＣＵに通知するためにＤＵ側にトンネルエンドポイントを提供する必要がある。したがって、ＣＵとＤＵは、インジケーション情報とトンネルエンドポイントとの間のマッピング関係を知るためにメッセージを交換する。
【０１７０】
この実施形態で提供されたメッセージ送信方法では、ＣＵにより送信されたＳＲＢのメッセージタイプおよび端末デバイス識別子情報を受信した後、ＤＵは、ＳＲＢのメッセージタイプおよび端末デバイス識別子情報に基づいて、端末デバイス識別子情報に対応する端末デバイスにメッセージを送信し得る。
【０１７１】
図３は、本出願による無線リソース制御ＲＲＣメッセージ送信方法の実施形態２の概略フローチャートである。本出願のこの実施形態は、無線リソース制御ＲＲＣメッセージ送信方法を提供する。この方法は、無線リソース制御ＲＲＣメッセージ送信方法を行う任意の装置によって行われ得る。装置は、ソフトウェアおよび／またはハードウェアによって実装され得る。この実施形態では、装置はＤＵに組み込まれ得る。図３に示されるように、この実施形態の方法は以下のステップを含み得る。
【０１７２】
ステップ３０１：ＤＵは、ＣＵにより送信されたＲＲＣメッセージを、ユーザプレーントンネルを介して受信する。
【０１７３】
ステップ３０２：ＤＵは、ユーザプレーントンネルに対応する端末にＲＲＣメッセージを送信する。
【０１７４】
本出願において、ＳＣＴＰ制御プレーンプロトコルがＵＥ−レベルシグナリング伝送で使用され得る。ＣＵは、ＤＵに対してＳＲＢ識別子情報および端末デバイス識別子情報を指定する必要がある。この実施形態の別の任意選択の実装では、ユーザプレーンにおけるトランスポート層プロトコル、すなわち、ユーザデータプロトコル（Ｕｓｅｒ  Ｄａｔａ  Ｐｒｏｔｏｃｏｌ、略してＵＤＰ）およびＧＰＲＳトンネリングプロトコル−ユーザプレーン（ＧＰＲＳ  Ｔｕｎｎｅｌｉｎｇ  Ｐｒｏｔｏｃｏｌ−Ｕｓｅｒ  Ｐｌａｎｅ、略してＧＴＰ−Ｕ）に従って、シグナリングが伝送され得る。ＣＵは、ＧＴＰ−Ｕトンネルを介してＲＲＣメッセージをＤＵに送信し得る。ＧＴＰ−Ｕは、トンネルエンドポイント識別子（Ｔｕｎｎｅｌ  Ｅｎｄｐｏｉｎｔ  ＩＤ、略してＴＥＩＤ）を搬送する。したがって、ＣＵは、ＳＲＢ識別子情報および端末デバイス識別子情報をＤＵに追加的に示す必要はない。このようにして、ＤＵは、ＴＥＩＤに基づいてＲＲＣメッセージをＵＥに正しく転送することができる。
【０１７５】
本出願のこの実施形態で提供された無線リソース制御ＲＲＣメッセージ送信方法では、ＤＵは、ＣＵにより送信されたＲＲＣメッセージを、ユーザプレーントンネルを介して受信し、ＲＲＣメッセージを送信する。ＧＴＰ−ＵがＴＥＩＤを搬送するので、ＤＵは、ＴＥＩＤに基づいてＲＲＣメッセージを送信し得る。このようにして、ＤＵは、シグナリングを正しく転送し得る。
【０１７６】
任意選択で、ＤＵによって、ＣＵにより送信されたＲＲＣメッセージを受信するステップの前に、この方法は、ＤＵによって、ＣＵにより送信されたベアラセットアップ要求メッセージを受信するステップと、ＤＵによって、ベアラセットアップ要求メッセージに基づいてＤＵとＣＵの間のユーザプレーントンネルを確立するステップとをさらに含む。
【０１７７】
具体的には、ＣＵがＲＲＣメッセージをＤＵに送信する前に、ＣＵとＤＵの間のユーザプレーントンネルがまず確立される必要がある。特定の実装中に、様々なユーザプレーントンネルが様々なＳＲＢタイプに基づいて確立され得る。ユーザプレーントンネルが確立された後、ＣＵは、ユーザプレーントンネルを介してＲＲＣメッセージをＤＵに送信する。
【０１７８】
また、ユーザプレーントンネルのセットアップ中に、ＲＲＣメッセージがデータから区別される。特定の実装中に、ＣＵによりＤＵに送信されたベアラセットアップ要求メッセージはＴＥＩＤを含むので、ＤＵは、ＴＥＩＤを使用することによって、データからＲＲＣメッセージのＳＲＢタイプを区別することができる。ＳＲＢタイプは、たとえば、ＳＲＢ１およびＳＲＢ２であり得る。ＳＲＢタイプがデータから区別された後、シグナリングの優先度（priority）を確保するために様々な方式が使用される。データの優先度がサービス品質（Ｑｕａｌｉｔｙ  ｏｆ  Ｓｅｒｖｉｃｅ、略してＱｏＳ）パラメータを使用することによって確保されることを、当業者は理解し得る。この実施形態では、ＲＲＣメッセージの優先度が、次の方式、すなわち、差別化サービスコードポイント（Ｄｉｆｆｅｒｅｎｔｉａｔｅｄ  Ｓｅｒｖｉｃｅｓ  Ｃｏｄｅ  Ｐｏｉｎｔ、略してＤＳＣＰ）で定義された伝送優先度を再使用する、またはＤＳＣＰにおける未使用フィードの優先度を再定義することで定義され得る。図４は、ＤＳＣＰプレシデンスおよびＩＰプレシデンスのビットの概略図である。図４に示されるように、サービスタイプ（Ｔｙｐｅ  Ｏｆ  Ｓｅｒｖｉｃｅ、略してＴＯＳ）の最初の６ビットがＤＳＣＰとして定義され、最後の２ビットは予約されている。このようにして、ＤＳＣＰは６４レベルを定義し得る。現在のところ、２０ほどのレベルのみが使用されている。定義されていないフィールドが、ＲＲＣメッセージの伝送優先度を定義するために使用され得る。
【０１７９】
ＤＳＣＰ値は、２つの表現方式、すなわち、デジタル形式およびキーワード形式を有する。デジタル形式が使用されるとき、６ビットがＤＳＣＰに使用され、１０進数での区間は０から６３である。したがって、６４レベル（優先度）が定義され得る。たとえば、２進数のＤＳＣＰ値００００００は、１０進数のＤＳＣＰ値０に等しく、２進数のＤＳＣＰ値０１００１０は、１０進数のＤＳＣＰ値１８に等しい。また、キーワード形式のＤＳＣＰ値は、ホップ単位動作（Ｐｅｒ−Ｈｏｐ  Ｂｅｈａｖｉｏｒ、略してＰＨＢ）と呼ばれる。現在のところ、３つのタイプのＰＨＢ、すなわち、ベストエフォートサービス（Ｂｅｓｔ  Ｅｆｆｏｒｔ  Ｓｅｒｖｉｃｅ、略してＢＥサービス）、相対的優先転送（Ａｓｓｕｒｅｄ  Ｆｏｒｗａｒｄｉｎｇ、略してＡＦ）、および完全優先転送（Ｅｘｐｅｄｉｔｅｄ  ｆｏｒｗａｒｄｉｎｇ、略してＥＦ）が定義されている。ＤＳＣＰプレシデンスとＩＰプレシデンスの共存が整合性の問題を引き起こす。加えて、ＤＳＣＰは比較的低い可読性を有する。したがって、ＤＳＣＰはさらに分類される。合計４クラスのＤＳＣＰ、すなわち、クラスセレクタ（Ｃｌａｓｓ  Ｓｅｌｅｃｔｏｒ、略してＣＳ）ａａａ  ０００、ＥＦ  １０１  １１０、ＡＦ  ａａａ  ｂｂ０、およびデフォルト０００  ０００が存在する。また、ＣＳ６およびＣＳ７が、デフォルトでプロトコルパケットに使用され、これらのパケットの受信の失敗は、プロトコル中断を引き起こすものであり、これらのパケットは、ほとんどのベンダのハードウェアキューにおいて最も高い優先度を有するパケットである。ＥＦは、音声トラフィックを搬送するために使用され、なぜならば、音声は低遅延、低ジッタ、低パケット損失率を必要とし、音声パケットはプロトコルパケットに次いで重要であるためである。ＡＦ４は、音声のシグナリングトラフィックを搬送するために使用される。ＡＦ３は、インターネットプロトコルテレビ（Ｉｎｔｅｒｎｅｔ  Ｐｒｏｔｏｃｏｌ  Ｔｅｌｅｖｉｓｉｏｎ、略してＩＰＴＶ）のライブトラフィックを搬送するために使用され得る。生放送の高リアルタイム性能は、継続性および保証された高スループットを必要とする。ＡＦ２は、ビデオオンデマンド（Ｖｉｄｅｏ  ｏｎ  Ｄｅｍａｎｄ、略してＶＯＤ）のトラフィックを搬送するために使用され得る。ＶＯＤは、生放送に必要とされるほど高いリアルタイム性能を必要とせず、待ち時間またはバッファリングを許容する。ＡＦ１は、比較的重要でない専用線サービスを搬送し得る。専用線サービスと異なり、ＩＰＴＶおよび音声サービスは、事業者の主要なサービスであり、最上位の優先度が与えられる必要がある。
【０１８０】
方法実施形態のステップの全部または一部が、関係付けられたハードウェアに命令するプログラムによって実装され得ることを、当業者は理解し得る。プログラムは、コンピュータ可読記憶媒体に記憶され得る。プログラムを実行したとき、方法実施形態のステップが行われる。上記の記憶媒体は、ＲＯＭ、ＲＡＭ、磁気ディスク、または光ディスクなどのプログラムコードを記憶することができる任意の媒体を含む。
【０１８１】
図５は、本出願の実施形態による無線リソース制御ＲＲＣメッセージ送信装置の実施形態１の概略構造図である。送信装置は、独立したＤＵであってよく、またはＤＵに統合された装置であってよい。装置は、ソフトウェア、ハードウェア、またはソフトウェアとハードウェアの組み合わせによって実装され得る。図５に示されるように、送信装置は、
中央ノードＣＵにより送信された無線リソース制御ＲＲＣメッセージおよびインジケーション情報を受信するように構成された受信モジュール１１と、
インジケーション情報に基づいてＲＲＣメッセージを送信するように構成された送信モジュール１２と
を含む。
【０１８２】
任意選択で、対応して、受信モジュール１１は受信端デバイスにおける受信機であってよく、送信モジュール１２は受信端デバイスにおける送信機であってよい。
【０１８３】
本出願のこの実施形態で提供された無線リソース制御ＲＲＣメッセージ送信装置は、ＣＵにより送信されたＲＲＣメッセージおよびインジケーション情報を受信し、インジケーション情報に基づいてＲＲＣメッセージを送信する。ＲＲＣメッセージおよびインジケーション情報を受信した後、無線リソース制御ＲＲＣメッセージ送信装置は、インジケーション情報に基づいてＲＲＣメッセージを送信してよく、そうすることで、装置はシグナリングを正しく転送することが可能である。
【０１８４】
任意選択で、インジケーション情報は、メッセージタイプおよびセル識別子を含み、メッセージタイプは、ＲＲＣメッセージのメッセージタイプを示すために使用され、
送信モジュール１２は、セル識別子およびメッセージタイプに基づいて、セル識別子に対応するセルにおいてＲＲＣメッセージをブロードキャストするようにさらに構成される。
【０１８５】
任意選択で、インジケーション情報は、ネットワーク標準インジケーション情報をさらに含み、ネットワーク標準インジケーション情報は、ＲＲＣメッセージが送信される無線アクセスネットワークの標準タイプを示すために使用される。
【０１８６】
任意選択で、インジケーション情報は、シグナリング無線ベアラＳＲＢ識別子情報および端末デバイス識別子情報を含み、
送信モジュール１２は、ＳＲＢ識別子情報および端末デバイス識別子情報に基づいて、ＲＲＣメッセージを、端末デバイス識別子情報に対応する端末デバイスに送信するようにさらに構成される。
【０１８７】
本出願のこの実施形態で提供された無線リソース制御ＲＲＣメッセージ送信装置は、上記の方法実施形態を実施し得る。それらの実装原理および技術的効果は同様である。詳細は本明細書では再度説明されない。
【０１８８】
図６は、本出願の実施形態による無線リソース制御ＲＲＣメッセージ送信装置の実施形態２の概略構造図である。送信装置は、独立したＤＵであってよく、またはＤＵに統合された装置であってよい。装置は、ソフトウェア、ハードウェア、またはソフトウェアとハードウェアの組み合わせによって実装され得る。図６に示されるように、無線リソース制御ＲＲＣメッセージ送信装置は、
中央ノードＣＵにより送信された無線リソース制御ＲＲＣメッセージを、ユーザプレーントンネルを介して受信するように構成された受信モジュール２１と、
ユーザプレーントンネルに対応する端末にＲＲＣメッセージを送信するように構成された送信モジュール２２と
を含む。
【０１８９】
本出願のこの実施形態で提供された無線リソース制御ＲＲＣメッセージ送信装置では、ＤＵは、ＣＵにより送信されたＲＲＣメッセージを、ユーザプレーントンネルを介して受信し、ＲＲＣメッセージを送信する。ＧＴＰ−ＵがＴＥＩＤを搬送するので、ＤＵは、ＴＥＩＤに基づいてＲＲＣメッセージを送信し得る。このようにして、ＤＵは、シグナリングを正しく転送し得る。
【０１９０】
図７は、本出願の実施形態による無線リソース制御ＲＲＣメッセージ送信装置の実施形態３の概略構造図である。前述の実施形態に基づいて、図７に示されるように、装置は確立モジュール２３をさらに含み、
受信モジュール２１は、ＣＵにより送信されたベアラセットアップ要求メッセージを受信するようにさらに構成され、
確立モジュール２３は、ベアラセットアップ要求メッセージに基づいて、ＤＵとＣＵの間のユーザプレーントンネルを確立するように構成される。
【０１９１】
本出願のこの実施形態で提供された無線リソース制御ＲＲＣメッセージ送信装置は、前述の方法実施形態を実施し得る。それらの実装原理および技術的効果は同様である。詳細は本明細書では再度説明されない。
【０１９２】
図８は、本出願の実施形態によるＤＵの実施形態１の概略構造図である。図８に示されるように、ＤＵは、送信機２０、プロセッサ２１、メモリ２２、および少なくとも１つの通信バス２３を含み得る。通信バス２３は、構成要素間の通信および接続を実装するように構成される。メモリ２２は、高速ＲＡＭメモリ２２を含んでよく、不揮発性メモリＮＶＭ、たとえば少なくとも１つの磁気ディスクメモリ２２をさらに含んでよい。メモリ２２は、種々の処理機能を実装し、この実施形態の方法ステップを実装するために、種々のプログラムを記憶し得る。加えて、ＤＵは、受信機２４をさらに含み得る。この実施形態における受信機２４は、通信機能および情報受信機能を有する対応する入力インターフェースであってよく、またはＤＵ上の無線周波数モジュールもしくはベースバンドモジュールであってよい。この実施形態における送信機２０は、通信機能および情報送信機能を有する対応する出力インターフェースであってよく、またはＤＵ上の無線周波数モジュールもしくはベースバンドモジュールであってよい。任意選択で、送信機２０および受信機２４は、１つの通信インターフェースに統合されてよく、または２つの独立した通信インターフェースであってよい。
【０１９３】
この実施形態では、受信機２４は、中央ノードＣＵにより送信された無線リソース制御ＲＲＣメッセージおよびインジケーション情報を受信するように構成され、
送信機２０は、インジケーション情報に基づいてＲＲＣメッセージを送信するように構成される。
【０１９４】
任意選択で、インジケーション情報は、メッセージタイプおよびセル識別子を含み、メッセージタイプは、ＲＲＣメッセージのメッセージタイプを示すために使用され、
送信機２０は、セル識別子およびメッセージタイプに基づいて、セル識別子に対応するセルにおいてＲＲＣメッセージをブロードキャストするようにさらに構成される。
【０１９５】
任意選択で、インジケーション情報は、ネットワーク標準インジケーション情報をさらに含み、ネットワーク標準インジケーション情報は、ＲＲＣメッセージが送信される無線アクセスネットワークの標準タイプを示すために使用される。
【０１９６】
任意選択で、インジケーション情報は、シグナリング無線ベアラＳＲＢ識別子情報および端末デバイス識別子情報を含み、
送信機２０は、ＳＲＢ識別子情報および端末デバイス識別子情報に基づいて、端末デバイス識別子情報に対応する端末デバイスにＲＲＣメッセージを送信するようにさらに構成される。
【０１９７】
本出願のこの実施形態で提供されたＤＵは、前述の方法実施形態を実施し得る。それらの実装原理および技術的効果は同じである。詳細は本明細書では再度説明されない。
【０１９８】
図９は、本出願の実施形態によるＤＵの実施形態２の概略構造図である。図９に示されるように、ＤＵは、送信機３０、プロセッサ３１、メモリ３２、および少なくとも１つの通信バス３３を含み得る。通信バス３３は、構成要素間の通信および接続を実装するように構成される。メモリ３２は、高速ＲＡＭメモリ３２を含んでよく、不揮発性メモリＮＶＭ、たとえば少なくとも１つの磁気ディスクメモリ３２をさらに含んでよい。メモリ３２は、種々の処理機能を実装し、この実施形態の方法ステップを実装するために、種々のプログラムを記憶し得る。加えて、ＤＵは、受信機３４をさらに含み得る。この実施形態における受信機３４は、通信機能および情報受信機能を有する対応する入力インターフェースであってよく、またはＤＵ上の無線周波数モジュールもしくはベースバンドモジュールであってよい。この実施形態における送信機３０は、通信機能および情報送信機能を有する対応する出力インターフェースであってよく、またはＤＵ上の無線周波数モジュールもしくはベースバンドモジュールであってよい。任意選択で、送信機３０および受信機３４は、１つの通信インターフェースに統合されてよく、または２つの独立した通信インターフェースであってよい。
【０１９９】
この実施形態では、受信機３４は、中央ノードＣＵにより送信された無線リソース制御ＲＲＣメッセージを、ユーザプレーントンネルを介して受信するように構成され、
送信機３０は、ユーザプレーントンネルに対応する端末にＲＲＣメッセージを送信するように構成される。
【０２００】
任意選択で、受信機３４は、ＣＵにより送信されたベアラセットアップ要求メッセージを受信するようにさらに構成され、
プロセッサ３１は、ベアラセットアップ要求メッセージに基づいて、ＤＵとＣＵの間のユーザプレーントンネルを確立するように構成される。
【０２０１】
本出願のこの実施形態で提供されたＤＵは、前述の方法実施形態を実施し得る。それらの実装原理および技術的効果は同様である。詳細は本明細書では再度説明されない。
【０２０２】
本出願の実施形態は、ノードをさらに提供する。ノードは、たとえば、前述のメッセージ送信方法を実装するように構成される。任意選択で、ノードはＤＵであり得る。
【０２０３】
任意選択の設計において、ノードは、プロセッサ、トランシーバ、および通信回路を含む。プロセッサは、通信回路を使用することによって、中央ノードＣＵから第１のメッセージおよびインジケーション情報を受信し、インジケーション情報に基づいて第１のメッセージを送信するように構成される。
【０２０４】
別の任意選択の設計では、ノードは、プロセッサおよびメモリを含む。メモリは、たとえば前述のメッセージ送信方法を実装するためのプログラムを記憶するように構成される。プロセッサは、前述のプログラムを実行して前述のメッセージ送信方法などの方法を実装するように構成される。
【０２０５】
どのようにノードがメッセージを送信するかについては、たとえば前述のメッセージ送信方法の内容を参照されたい。
【０２０６】
第４の態様によれば、本出願の実施形態は、さらに別のノードを提供する。ノードは、たとえば、前述のメッセージ送信方法を実装するように構成される。任意選択で、ノードはＣＵであり得る。
【０２０７】
任意選択の設計において、ノードは、プロセッサおよび通信回路を含む。プロセッサは、第１のメッセージに関連付けられたインジケーション情報を取得するように構成される。インジケーション情報は、第１のメッセージを送信するために使用される。プロセッサは、通信回路を使用することによって、第１のメッセージおよびインジケーション情報を、分散されたノードＤＵに送信する。
【０２０８】
別の任意選択の設計では、ノードは、プロセッサおよびメモリを含む。メモリは、前述のメッセージ送信方法を実装するためのプログラムを記憶するように構成される。プロセッサは、前述のプログラムを実行して前述のメッセージ送信方法を実装するように構成される。
【０２０９】
どのようにノードがメッセージを送信するかについては、前述のメッセージ送信方法の内容を参照されたい。
【０２１０】
本出願の実施形態は、前述の２つのノードを含む通信システムをさらに提供する。
【０２１１】
本出願の実施形態は、コンピュータプログラム製品をさらに提供する。プログラム製品は、前述のメッセージ送信方法を実装するために使用されるプログラムを含む。
【０２１２】
本出願の実施形態は、コンピュータ可読記憶媒体をさらに提供する。媒体は、前述のプログラムを記憶する。
【０２１３】
本出願は、以下の実施形態をさらに提供する。以下の実施形態のシーケンス番号は必ずしも厳密に実行されないことに留意されたい。
【０２１４】
実施形態１：
分散されたノードＤＵによって、中央ノードＣＵから第１のメッセージおよびインジケーション情報を受信するステップと、
ＤＵによって、インジケーション情報に基づいて第１のメッセージを送信するステップと
を含むメッセージ送信方法。
【０２１５】
実施形態２：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のスケジューリング情報に関連付けられ、
ＤＵによって、インジケーション情報に基づいて第１のメッセージを送信するステップは、
ＤＵによって、第１のメッセージタイプおよび第１のスケジューリング情報に基づいて、第１のメッセージを送信するステップである実施形態１に記載の方法。
【０２１６】
実施形態３：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
ＤＵによって、インジケーション情報に基づいて第１のメッセージを送信するステップは、
ＤＵによって、第１のメッセージタイプおよび第１のスケジューリング情報に基づいて、第１のメッセージを送信するステップであり、
上記方法は、
ＤＵによって、ＣＵから、第２のメッセージ、および第２のメッセージの第２のメッセージタイプを受信するステップであって、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含む、ステップと、
ＤＵによって、第２のメッセージタイプ、および第２のメッセージタイプに関連付けられた第２のスケジューリング情報に基づいて、第２のメッセージを送信するステップと
をさらに含む実施形態１に記載の方法。
【０２１７】
実施形態４：
ＤＵによって、１つまたは複数の端末から第１の要求メッセージを受信するステップであって、第１の要求メッセージは、第１のメッセージタイプを含む、ステップと、
ＤＵによって、第２の要求メッセージをＣＵに送信するステップであって、第２の要求メッセージは、第１のメッセージタイプを含む、ステップと
をさらに含む実施形態３に記載の方法。
【０２１８】
実施形態５：
第１の要求メッセージの量は閾値条件を満たす実施形態４に記載の方法。
【０２１９】
実施形態６：
ＤＵによって、ＣＵから閾値条件を受信するステップをさらに含む実施形態５に記載の方法。
【０２２０】
実施形態７：
インジケーション情報は、セル識別子またはネットワーク標準をさらに含み、
ＤＵによって、第１のメッセージタイプおよび第１のスケジューリング情報に基づいて、第１のメッセージを送信するステップは、
ＤＵによって、第１のメッセージタイプおよび第１のスケジューリング情報に基づいて、セル識別子に対応するセルにおいて第１のメッセージを送信するステップ、または
ＤＵによって、第１のメッセージタイプおよび第１のスケジューリング情報に基づいて、およびネットワーク標準に対応するワイヤレス技術を使用することによって、第１のメッセージを送信するステップである実施形態２乃至６のいずれか一項に記載の方法。
【０２２１】
実施形態８：
第１のスケジューリング情報は、有効性情報、スケジューリング期間、またはスケジューリングウィンドウを含む実施形態２乃至７のいずれか一項に記載の方法。
【０２２２】
実施形態９：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージであり、
ＤＵによって、インジケーション情報に基づいて第１のメッセージを送信するステップは、
ＤＵによって、第１のメッセージタイプおよび端末識別子に基づいて、第１のメッセージを送信するステップである実施形態１に記載の方法。
【０２２３】
実施形態１０：
ＤＵによって、トンネルのセットアップ要求メッセージをＣＵに送信するステップであって、セットアップ要求メッセージは、第１のメッセージタイプの第１のメッセージ、および端末識別子を含む、ステップをさらに含み、
インジケーション情報は、トンネルの識別子を含み、
ＤＵによって、インジケーション情報に基づいて第１のメッセージを送信するステップは、
ＤＵによって、第１のメッセージタイプおよび端末識別子に基づいて、第１のメッセージを送信するステップである実施形態１に記載の方法。
【０２２４】
実施形態１１：
ＤＵによって、トンネルのセットアップ要求メッセージをＣＵに送信するステップであって、セットアップ要求メッセージは、端末識別子を含む、ステップをさらに含み、
インジケーション情報は、トンネルの識別子、および第１のメッセージの第１のメッセージタイプを含み、
ＤＵによって、インジケーション情報に基づいて第１のメッセージを送信するステップは、
ＤＵによって、第１のメッセージタイプおよび端末識別子に基づいて、第１のメッセージを送信するステップである実施形態１に記載の方法。
【０２２５】
実施形態１２：
インジケーション情報は、セル識別子またはネットワーク標準をさらに含み、
ＤＵによって、第１のメッセージタイプおよび端末識別子に基づいて、第１のメッセージを送信するステップは、
ＤＵによって、第１のメッセージタイプおよび端末識別子に基づいて、セル識別子に対応するセルにおいて第１のメッセージを送信するステップ、または
ＤＵによって、第１のメッセージタイプおよび端末識別子に基づいて、およびネットワーク標準に対応するワイヤレス技術を使用することによって、第１のメッセージを送信するステップである実施形態９乃至１１のいずれか一項に記載の方法。
【０２２６】
実施形態１３：
中央ノードＣＵによって、第１のメッセージに関連付けられたインジケーション情報を取得するステップであって、インジケーション情報は、第１のメッセージを送信するために使用される、ステップと、
ＣＵによって、第１のメッセージおよびインジケーション情報を、分散されたノードＤＵに送信するステップと
を含むメッセージ送信方法。
【０２２７】
実施形態１４：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のメッセージの第１のスケジューリング情報に関連付けられる実施形態１３に記載の方法。
【０２２８】
実施形態１５：
ＣＵによって、第１のスケジューリング情報をＤＵに送信するステップをさらに含む実施形態１４に記載の方法。
【０２２９】
実施形態１６：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
上記方法は、
ＣＵによって、第２のメッセージ、および第２のメッセージの第２のメッセージタイプを、ＤＵに送信するステップであって、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含む、ステップをさらに含む実施形態１４または１５に記載の方法。
【０２３０】
実施形態１７：
ＣＵによって、ＤＵから第２の要求メッセージを受信するステップであって、第２の要求メッセージは、第１のメッセージタイプを含む、ステップをさらに含む実施形態１６に記載の方法。
【０２３１】
実施形態１８：
ＣＵによって、第２の要求メッセージに関連付けられた閾値条件をＤＵに送信するステップをさらに含む実施形態１７に記載の方法。
【０２３２】
実施形態１９：
第１のスケジューリング情報は、有効性情報、スケジューリング情報、またはスケジューリングウィンドウを含む実施形態１４乃至１８のいずれか一項に記載の方法。
【０２３３】
実施形態２０：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージである実施形態１３に記載の方法。
【０２３４】
実施形態２１：
ＣＵによって、ＤＵからトンネルのセットアップ要求メッセージを受信するステップであって、セットアップ要求メッセージは、第１のメッセージの第１のメッセージタイプ、および端末識別子を含む、ステップをさらに含み、
インジケーション情報は、トンネルの識別子を含む実施形態１３に記載の方法。
【０２３５】
実施形態２２：
ＣＵによって、ＤＵからトンネルのセットアップ要求メッセージを受信するステップであって、セットアップ要求メッセージは、端末識別子を含む、ステップをさらに含み、
インジケーション情報は、トンネルの識別子、および第１のメッセージの第１のメッセージタイプを含む実施形態１３に記載の方法。
【０２３６】
実施形態２３：
インジケーション情報は、セル識別子またはネットワーク標準をさらに含む実施形態２０乃至２２のいずれか一項に記載の方法。
【０２３７】
実施形態２４：
プロセッサと、通信回路と、トランシーバとを含むノードであって、
プロセッサは、通信回路を使用することによって、中央ノードＣＵから第１のメッセージおよびインジケーション情報を受信し、インジケーション情報に基づいて第１のメッセージを送信するように構成される、ノード。
【０２３８】
実施形態２５：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のスケジューリング情報に関連付けられ、
プロセッサは、トランシーバを使用することによって、第１のメッセージタイプおよび第１のスケジューリング情報に基づいて、第１のメッセージを送信するように構成される実施形態２４に記載のノード。
【０２３９】
実施形態２６：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
プロセッサは、トランシーバを使用することによって、第１のメッセージタイプおよび第１のスケジューリング情報に基づいて、第１のメッセージを送信するように構成され、
プロセッサは、通信回路を使用することによって、第２のメッセージ、および第２のメッセージの第２のメッセージタイプを受信するようにさらに構成され、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含み、
プロセッサは、トランシーバを使用することによって、第２のメッセージタイプ、および第２のメッセージタイプに関連付けられた第２のスケジューリング情報に基づいて、第２のメッセージを送信するようにさらに構成される実施形態２４に記載のノード。
【０２４０】
実施形態２７：
プロセッサは、トランシーバを使用することによって、１つまたは複数の端末から第１の要求メッセージを受信するようにさらに構成され、第１の要求メッセージは、第１のメッセージタイプを含み、
プロセッサは、通信回路を使用することによって、第２の要求メッセージをＣＵに送信するようにさらに構成され、第２の要求メッセージは、第１のメッセージタイプを含む実施形態２６に記載のノード。
【０２４１】
実施形態２８：
第１の要求メッセージの量は閾値条件を満たす。実施形態２７に記載のノード。
【０２４２】
実施形態２９：
プロセッサは、通信回路を使用することによって、ＣＵから閾値条件を受信するようにさらに構成される実施形態２８に記載のノード。
【０２４３】
実施形態３０：
インジケーション情報は、セル識別子またはネットワーク標準をさらに含み、
プロセッサは、トランシーバを使用することによって、第１のメッセージタイプおよび第１のスケジューリング情報に基づいて、セル識別子に対応するセルにおいて第１のメッセージを送信し、または、トランシーバを使用することによって、第１のメッセージタイプおよび第１のスケジューリング情報に基づいて、およびネットワーク標準に対応するワイヤレス技術を使用することによって、第１のメッセージを送信するように構成される実施形態２５乃至２９のいずれか一項に記載のノード。
【０２４４】
実施形態３１：
第１のスケジューリング情報は、有効性情報、スケジューリング期間、またはスケジューリングウィンドウを含む実施形態２５乃至３０のいずれか一項に記載のノード。
実施形態３２：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージであり、
プロセッサは、トランシーバ使用することによって、第１のメッセージタイプおよび端末識別子に基づいて、第１のメッセージを送信するように構成される実施形態２４に記載のノード。
【０２４５】
実施形態３３：
プロセッサは、通信回路を使用することによって、トンネルのセットアップ要求メッセージをＣＵに送信するようにさらに構成され、セットアップ要求メッセージは、第１のメッセージの第１のメッセージタイプ、および端末識別子を含み、
インジケーション情報は、トンネルの識別子を含み、
プロセッサは、トランシーバを使用することによって、第１のメッセージタイプおよび端末識別子に基づいて、第１のメッセージを送信するように構成される実施形態２４に記載のノード。
【０２４６】
実施形態３４：
プロセッサは、通信回路を使用することによって、トンネルのセットアップ要求メッセージをＣＵに送信するようにさらに構成され、セットアップ要求メッセージは、第１のメッセージの第１のメッセージタイプ、および端末識別子を含み、
インジケーション情報は、トンネルの識別子を含み、
プロセッサは、トランシーバを使用することによって、第１のメッセージタイプおよび端末識別子に基づいて、第１のメッセージを送信するように構成される実施形態２４に記載のノード。
【０２４７】
実施形態３５：
インジケーション情報は、セル識別子またはネットワーク標準をさらに含み、
プロセッサは、トランシーバを使用することによって、第１のメッセージタイプおよび端末識別子に基づいて、セル識別子に対応するセルにおいて第１のメッセージを送信し、または、トランシーバを使用することによって、第１のメッセージタイプおよび端末識別子に基づいて、およびネットワーク標準に対応するワイヤレス技術を使用することによって、第１のメッセージを送信するように構成される実施形態３２乃至３４のいずれか一項に記載のノード。
【０２４８】
実施形態３６：
プロセッサと、通信回路とを含むノードであって、
プロセッサは、第１のメッセージに関連付けられたインジケーション情報を取得するように構成され、インジケーション情報は、第１のメッセージを送信するために使用され、
プロセッサは、通信回路を使用することによって、第１のメッセージおよびインジケーション情報を、分散されたノードＤＵに送信する、ノード。
【０２４９】
実施形態３７：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のメッセージの第１のスケジューリング情報に関連付けられる実施形態３６に記載のノード。
【０２５０】
実施形態３８：
プロセッサは、通信回路を使用することによって、第１のスケジューリング情報をＤＵに送信するようにさらに構成される実施形態３７に記載のノード。
【０２５１】
実施形態３９：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
プロセッサは、通信回路を使用することによって、第２のメッセージ、および第２のメッセージの第２のメッセージタイプを、ＤＵに送信するようにさらに構成され、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含む実施形態３６または３７に記載のノード。
【０２５２】
実施形態４０：
プロセッサは、通信回路を使用することによって、ＤＵから第２の要求メッセージを受信するようにさらに構成され、第２の要求メッセージは、第１のメッセージタイプを含む実施形態３９に記載のノード。
【０２５３】
実施形態４１：
プロセッサは、通信回路を使用することによって、第２の要求メッセージに関連付けられた閾値条件をＤＵに送信するようにさらに構成される実施形態４０に記載のノード。
【０２５４】
実施形態４２：
第１のスケジューリング情報は、有効性情報、スケジューリング情報、またはスケジューリングウィンドウを含む実施形態３７乃至４１のいずれか一項に記載のノード。
【０２５５】
実施形態４３：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージである実施形態３６に記載のノード。
【０２５６】
実施形態４４：
プロセッサは、通信回路を使用することによって、ＤＵからトンネルのセットアップ要求メッセージを受信するようにさらに構成され、セットアップ要求メッセージは、第１のメッセージの第１のメッセージタイプ、および端末識別子を含み、
インジケーション情報は、トンネルの識別子を含む実施形態３６に記載のノード。
【０２５７】
実施形態４５：
プロセッサは、通信回路を使用することによって、ＤＵからトンネルのセットアップ要求メッセージを受信するようにさらに構成され、セットアップ要求メッセージは、端末識別子を含み、
インジケーション情報は、トンネルの識別子、および第１のメッセージの第１のメッセージタイプを含む実施形態３６に記載のノード。
【０２５８】
実施形態４６：
インジケーション情報は、セル識別子またはネットワーク標準をさらに含む実施形態４３乃至４５のいずれか一項に記載のノード。
【０２５９】
本出願で提供されたいくつかの実施形態において、開示された装置および方法は他の方式で実施され得ることは理解されたい。たとえば、説明された装置実施形態は単に例である。たとえば、ユニット分割は、単に論理機能分割であり、実際の実装では他の分割であってよい。たとえば、複数のユニットまたは構成要素が他のシステムに組み合わされもしくは統合されてよく、またはいくつかの特徴が無視されてよくもしくは実施されなくてよい。さらに、表示されまたは論じられた相互結合または直接結合または通信接続は、いくつかのインターフェースを使用することによって実装され得る。装置またはユニット間の間接結合または通信接続は、電子的、機械的、または他の形態で実施され得る。
【０２６０】
別々の部分として説明されたユニットは、物理的に分離してよくもしくは分離しなくてよく、ユニットとして表示された部分は、物理的ユニットであってよくもしくは物理的ユニットでなくてよく、１つの位置に配置されてよく、または複数のネットワークユニット上に分散されてよい。ユニットの一部または全部は、実施形態の解決策の目的を達成するための実際の要件に基づいて選択され得る。
【０２６１】
さらに、本出願の実施形態における機能ユニットは、１つの処理ユニットに統合されてよく、またはユニットの各々が物理的に単体で存在してよく、または２つ以上のユニットが１つのユニットに統合される。統合されたユニットは、ハードウェアの形態で実装されてよく、またはソフトウェア機能ユニットに加えてハードウェアの形態で実装されてよい。
【０２６２】
前述の統合されたユニットがソフトウェア機能ユニットの形態で実装されたとき、統合されたユニットは、コンピュータ可読記憶媒体に記憶され得る。ソフトウェア機能ユニットは、記憶媒体に記憶され、本出願の実施形態で説明された方法のステップのいくつかを行うようにコンピュータデバイス（パーソナルコンピュータ、サーバ、もしくはネットワークデバイスなどであり得る）またはプロセッサに命令するためのいくつかの命令を含む。前述の記憶媒体は、プログラムコードを記憶できる任意の媒体、たとえば、ＵＳＢフラッシュドライブ、リムーバブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ−ａｃｃｅｓｓ  Ｍｅｍｏｒｙ、ＲＡＭ）、磁気ディスク、または光ディスクなどを含む。
【０２６３】
便利で簡単な説明を目的として、前述の機能モジュールの分割が例示のための例として使用されていることは、当業者によって明確に理解され得る。実際の適用では、前述の機能は、要件に応じて異なる機能モジュールに割り当てられ実装されることが可能であり、言い換えれば、装置の内部構成が異なる機能モジュールに分割されて、上述された機能の全部または一部を実装する。前述の装置の詳細な動作処理については、前述の方法実施形態における対応する処理に対して参照が行われてよく、詳細は本明細書では再度説明されない。
【０２６４】
本明細書における第１、第２、および種々の番号は、本出願の実施形態の範囲を限定するのではなく、単に説明を容易にするための区別のために使用されていることは、当業者には理解されるべきである。
【０２６５】
前述の処理のシーケンス番号が本出願の種々の実施形態における実行シーケンスを意味しないことは、当業者には理解し得る。処理の実行シーケンスは、処理の機能および内部論理に従って決定されるべきであり、本出願の実施形態の実装処理に対しいかなる限定としても解釈されるべきではない。
【０２６６】
前述の実施形態の全部または一部は、ソフトウェア、ハードウェア、ファームウェア、またはこれらの任意の組み合わせを使用することによって実装され得る。ソフトウェアが実施形態を実装するために使用されたとき、実施形態は、コンピュータプログラム製品の形態で完全にまたは部分的に実装され得る。コンピュータプログラム製品は、１つまたは複数のコンピュータ命令を含む。コンピュータプログラム命令がロードされコンピュータ上で実行されたとき、本出願の実施形態による手順または機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体に記憶されてよく、またはコンピュータ可読記憶媒体から別のコンピュータ可読記憶媒体に伝送されてよい。たとえば、コンピュータ命令は、有線（たとえば、同軸ケーブル、光ファイバ、もしくはデジタル加入者線（ＤＳＬ））またはワイヤレス（たとえば、赤外線、無線、およびマイクロ波）方式で、ウェブサイト、コンピュータ、サーバ、またはデータセンタから他のウェブサイト、コンピュータ、サーバ、またはデータセンタに伝送され得る。コンピュータ可読記憶媒体は、コンピュータによってアクセス可能な任意の使用可能媒体、または１つもしくは複数の使用可能媒体を統合するサーバまたはデータセンタなどのデータ記憶デバイスであり得る。使用可能媒体は、磁気媒体（たとえば、フロッピーディスク、ハードディスク、もしくは磁気テープ）、光媒体（たとえば、ＤＶＤ）、または半導体媒体（たとえば、ソリッドステートディスク（Solid State Disk：ＳＳＤ））などであり得る。
【図１】
2019533355.tif 000006
【図２】
2019533355.tif 000007
【図３】
2019533355.tif 000008
【図４】
2019533355.tif 000009
【図５】
2019533355.tif 000010
【図６】
2019533355.tif 000011
【図７】
2019533355.tif 000012
【図８】
2019533355.tif 000013
【図９】
2019533355.tif 000014
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
分散されたノード（ＤＵ）によって、中央ノード（ＣＵ）から第１のメッセージおよびインジケーション情報を受信するステップであって、前記インジケーション情報は、前記第１のメッセージに対応するシグナリング無線ベアラ（ＳＲＢ）識別子および端末識別子を含む、ステップと、
前記ＤＵによって、前記ＳＲＢ識別子および前記端末識別子に基づいて、前記第１のメッセージを送信するステップと
を含むメッセージ送信方法。
【請求項２】
前記ＳＲＢ識別子は、ＳＲＢ０、ＳＲＢ１、ＳＲＢ２、またはＳＲＢ３である請求項１に記載の方法。
【請求項３】
分散されたノードＤＵによって、中央ノードＣＵから第１のメッセージおよびインジケーション情報を受信する前記ステップは、
前記ＤＵによって、ＣＵ−ＤＵ制御プレーンプロトコルに従って、前記ＣＵから前記第１のメッセージおよび前記インジケーション情報を受信するステップである請求項１または２に記載の方法。
【請求項４】
前記第１のメッセージは、無線リソース制御ＲＲＣメッセージである請求項１乃至３のいずれか一項に記載の方法。
【請求項５】
中央ノード（ＣＵ）によって、第１のメッセージに関連付けられたインジケーション情報を取得するステップであって、前記インジケーション情報は、前記第１のメッセージを送信するために使用され、前記インジケーション情報は、前記第１のメッセージに対応するシグナリング無線ベアラ（ＳＲＢ）識別子および端末識別子を含む、ステップと、
前記ＣＵによって、前記第１のメッセージおよび前記インジケーション情報を、分散されたノード（ＤＵ）に送信するステップと
を含むメッセージ送信方法。
【請求項６】
前記ＳＲＢ識別子は、ＳＲＢ０、ＳＲＢ１、ＳＲＢ２、またはＳＲＢ３である請求項５に記載の方法。
【請求項７】
前記ＣＵによって、前記第１のメッセージおよび前記インジケーション情報を、分散されたノードＤＵに送信する前記ステップは、
前記ＣＵによって、ＣＵ−ＤＵ制御プレーンプロトコルに従って、前記第１のメッセージおよび前記インジケーション情報を前記ＤＵに送信するステップを含む請求項５または６に記載の方法。
【請求項８】
前記第１のメッセージは、無線リソース制御ＲＲＣメッセージである請求項５乃至７のいずれか一項に記載の方法。
【請求項９】
プロセッサと、通信回路と、トランシーバとを備えるノードであって、前記プロセッサは、
前記通信回路を使用することによって、中央ノード（ＣＵ）から第１のメッセージおよびインジケーション情報を受信し、前記インジケーション情報は、前記第１のメッセージに対応するシグナリング無線ベアラ（ＳＲＢ）識別子および端末識別子を含み、
前記ＳＲＢ識別子および前記端末識別子に基づいて、前記第１のメッセージを送信するように構成される、ノード。
【請求項１０】
前記ＳＲＢ識別子は、ＳＲＢ０、ＳＲＢ１、ＳＲＢ２、またはＳＲＢ３である請求項９に記載のノード。
【請求項１１】
前記プロセッサは、
前記通信回路を使用することによって、ＣＵ−ＤＵ制御プレーンプロトコルに従って、前記ＣＵから前記第１のメッセージおよび前記インジケーション情報を受信するように構成される請求項９または１０に記載のノード。
【請求項１２】
前記第１のメッセージは、無線リソース制御ＲＲＣメッセージである請求項９乃至１１のいずれか一項に記載のノード。
【請求項１３】
プロセッサと、通信回路とを備えるノードであって、
前記プロセッサは、
第１のメッセージに関連付けられたインジケーション情報を取得し、前記インジケーション情報は、前記第１のメッセージを送信するために使用され、前記インジケーション情報は、前記第１のメッセージに対応するシグナリング無線ベアラ（ＳＲＢ）識別子および端末識別子を含み、
前記通信回路を使用することによって、前記第１のメッセージおよび前記インジケーション情報を、分散されたノード（ＤＵ）に送信するように構成される、ノード。
【請求項１４】
前記ＳＲＢ識別子は、ＳＲＢ０、ＳＲＢ１、ＳＲＢ２、またはＳＲＢ３である請求項１３に記載のノード。
【請求項１５】
前記プロセッサは、前記通信回路を使用することによって、ＣＵ−ＤＵ制御プレーンプロトコルに従って、前記第１のメッセージおよび前記インジケーション情報を前記ＤＵに送信するように構成される請求項１３または１４に記載のノード。
【請求項１６】
前記第１のメッセージは、無線リソース制御ＲＲＣメッセージである請求項１３乃至１５のいずれか一項に記載のノード。
【請求項１７】
無線アクセスネットワークのノードに適用されるシステムチップであって、前記システムチップはプロセッサを含み、前記プロセッサは、請求項１から８のいずれか一項に記載の方法で前記ノードの動作を実行するための命令を呼び出すように構成される、システムチップ。
【請求項１８】
無線アクセスネットワークのノードに適用されるコンピュータプログラムであって、請求項１から８のいずれか一項に記載の方法において前記ノードの動作を実行するために実行される命令を含む、コンピュータプログラム。
【請求項１９】
無線アクセスネットワークのノードに適用されるコンピュータ可読記憶媒体であって、命令を記憶し、前記命令は、請求項１から８のいずれか一項に記載の方法でノードの動作を実行するために実行される、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本出願の実施形態は、コンピュータ技術に関し、特にメッセージ送信方法および装置に関する。
【背景技術】
【０００２】
本出願は、２０１６年９月２３日に中国特許庁に出願された「ＭＥＴＨＯＤ  ＡＮＤ  ＡＰＰＡＲＡＴＵＳ  ＦＯＲ  ＲＡＤＩＯ  ＲＥＳＯＵＲＣＥ  ＣＯＮＴＲＯＬ  ＲＲＣ  ＭＥＳＳＡＧＥ  ＳＥＮＤＩＮＧ」という名称の中国特許出願第２０１６１０８４９０００．８号、および２０１７年３月２４日に中国特許庁に出願された「ＭＥＴＨＯＤ  ＡＮＤ  ＡＰＰＡＲＡＴＵＳ  ＦＯＲ  ＭＥＳＳＡＧＥ  ＳＥＮＤＩＮＧ」という名称の中国特許出願第２０１７１０１８２０５４．８号の優先権を主張するものであり、それらは、参照によりそれら全体が本明細書に組み込まれている。
【０００３】
クラウド無線アクセスネットワーク（Ｃｌｏｕｄ  Ｒａｄｉｏ  Ａｃｃｅｓｓ  Ｎｅｔｗｏｒｋ、略してＣＲＡＮ）は、より少数のビルディングベースバンドユニット（Ｂｕｉｌｄｉｎｇ  Ｂａｓｅｂａｎｄ  Ｕｎｉｔ、略してＢＢＵ）、ＢＢＵリソースプールの共有利得、異なる事業者間での宅内アクセスネットワーク（Ｒｅｓｉｄｅｎｔｉａｌ  Ａｃｃｅｓｓ  Ｎｅｔｗｏｒｋ、略してＲＡＮ）の共有のより良いサポート、および省電力などの利点を有する。したがって、第５世代モバイル通信技術（ｔｈｅ  ５ｔｈ  Ｇｅｎｅｒａｔｉｏｎ  ｍｏｂｉｌｅ  ｃｏｍｍｕｎｉｃａｔｉｏｎｓ  ｔｅｃｈｎｏｌｏｇｙ、略して５Ｇ）のＣＲＡＮに対して徹底的な研究が行われている。
【０００４】
ＣＲＡＮは、中央ノード（Ｃｅｎｔｒａｌ  Ｕｎｉｔ、略してＣＵ）および分散されたノード（Ｄｉｓｔｒｉｂｕｔｅｄ  Ｕｎｉｔ、略してＤＵ）を含む。１つのＣＵは、１つまたは複数のＤＵに接続され得る。図１は、プロトコル層において分割されたＣＵ−ＤＵの概略図である。図１に示されるように、現在の第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）標準は、ＣＲＡＮアーキテクチャにおいて図１に示される異なるＣＵ−ＤＵ機能で分割された解決策を提案している。現在のプロトコルスタックに基づいて、ＣＵおよびＤＵは、オプション（Ｏｐｔｉｏｎ）１、２、４、６、および８において、無線リソース制御（Ｒａｄｉｏ  Ｒｅｓｏｕｒｃｅ  Ｃｏｎｔｒｏｌ、略してＲＲＣ）層、パケットデータ収束プロトコル（Ｐａｃｋｅｔ  Ｄａｔａ  Ｃｏｎｖｅｒｇｅｎｃｅ  Ｐｒｏｔｏｃｏｌ、略してＰＤＣＰ）層、無線リンク制御（Ｒａｄｉｏ  Ｌｉｎｋ  Ｃｏｎｔｒｏｌ、略してＲＬＣ）層、メディアアクセス制御（Ｍｅｄｉａ  Ａｃｃｅｓｓ  Ｃｏｎｔｒｏｌ、略してＭＡＣ）層、および物理層（Ｐｈｙｓｉｃａｌ  Ｌａｙｅｒ、略してＰＨＹ）層で分割される。オプション（Ｏｐｔｉｏｎ）３、５、および７における分割解決策において、ＲＬＣ部分およびＲＬＣ層よりも高い層の機能、ＭＡＣ部分およびＭＡＣ層よりも高い層の機能、およびＰＨＹ層部分およびＰＨＹ層よりも高い層の機能は、ＣＵに割り振られる。
【０００５】
前述の分割方式では、ＲＲＣ層における機能はＣＵに配置される。ＲＲＣメッセージをどのように送信するかは、現在緊急に解決される必要がある技術的問題となっている。
【先行技術文献】
【非特許文献】
【０００６】
【非特許文献１】３ＧＰＰ  ｓｔａｎｄａｒｄ  ＴＳ  ３６．３００  ｖ１３．１．０，  Ｓｅｃｔｉｏｎｓ  ５  ａｎｄ  ６
【発明の概要】
【発明が解決しようとする課題】
【０００７】
本出願の実施形態は、ＲＲＣメッセージを送信するためのメッセージ送信方法および装置を提供する。加えて、本出願の解決策は、代替として、別の層におけるメッセージに適用され得る。
【課題を解決するための手段】
【０００８】
第１の態様によれば、本出願の実施形態は、
分散されたノード（ＤＵ）によって、中央ノード（ＣＵ）から第１のメッセージおよびインジケーション情報を受信するステップと、
ＤＵによって、インジケーション情報に基づいて第１のメッセージを送信するステップと
を含むメッセージ送信方法を提供する。
【０００９】
任意選択で、インジケーション情報は、第１のメッセージの第１のメッセージタイプを含む。第１のメッセージタイプは、マスタ情報ブロックメッセージ（master information block message）、システム情報ブロックタイプ１メッセージ（system information block type 1 message）、ページングメッセージ（paging message）、最小システム情報メッセージ（minimum system information message）、システム情報メッセージ（system information message）、または他システム情報メッセージ（other-system-information message）である。第１のメッセージタイプは、第１のスケジューリング情報に関連付けられる。ＤＵによって、インジケーション情報に基づいて第１のメッセージを送信するステップは、ＤＵによって、第１のメッセージタイプおよび第１のスケジューリング情報に基づいて、第１のメッセージを送信するステップである。任意選択で、第１のスケジューリング情報は、ＣＵによってＤＵに送信されてよく、または通信標準で規定されてよい。
【００１０】
任意選択で、インジケーション情報は、第１のメッセージの第１のスケジューリング情報、および第１のメッセージの第１のメッセージタイプを含む。第１のメッセージタイプは、システム情報メッセージまたは他システム情報メッセージである。ＤＵによって、インジケーション情報に基づいて第１のメッセージを送信するステップは、ＤＵによって、第１のメッセージタイプおよび第１のスケジューリング情報に基づいて、第１のメッセージを送信するステップである。この方法は、ＤＵによって、ＣＵから、第２のメッセージ、および第２のメッセージの第２のメッセージタイプを受信するステップであって、第２のメッセージタイプは、システム情報ブロックタイプ１メッセージまたは最小システム情報メッセージであり、第２のメッセージは、第１のスケジューリング情報を含む、ステップと、ＤＵによって、第２のメッセージタイプ、および第２のメッセージタイプに関連付けられた第２のスケジューリング情報に基づいて、第２のメッセージを送信するステップと
をさらに含む。
【００１１】
任意選択で、この方法は、ＤＵによって、１つまたは複数の端末から第１の要求メッセージを受信するステップであって、第１の要求メッセージは、第１のメッセージタイプを含む、ステップと、ＤＵによって、第２の要求メッセージをＣＵに送信するステップであって、第２の要求メッセージは、第１のメッセージタイプを含む、ステップとをさらに含む。
【００１２】
任意選択で、第１の要求メッセージの量は閾値条件を満たす。
【００１３】
任意選択で、この方法は、ＤＵによって、ＣＵから閾値条件を受信するステップをさらに含む。
【００１４】
任意選択で、インジケーション情報は、セル識別子またはネットワーク標準をさらに含む。ＤＵによって、第１のメッセージタイプおよび第１のスケジューリング情報に基づいて、第１のメッセージを送信するステップは、ＤＵによって、第１のメッセージタイプおよび第１のスケジューリング情報に基づいて、セル識別子に対応するセルにおいて第１のメッセージを送信するステップ、または、ＤＵによって、第１のメッセージタイプおよび第１のスケジューリング情報に基づいて、およびネットワーク標準に対応するワイヤレス技術を使用することによって、第１のメッセージを送信するステップである。
【００１５】
任意選択で、第１のスケジューリング情報は、有効性情報、スケジューリング期間、またはスケジューリングウィンドウを含む。
【００１６】
任意選択で、インジケーション情報は、第１のメッセージの第１のメッセージタイプ、および端末識別子を含み、第１のメッセージタイプは、シグナリング無線ベアラ１メッセージ（signaling radio bearer 1 message）、シグナリング無線ベアラ２メッセージ（signaling radio bearer 2 message）、システム情報メッセージ、または他システム情報メッセージである。ＤＵによって、インジケーション情報に基づいて第１のメッセージを送信するステップは、ＤＵによって、第１のメッセージタイプおよび端末識別子に基づいて、第１のメッセージを送信するステップである。
【００１７】
任意選択で、この方法は、ＤＵによって、トンネルのセットアップ要求メッセージをＣＵに送信するステップであって、セットアップ要求メッセージは、第１のメッセージタイプの第１のメッセージ、および端末識別子を含む、ステップをさらに含み、インジケーション情報は、トンネルの識別子を含む。ＤＵによって、インジケーション情報に基づいて第１のメッセージを送信するステップは、ＤＵによって、第１のメッセージタイプおよび端末識別子に基づいて、第１のメッセージを送信するステップである。
【００１８】
任意選択で、この方法は、ＤＵによって、トンネルのセットアップ要求メッセージをＣＵに送信するステップであって、セットアップ要求メッセージは、端末識別子を含む、ステップをさらに含み、インジケーション情報は、トンネルの識別子、および第１のメッセージの第１のメッセージタイプを含む。ＤＵによって、インジケーション情報に基づいて第１のメッセージを送信するステップは、ＤＵによって、第１のメッセージタイプおよび端末識別子に基づいて、第１のメッセージを送信するステップである。
【００１９】
任意選択で、インジケーション情報は、セル識別子またはネットワーク標準をさらに含む。ＤＵによって、第１のメッセージタイプおよび端末識別子に基づいて、第１のメッセージを送信するステップは、ＤＵによって、第１のメッセージタイプおよび端末識別子に基づいて、セル識別子に対応するセルにおいて第１のメッセージを送信するステップ、または、ＤＵによって、第１のメッセージタイプおよび端末識別子に基づいて、およびネットワーク標準に対応するワイヤレス技術を使用することによって、第１のメッセージを送信するステップである。
【００２０】
第２の態様によれば、本出願の実施形態は、中央ノードＣＵによって、第１のメッセージに関連付けられたインジケーション情報を取得するステップであって、インジケーション情報は、第１のメッセージを送信するために使用される、ステップと、ＣＵによって、第１のメッセージおよびインジケーション情報を、分散されたノードＤＵに送信するステップとを含むメッセージ送信方法をさらに提供する。
【００２１】
任意選択で、インジケーション情報は、第１のメッセージの第１のメッセージタイプを含む。第１のメッセージタイプは、マスタ情報ブロックメッセージ、システム情報ブロックタイプ１メッセージ、ページングメッセージ、最小システム情報メッセージ、システム情報メッセージ、または他システム情報メッセージである。第１のメッセージタイプは、第１のメッセージの第１のスケジューリング情報に関連付けられる。
【００２２】
任意選択で、この方法は、ＣＵによって、第１のスケジューリング情報をＤＵに送信するステップをさらに含む。
【００２３】
任意選択で、インジケーション情報は、第１のメッセージの第１のスケジューリング情報、および第１のメッセージの第１のメッセージタイプを含む。第１のメッセージタイプは、システム情報メッセージまたは他システム情報メッセージである。この方法は、ＣＵによって、第２のメッセージ、および第２のメッセージの第２のメッセージタイプを、ＤＵに送信するステップであって、第２のメッセージタイプは、システム情報ブロックタイプ１メッセージまたは最小システム情報メッセージであり、第２のメッセージは、第１のスケジューリング情報を含む、ステップをさらに含む。
【００２４】
任意選択で、この方法は、ＣＵによって、ＤＵから第２の要求メッセージを受信するステップであって、第２の要求メッセージは、第１のメッセージタイプを含む、ステップをさらに含む。
【００２５】
任意選択で、この方法は、ＣＵによって、第２の要求メッセージに関連付けられた閾値条件をＤＵに送信するステップをさらに含む。
【００２６】
任意選択で、第１のスケジューリング情報は、有効性情報、スケジューリング情報、またはスケジューリングウィンドウを含む。
【００２７】
任意選択で、インジケーション情報は、第１のメッセージの第１のメッセージタイプ、および端末識別子を含み、第１のメッセージタイプは、シグナリング無線ベアラ１メッセージ、シグナリング無線ベアラ２メッセージ、システム情報メッセージ、または他システム情報メッセージである。
【００２８】
任意選択で、この方法は、ＣＵによって、ＤＵからトンネルのセットアップ要求メッセージを受信するステップであって、セットアップ要求メッセージは、第１のメッセージの第１のメッセージタイプ、および端末識別子を含む、ステップをさらに含み、インジケーション情報は、トンネルの識別子を含む。
【００２９】
任意選択で、この方法は、ＣＵによって、ＤＵからトンネルのセットアップ要求メッセージを受信するステップであって、セットアップ要求メッセージは、端末識別子を含む、ステップをさらに含み、インジケーション情報は、トンネルの識別子、および第１のメッセージの第１のメッセージタイプを含む。
【００３０】
任意選択で、インジケーション情報は、セル識別子またはネットワーク標準をさらに含む。
【００３１】
第３の態様によれば、本出願の実施形態はノードをさらに提供する。ノードは、たとえば、第１の態様のメッセージ送信方法を実装するように構成される。任意選択で、ノードはＤＵであり得る。
【００３２】
任意選択の設計において、ノードは、プロセッサ、トランシーバ、および通信回路を含む。プロセッサは、通信回路を使用することによって中央ノードＣＵから第１のメッセージおよびインジケーション情報を受信し、インジケーション情報に基づいて第１のメッセージを送信するように構成される。
【００３３】
別の任意選択の設計では、ノードは、プロセッサおよびメモリを含む。メモリは、第１の態様の方法を実装するためのプログラムを記憶するように構成される。プロセッサは、前述のプログラムを実行して第１の態様の方法を実装するように構成される。
【００３４】
どのようにノードが第１の態様の方法を実装するかについては、第１の態様の内容を参照されたい。
【００３５】
第４の態様によれば、本出願の実施形態は、さらに別のノードを提供する。ノードは、たとえば、第２の態様のメッセージ送信方法を実装するように構成される。任意選択で、ノードはＣＵであり得る。
【００３６】
任意選択の設計において、ノードは、プロセッサおよび通信回路を含む。プロセッサは、第１のメッセージに関連付けられたインジケーション情報を取得するように構成され、インジケーション情報は、第１のメッセージを送信するために使用される。プロセッサは、通信回路を使用することによって、第１のメッセージおよびインジケーション情報を、分散されたノードＤＵに送信する。
【００３７】
別の任意選択の設計では、ノードは、プロセッサおよびメモリを含む。メモリは、第２の態様の方法を実装するためのプログラムを記憶するように構成される。プロセッサは、前述のプログラムを実行して第２の態様の方法を実装するように構成される。
【００３８】
どのようにノードが第２の態様の方法を実装するかについては、第２の態様の内容を参照されたい。
【００３９】
第５の態様によれば、本出願の実施形態は、第３の態様のノードおよび第４の態様のノードを含む、通信システムをさらに提供する。
【００４０】
第６の態様によれば、本出願の実施形態は、コンピュータプログラム製品をさらに提供し、プログラム製品は、第１の態様の方法を実装するために使用されるプログラムを含む。
【００４１】
第７の態様によれば、本出願の実施形態は、コンピュータ可読記憶媒体をさらに提供し、媒体は、第６の態様におけるプログラムを記憶する。
【００４２】
第８の態様によれば、本出願の実施形態は、コンピュータプログラム製品をさらに提供し、プログラム製品は、第２の態様の方法を実装するために使用されるプログラムを含む。
【００４３】
第９の態様によれば、本出願の実施形態は、コンピュータ可読記憶媒体をさらに提供し、媒体は、第８の態様におけるプログラムを記憶する。
【００４４】
本出願で提供される他の実施形態が以下に説明される。
【００４５】
第１の態様によれば、本出願の実施形態は、
分散されたノードＤＵによって、中央ノードＣＵにより送信された無線リソース制御ＲＲＣメッセージおよびインジケーション情報を受信するステップと、
ＤＵによって、インジケーション情報に基づいてＲＲＣメッセージを送信するステップと
を含む無線リソース制御ＲＲＣメッセージ送信方法を提供する。
【００４６】
第１の態様において提供される無線リソース制御ＲＲＣメッセージ送信方法では、ＤＵは、ＣＵにより送信されたＲＲＣメッセージおよびインジケーション情報を受信し、インジケーション情報に基づいてＲＲＣメッセージを送信する。ＲＲＣメッセージおよびインジケーション情報を受信した後、ＤＵはインジケーション情報に基づいてＲＲＣメッセージを送信してよく、そうすることで、ＤＵはＲＲＣ制御シグナリングをＵＥに正しく送信することが可能である。
【００４７】
可能な設計において、インジケーション情報は、メッセージタイプを含み、メッセージタイプは、ＲＲＣメッセージのメッセージタイプを示すために使用され、
ＤＵによって、インジケーション情報に基づいてＲＲＣメッセージを送信するステップは、
ＤＵによって、メッセージタイプに基づいてＲＲＣメッセージをブロードキャストするステップを含む。
【００４８】
この態様では、ＤＵは、メッセージタイプに基づいて、ＲＲＣメッセージを送信する機会を知り、したがって、ＲＲＣメッセージを正しくブロードキャストすることができる。したがって、端末は、ＲＲＣメッセージを正しく受信することができる。
【００４９】
可能な設計において、インジケーション情報は、セル識別子をさらに含み得るので、インジケーション情報を受信した後、ＤＵは、セル識別子に対応するセルにおいてＲＲＣメッセージをブロードキャストし得る。この設計では、ＤＵは、複数のセルに対応し得る。
【００５０】
可能な設計において、インジケーション情報は、ネットワーク標準インジケーション情報をさらに含み、ネットワーク標準インジケーション情報は、ＲＲＣメッセージが送信される無線アクセスネットワークの標準タイプを示すために使用される。インジケーション情報を受信した後、ＤＵは、無線アクセスネットワークの標準タイプに基づいてＲＲＣメッセージをブロードキャストすることができる。この設計では、ＤＵは、ＣＤＭＡ技術、ＵＭＴＳ技術、ＬＴＥ技術、または５Ｇアクセス技術など種々のアクセス技術をサポートすることができる。
【００５１】
この可能な設計で提供された無線リソース制御ＲＲＣメッセージ送信方法では、ＣＵにより送信されたメッセージタイプを受信した後、ＤＵは、メッセージタイプに対応するスケジューリング期間に基づいて、セルレベルＲＲＣメッセージをＵＥにブロードキャストし、それにより、ＤＵがＣＵにより送信されたメッセージを識別できずに結果としてメッセージをどのように処理するかを認識しないという問題を解決し得るので、ＤＵは、ＲＲＣ制御シグナリングをＵＥに正しく伝送することができる。
【００５２】
可能な設計において、インジケーション情報は、シグナリング無線ベアラＳＲＢ識別子情報（signaling radio bearer SRB identifier information）、および端末デバイス識別子情報（terminal device identifier information）を含む。ＳＲＢ識別子情報は、ＳＲＢのタイプ情報として理解されてもまたよく、たとえば、ＳＲＢ０、ＳＲＢ１、ＳＲＢ２、およびＳＲＢ３である。ＳＲＢ識別子情報は、新しい５Ｇ標準におけるＳＲＢ１ＳまたはＳＲＢ２ＳなどのＳＲＢ識別子に拡張され得る。
【００５３】
ＤＵによって、インジケーション情報に基づいてＲＲＣメッセージを送信するステップは、
ＤＵによって、ＳＲＢ識別子情報および端末デバイス識別子情報に基づいて、ＲＲＣメッセージを対応する端末に送信するステップを含む。たとえば、ＤＵは、ＳＲＢ識別子情報および端末デバイス識別子情報に基づいて、対応するＰＤＣＰエンティティ／ＲＬＣエンティティを見つけ出して、ＲＲＣメッセージを処理し（言い換えれば、ＰＤＣＰ／ＲＬＣ層において対応する処理をＲＲＣメッセージに対して行い）、対応する論理チャネルを介してＲＲＣメッセージを端末デバイスに送信することができる。端末デバイス識別子情報は、ＣＵおよびＤＵ間にあり、インターフェース上でＵＥを識別するためにＣＵおよびＤＵによって使用されるインターフェースＵＥ識別子であってよいことは理解され得る。ＤＵは、インターフェースＵＥ識別子とＤＵ内のＣ−ＲＮＴＩなどのＵＥ識別子との間の関係を保持し、ＤＵは、端末デバイス識別子情報に基づいて対応するＵＥを見つけ出す。次いで、ＵＥに対応するＲＬＣエンティティが、ＳＲＢ識別子情報に基づいて見つけ出される。ＲＲＣメッセージは、処理のためにＲＬＣエンティティに送達され、次いで、処理のためにＭＡＣ／ＰＨＹ層内に送信される。ＲＲＣメッセージは、エアインターフェースを介して最終的に端末に送信される。また、ＣＵとＤＵの間のＰＤＣＰ−ＲＬＣ分割方式において、ＣＵは、ＲＲＣ層およびＰＤＣＰ層を含み、ＤＵは、ＲＬＣ層、ＭＡＣ層、およびＰＨＹ層を含む。ＤＵは、端末デバイス識別子情報およびＳＲＢ識別子情報に基づいて、処理のために対応するＵＥのＲＬＣエンティティを見つけ出す。ＰＤＣＰエンティティ（ＰＤＣＰ層での処理）、ＲＬＣエンティティ（ＲＬＣ層での処理）、論理チャネルを伝送チャネルにマッピングする方法、および伝送チャネルを物理チャネルにマッピングする方法などの内容については、たとえば、非特許文献１の関係付けられた内容を参照されたい。
【００５４】
この可能な設計で提供された方法では、ＣＵにより送信されたＳＲＢ識別子情報および端末デバイス識別子情報を受信した後、ＤＵは、ＳＲＢ識別子情報および端末デバイス識別子情報に基づいて、対応する端末への送信のための対応する論理チャネルを見つけ出すことができる。
【００５５】
第２の態様によれば、本出願の実施形態は、
分散されたノードＤＵによってユーザプレーントンネルを介して、中央ノードＣＵにより送られた無線リソース制御ＲＲＣメッセージを受信するステップであって、ユーザプレーントンネルは、ＲＲＣメッセージのメッセージタイプおよび端末との対応関係を有する、ステップと、
ＤＵによって、ユーザプレーントンネルに対応する端末にＲＲＣメッセージを送信するステップと
を含む無線リソース制御ＲＲＣメッセージ送信方法を提供する。たとえば、ユーザプレーントンネルは、トンネルエンドポイント識別子ＴＥＩＤを有する。ＤＵは、ＴＥＩＤに基づいて、対応するメッセージタイプ（たとえばＳＲＢ１）および端末識別子を取得してよく、対応するＰＤＣＰ／ＲＬＣエンティティを見つけ出して、ＲＲＣメッセージを処理し（言い換えれば、ＰＤＣＰ／ＲＬＣ層において対応する処理をＲＲＣメッセージに対して行い）、対応する論理チャネルを介してＲＲＣメッセージを端末に送信することが可能である。言い換えれば、ＤＵは、ＴＥＩＤに基づいて、対応するメッセージタイプ（たとえばＳＲＢ１）および端末識別子を取得し、対応する論理チャネルを見つけ出して、ＲＲＣメッセージを対応する端末に送信し得る。
【００５６】
第２の態様で提供された無線リソース制御ＲＲＣメッセージ送信方法では、ＤＵは、ＣＵにより送信されたＲＲＣメッセージを、ユーザプレーントンネルを介して受信し、ユーザプレーントンネルとＲＲＣメッセージのメッセージタイプおよび端末デバイスとの間の対応関係に基づいて、対応する処理をＲＲＣメッセージに対して行い、ＲＲＣメッセージを対応する端末に送信する。
【００５７】
可能な設計において、分散されたノードＤＵによって、中央ノードＣＵにより送られたＲＲＣメッセージを受信するステップの前に、この方法は、
ＤＵによって、ＣＵにより送信されたベアラセットアップ要求メッセージを受信するステップであって、たとえば、ベアラセットアップ要求メッセージは、メッセージタイプＡおよび端末識別子Ｂを含んでよく、言い換えれば、ユーザパネルトンネルを介して送信されたＲＲＣメッセージを使用することによって、ＤＵは、ＲＲＣメッセージのメッセージタイプはメッセージタイプＡであり、端末識別子Ｂにより識別された端末にＲＲＣメッセージが送信されるべきであるとみなしてよく、したがって、対応する処理がＲＲＣメッセージに対して行われてよく、ＲＲＣメッセージは対応する端末に送信される、ステップと、
ＤＵによって、ベアラセットアップ要求メッセージに基づいて、ＤＵとＣＵの間のユーザプレーントンネルを確立し、言い換えれば、ＤＵが応答メッセージをＣＵに送信するステップであって、応答メッセージは、ＤＵ側のトンネルエンドポイント識別子ＴＥＩＤを含んでよい、ステップと
をさらに含む。
【００５８】
この可能な設計で提供された方法では、ＤＵは、ベアラセットアップ要求メッセージをＣＵに送信して、ＲＲＣメッセージを送信する前にユーザプレーントンネルを確立し、したがって、ユーザプレーントンネルを介して送信されたＲＲＣメッセージを使用することによって、ＲＲＣメッセージのメッセージタイプと、ＲＲＣメッセージを受信する必要がある端末とが、正しく識別されることが可能であり、それにより、ＲＲＣメッセージが正しく送信されることを確実にする。
【００５９】
第３の態様によれば、本出願の実施形態は、分散されたノードＤＵであって、
中央ノードＣＵにより送信された無線リソース制御ＲＲＣメッセージおよびインジケーション情報を受信するように構成された受信機と、
インジケーション情報に基づいてＲＲＣメッセージを送信するように構成された送信機と
を含む分散されたノードＤＵを提供する。
【００６０】
可能な設計において、インジケーション情報は、メッセージタイプおよびセル識別子を含み、メッセージタイプは、ＲＲＣメッセージのメッセージタイプを示すために使用され、
送信機は、セル識別子およびメッセージタイプに基づいて、セル識別子に対応するセルにおいてＲＲＣメッセージをブロードキャストするようにさらに構成される。
【００６１】
可能な設計において、インジケーション情報は、ネットワーク標準インジケーション情報をさらに含み、ネットワーク標準インジケーション情報は、ＲＲＣメッセージが送信される無線アクセスネットワークの標準タイプを示すために使用される。
【００６２】
可能な設計において、インジケーション情報は、シグナリング無線ベアラＳＲＢ識別子情報、および端末デバイス識別子情報を含み、
送信機は、ＳＲＢ識別子情報および端末デバイス識別子情報に基づいて、ＲＲＣメッセージを、端末デバイス識別子情報に対応する端末デバイスに送信するようにさらに構成される。
【００６３】
任意選択の設計において、ＤＵは、プロセッサ、トランシーバ、および通信回路を含み得る。プロセッサは、通信回路を使用することによって、ＣＵにより送信されたＲＲＣメッセージおよびインジケーション情報を受信し、トランシーバを使用することによって、インジケーション情報に基づいてＲＲＣメッセージを送信するように構成される。ＤＵがＲＲＣメッセージをどのように送信するかに関する具体的な内容については、上述された他の実施形態における第１の態様の内容を参照されたい。
【００６４】
第３の態様および第３の態様の可能な設計で提供される有益な効果については、第１の態様および第１の態様の可能な設計によりもたらされた有益な効果を参照されたい。詳細は本明細書では再度説明されない。
【００６５】
第４の態様によれば、本出願の実施形態は、分散されたノードＤＵであって、
中央ノードＣＵにより送信された無線リソース制御ＲＲＣメッセージを、ユーザプレーントンネルを介して受信するように構成された受信機と、
ユーザプレーントンネルに対応する端末にＲＲＣメッセージを送信するように構成された送信機とを含み、
可能な設計において、受信機は、ＣＵにより送信されたベアラセットアップ要求メッセージを受信するようにさらに構成され、
ベアラセットアップ要求メッセージに基づいて、ＤＵとＣＵの間のユーザプレーントンネルを確立するように構成されたプロセッサを含む分散されたノードＤＵを提供する。
【００６６】
任意選択の設計において、ＤＵは、プロセッサ、トランシーバ、および通信回路を含む。プロセッサは、ユーザプレーントンネルを介して、通信回路を使用することによって、ＣＵにより送信されたＲＲＣメッセージを受信し、トランシーバを使用することによって、ユーザプレーントンネルに対応する端末にＲＲＣメッセージを送信するように構成される。ＤＵがＲＲＣメッセージをどのように送信するかに関する具体的な内容については、上述された他の実施形態における第２の態様の内容を参照されたい。
【００６７】
第４の態様および第４の態様の可能な設計で提供される有益な効果については、第２の態様および第２の態様の可能な設計によりもたらされた有益な効果を参照されたい。詳細は本明細書では再度説明されない。
【００６８】
トランシーバおよび通信回路は、１つの物理デバイス、たとえば、基板に実装されることがある。物理デバイスは、トランシーバユニットまたは通信ユニットと呼ばれることがある。
【図面の簡単な説明】
【００６９】
【図１】プロトコル層において分割されたＣＵ−ＤＵの概略図である。
【図２】本出願による無線リソース制御ＲＲＣメッセージ送信方法の実施形態１の概略フローチャートである。
【図３】本出願による無線リソース制御ＲＲＣメッセージ送信方法の実施形態２の概略フローチャートである。
【図４】ＤＳＣＰプレシデンス（DSCP precedence）およびＩＰプレシデンス（IP precedence）のビットの概略図である。
【図５】本出願の実施形態による無線リソース制御ＲＲＣメッセージ送信装置の実施形態１の概略構造図である。
【図６】本出願の実施形態による無線リソース制御ＲＲＣメッセージ送信装置の実施形態２の概略構造図である。
【図７】本出願の実施形態による無線リソース制御ＲＲＣメッセージ送信装置の実施形態３の概略構造図である。
【図８】本出願の実施形態によるＤＵの実施形態１の概略構造図である。
【図９】本出願の実施形態によるＤＵの実施形態２の概略構造図である。
【発明を実施するための形態】
【００７０】
本明細書に説明されている技術は、現在の３Ｇおよび４Ｇ通信システムならびに次世代通信システムなどの種々の通信システムにおいて使用されてよく、たとえば、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ、略してＧＳＭ）、符号分割多元接続（Ｃｏｄｅ  Ｄｉｖｉｓｉｏｎ  Ｍｕｌｔｉｐｌｅ  Ａｃｃｅｓｓ、略してＣＤＭＡ）システム、時分割多元接続（Ｔｉｍｅ  Ｄｉｖｉｓｉｏｎ  Ｍｕｌｔｉｐｌｅ  Ａｃｃｅｓｓ、略してＴＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）システム、周波数分割多元接続（Ｆｒｅｑｕｅｎｃｙ  Ｄｉｖｉｓｉｏｎ  Ｍｕｌｔｉｐｌｅ  Ａｃｃｅｓｓ、略してＦＤＭＡ）システム、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、略してＯＦＤＭＡ）システム、シングルキャリアＦＤＭＡ（ＳＣ−ＦＤＭＡ）システム、汎用パケット無線サービス（Ｇｅｎｅｒａｌ  Ｐａｃｋｅｔ  Ｒａｄｉｏ  Ｓｅｒｖｉｃｅ、略してＧＰＲＳ）システム、ロングタームエボリューション（Ｌｏｎｇ  Ｔｅｒｍ  Ｅｖｏｌｕｔｉｏｎ、略してＬＴＥ）システム、５Ｇ通信システム（たとえば、ＮＲ（新無線、Ｎｅｗ  Ｒａｄｉｏ）システム）、種々の通信技術を組み合わせた通信システム（たとえば、ＬＴＥ技術とＮＲ技術を組み合わせた通信システム）、およびこのタイプの他の通信システムにおいて使用されてよい。
【００７１】
本出願において、端末は、端末デバイスまたは端末装置と呼ばれることがある。
【００７２】
本出願において、ＣＵおよびＤＵのプロトコル層の機能は、実際の要件に従って分離され得る。実装中に、ＣＵおよびＤＵは、たとえば、ＲＲＣ層、ＰＤＣＰ層、ＲＬＣ層、ＭＡＣ層、および物理層を含む完全なプロトコル層の処理機能を有し得る。展開中に、いくつかの基地局はＲＲＣ層の処理機能を有効にするように構成されてよく、そのような基地局はＣＵとみなされてよい。いくつかの基地局は、ＰＤＣＰ層および下位層の処理機能を有効にするように構成されてよく、これらの基地局はＤＵとみなされてよい。ＣＵおよびＤＵは、異なるプロトコル層の機能を有する基地局の名前であり、他の名前が通信分野で使用されることがある。
【００７３】
本出願において、基地局は、アクセスネットワークデバイスである。様々な名前が様々なネットワークにおいて使用される。たとえば、基地局は、５Ｇネットワークにおいて、ＴＲＰ（送受信点）、マイクロセル、スモールセル、マクロセル、高周波基地局、または低周波基地局などと呼ばれることがある。
【００７４】
本出願において、メッセージは、様々なメッセージタイプを有する。たとえば、１つのタイプのメッセージ分類では、メッセージは、ＭＩＢメッセージ、ＳＩＢ１メッセージ、ページングメッセージ、最小ＳＩメッセージ、ＳＩメッセージ、他ＳＩメッセージ（other-SI message）、またはＳＩＢ２メッセージであり得る。ＳＩＢ１メッセージおよびＳＩＢ２メッセージは、一般にＳＩＢメッセージと呼ばれることがある。場合によって、ＳＩＢ１およびＳＩＢ２が、ＳＩＢメッセージ識別子と呼ばれることがあり、またはＳＩＢ１およびＳＩＢ２における「１」および「２」が、ＳＩＢメッセージ識別子と呼ばれることがある。例では、ＬＴＥシステムにおいて、システムメッセージは、ＭＩＢメッセージ、ＳＩＢ１メッセージ、およびＳＩメッセージを含み得る。ＭＩＢメッセージは、ダウンリンクシステム帯域幅、ＰＨＩＣＨ構成、およびＳＦＮ情報を含む。ＳＩＢ１メッセージは、どのＳＩメッセージが存在するか、各ＳＩメッセージの期間、およびどのＳＩＢが各ＳＩメッセージに含まれるかを指定し得る。ＳＩメッセージは、ＳＩＢ１に加えて、同じスケジューリング要件（伝送期間）を有する他のＳＩＢを含む。別の例では、５Ｇシステム（ＮＲシステム）において、システムメッセージは、最小ＳＩメッセージおよび他ＳＩメッセージを含み得る。最小ＳＩメッセージは、端末が通信システムを発見しまたは通信システムにアクセスすることが可能なように、通信システムで必要とされるシステム情報を搬送するメッセージタイプ、たとえば、取決めに従って通信システムによって一定間隔で送信されるメッセージとして理解されてよい。他ＳＩメッセージは、最小ＳＩメッセージと比べて、最小ＳＩメッセージ以外のＳＩメッセージとして理解されてよい。任意選択で、他ＳＩメッセージは、異なるタイプ、たとえば、他のＳＩ１、他のＳＩ２、および他のＳＩ３をさらに含んでよい。例では、ＬＴＥシステムにおけるシステムメッセージと５Ｇシステムにおけるシステムメッセージとが、１つの通信システムに共存し得る。例では、ＭＩＢメッセージ、ＳＩＢ１メッセージ、ページングメッセージ、最小ＳＩメッセージ、ＳＩメッセージ、および他ＳＩメッセージのスケジューリング情報が、前もって合意され、たとえば、通信標準で規定され得る。別の例では、ＳＩメッセージおよび他ＳＩメッセージのスケジューリング情報が、ネットワークを介して端末に通知され、たとえば、基地局によって端末に通知され得る。
【００７５】
本出願において、ＭＩＢメッセージ、ＳＩＢ１メッセージ、ＳＩＢメッセージ、ＳＩメッセージ、またはＳＲＢメッセージなどにおける「メッセージ」という語は、時として省略され、したがって、ＭＩＢメッセージ、ＳＩＢ１メッセージ、ＳＩＢメッセージ、ＳＩメッセージ、およびＳＲＢメッセージはそれぞれ、略してＭＩＢ、ＳＩＢ１、ＳＩＢ、ＳＩ、およびＳＲＢと呼ばれることがある。
【００７６】
本出願において、プロトコル層は時として層と呼ばれる。たとえば、ＲＲＣプロトコル層は、ＲＲＣ層と呼ばれることがある。
【００７７】
本出願において、スケジューリング期間は、時として送信期間と呼ばれることがある。
【００７８】
本出願において、ネットワーク標準情報は、略してネットワーク標準と呼ばれることがある。
【００７９】
本出願において、トンネルの識別子は、トンネルのトンネルエンドポイント識別子、たとえば、ＣＵ側におけるトンネルのエンドポイント識別子、またはＤＵ側におけるトンネルのエンドポイント識別子であり得る。
【００８０】
本出願における技術的解決策は、ＲＲＣメッセージに適用されることが可能なだけでなく、通信プロトコル層が変わって別のプロトコル層のメッセージに適用されることも可能である。ＲＲＣプロトコル層におけるメッセージは、説明のための例として使用される。ＲＲＣプロトコル層におけるメッセージは、ＲＲＣメッセージと呼ばれることがある。
【００８１】
図２は、本出願による無線リソース制御ＲＲＣメッセージ送信方法の実施形態１の概略フローチャートである。図２に示される方法は、メッセージ送信方法とみなされてもよい。この本出願の実施形態は、無線リソース制御ＲＲＣメッセージ送信方法を提供する。この方法は、無線リソース制御ＲＲＣメッセージ送信方法を行う任意の装置によって行われ得る。装置は、ソフトウェアおよび／またはハードウェアによって実装され得る。この実施形態では、装置はＤＵに組み込まれ得る。図２に示されるように、この実施形態の方法は以下のステップを含み得る。
【００８２】
ステップ２０１：ＤＵは、ＣＵにより送信されたＲＲＣメッセージおよびインジケーション情報を受信する。
【００８３】
言い換えれば、ＤＵは、ＣＵから第１のメッセージおよびインジケーション情報を受信する。
【００８４】
ステップ２０２：ＤＵは、インジケーション情報に基づいてＲＲＣメッセージを送信する。
【００８５】
言い換えれば、ＤＵは、インジケーション情報に基づいて第１のメッセージを送信する。
【００８６】
この実施形態では、ＣＵ−ＤＵインターフェースはＣＲＡＮアーキテクチャに導入される。したがって、解決されるべき問題は、どのようにＤＵがＣＵにより送信されたメッセージを識別してメッセージを端末に正しく送信するかである。この実施形態では、ＣＵにより送信されたインジケーション情報および無線リソース制御（Ｒａｄｉｏ  Ｒｅｓｏｕｒｃｅ  Ｃｏｎｔｒｏｌ、略してＲＲＣ）メッセージなどのメッセージを受信した後、ＤＵは、メッセージを送信する方式をインジケーション情報に基づいて知り得る。したがって、ＤＵは、メッセージを正しく送出することができる。たとえば、ＤＵは、メッセージをユーザ機器（Ｕｓｅｒ  Ｅｑｕｉｐｍｅｎｔ、略してＵＥ）に送信する。実装の例として、パケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）／無線リンク制御（Ｒａｄｉｏ  Ｌｉｎｋ  Ｃｏｎｔｒｏｌ、ＲＬＣ）分割方式では、ＣＵは、ＲＲＣ層およびＰＤＣＰ層を有し、ＤＵは、ＲＬＣ／メディアアクセス制御（Ｍｅｄｉａ  Ａｃｃｅｓｓ  Ｃｏｎｔｒｏｌ、ＭＡＣ）／物理層（Ｐｈｙｓｉｃａｌ  Ｌａｙｅｒ、ＰＨＹ）を有する。この場合、ＣＵによりＤＵに送信されるＲＲＣメッセージの固有のフォーマットは、ＰＤＣＰ／ＲＲＣメッセージとなる（この部分が、たとえば、メッセージがＣＵ−ＤＵインターフェースを介して送信されるとき、ＣＵ−ＤＵインターフェースを介して送信されるペイロードとして使用され、ＣＵ−ＤＵインターフェース制御プレーンプロトコル層またはＣＵ−ＤＵインターフェースユーザプレーンプロトコル層であり得るＣＵ−ＤＵインターフェースプロトコル層、すなわち、ＳＣＴＰ層またはＧＴＰ−Ｕ層などが、さらに追加される必要がある）。例では、ＣＵによりＤＵに送信されるＲＲＣメッセージのフォーマットは、以下の通りであり得る。
【００８７】
【表１】
2019533355.tif 000015
【００８８】
ＣＵ−ＤＵ制御プレーンプロトコルまたはユーザプレーンプロトコルが、ＣＵとＤＵの間でＲＲＣメッセージを伝送するために使用されてよいことは理解され得る。
【００８９】
ＲＲＣメッセージを受信した後、ＤＵは、まずＣＵ−ＤＵインターフェースプロトコル層を除去し、パースを行って、ペイロード、具体的にはＰＤＣＰ／ＲＲＣメッセージを取得し、次いで、ＰＤＣＰ／ＲＲＣメッセージをＰＨＹ／ＭＡＣ／ＲＬＣ／ＰＤＣＰ／ＲＲＣメッセージ内へカプセル化し、ＰＨＹ／ＭＡＣ／ＲＬＣ／ＰＤＣＰ／ＲＲＣメッセージをＵＥに送信する。例では、カプセル化されたＲＲＣメッセージは、以下の通りであり得る。
【００９０】
【表２】
2019533355.tif 000016
【００９１】
加えて、ＣＵによりＤＵに送信されたインジケーションメッセージは、ＤＵによって直接パースされることが可能である。たとえば、ＳＣＴＰデータパケットまたはＧＴＰ−Ｕデータパケットにおける情報要素またはフィールドは、インジケーションメッセージを搬送し、またはインジケーション情報として使用される。
【００９２】
ＤＵは、ＣＵにより送信されたＲＲＣメッセージおよびインジケーション情報を受信し、ＣＵ−ＤＵ制御プレーンプロトコルに従う伝送中の特定のフォーマットは、たとえば以下の通りであってよいことが理解され得る。
【００９３】
【表３】
2019533355.tif 000017
【００９４】
別の例では、ＲＲＣ／ＰＤＣＰ層分割方式、具体的には図１におけるオプション１の分割方式が使用され得る。分割方式において、ＣＵは、ＲＲＣ層をサポートし、ＤＵは、ＰＤＣＰ層およびより下位のプロトコル層をサポートする。ＣＵによりＤＵに送信されたＲＲＣメッセージは、ＤＵに対するＰＤＣＰ層のペイロード（ｐａｙｌｏａｄ）である。ＤＵは、ＲＲＣ層プロトコルをサポートしない。結果として、ＤＵは、ＣＵによりＤＵに送信された内容を知ることができず、したがって、ＣＵによりＤＵに送信されたＲＲＣメッセージを端末に正しく送信することができない。ＣＵは、ＣＵとＤＵの間のインターフェースメッセージまたはインターフェースデータパケットにインジケーション情報を追加し得る。
【００９５】
任意選択で、インジケーション情報は、メッセージタイプを含んでよく、メッセージタイプは、第１のメッセージのメッセージタイプである。メッセージタイプは、スケジューリング情報に関連付けられ得る。具体的には、そのメッセージタイプの任意のメッセージが、スケジューリング情報を使用することによってスケジューリングされることが可能である。スケジューリング情報とメッセージタイプとの対応関係は、通信標準で規定されてよく、またはネットワークデバイスによって指定され端末に送信されてよい。メッセージタイプが送達されたとき、メッセージのスケジューリング情報がＤＵに示される。したがって、ＤＵは、メッセージを正しく送信することができる。
【００９６】
たとえば、第１のメッセージタイプは、ＭＩＢメッセージ、ＳＩＢ１メッセージ、ＳＩメッセージ、ページングメッセージ、最小ＳＩメッセージ、および他ＳＩメッセージであり得る。ＭＩＢメッセージ、ＳＩＢ１メッセージ、ＳＩメッセージ、ページングメッセージ、最小ＳＩメッセージ、および他ＳＩメッセージのスケジューリング情報は、前もって合意されてよく、たとえば通信標準で規定されてよく、またはＣＵによりＤＵに送信されてよい。したがって、メッセージのメッセージタイプを知った後、ＤＵは、メッセージに対応するスケジューリング情報を知る。本明細書では、第１のメッセージのメッセージタイプは、スケジューリング情報に関連付けられる。
【００９７】
別の例として、第１のメッセージタイプは、ＳＩメッセージまたは他ＳＩメッセージであり得る。ＳＩメッセージまたは他ＳＩメッセージに対応するスケジューリング情報は、たとえば、ＭＩＢメッセージ、ＳＩＢ１メッセージ、または最小ＳＩメッセージを使用することによって、基地局により端末に送信され得る。
【００９８】
別の例として、第１のメッセージタイプは、ＳＲＢ１メッセージ、ＳＲＢ２メッセージ、ＳＩメッセージ、または他ＳＩメッセージであり得る。前述のメッセージは、特定の端末に送信され得る。シグナリングベアラが、端末とＤＵの間に確立され得る。１つのシグナリングベアラは通常、特定の端末および特定のメッセージタイプとの対応関係を有する。インジケーション情報は、端末識別子をさらに含み得る。したがって、メッセージのメッセージタイプ、および対応する端末識別子を知った後、ＤＵは、対応するシグナリングベアラ上でメッセージをＵＥに送信し得る。具体的には、ネットワーク側が、端末の各ベアラについて対応するＰＤＣＰエンティティおよびＲＬＣエンティティを確立し、ＤＵが、メッセージタイプおよび端末識別子を使用することによって、メッセージを対応するＰＤＣＰエンティティまたはＲＬＣエンティティに送信して対応する処理を行い、ベアラと論理チャネルが一対一対応にある。ＤＵは、論理チャネルに対応する物理リソース上でメッセージを送信し得るので、メッセージは、対応する端末に正しく送信されることが可能である。
【００９９】
変形例では、インジケーション情報におけるメッセージタイプまたは端末識別子が、他の情報に置き換えられてよい。たとえば、端末についてトンネルが確立された後、端末のメッセージがすべてトンネルを介して送信され、トンネルの識別子は、ユーザの端末の識別子を示すために使用され得る。別の例として、端末のメッセージタイプについてトンネルが確立された後、ユーザのメッセージタイプのメッセージがすべてトンネルを介して送信され、トンネルの識別子は、メッセージタイプおよび端末識別子を示すために使用され得る。
【０１００】
任意選択で、スケジューリング情報が、主にメッセージを送信する機会を示すために使用される。たとえば、スケジューリング情報は、スケジューリング期間またはスケジューリングウィンドウを含み得る。任意選択で、スケジューリング情報は、有効性情報をさらに含み得る。
【０１０１】
本出願のこの実施形態で提供されたメッセージ送信方法では、インジケーション情報は、ＣＵによりＤＵに送信されたメッセージを正しく送信するやり方をＤＵが識別するのを助けることができる。例では、本出願のこの実施形態で提供された無線リソース制御ＲＲＣメッセージ送信方法において、ＣＵにより送信されたＲＲＣメッセージおよびインジケーション情報が受信され、ＲＲＣメッセージがインジケーション情報に基づいて送信される。ＲＲＣメッセージおよびインジケーション情報を受信した後、ＤＵは、インジケーション情報に基づいてＲＲＣメッセージを送信し得るので、ＣＵは、ＲＲＣ制御シグナリングをＤＵに正しく伝送することができる。
【０１０２】
この実施形態および以下の実施形態は、例としてＲＲＣメッセージを使用するのみで説明されていることに留意されたい。実際の適用において、ＤＵは、ＣＵにより送信される他の高層のメッセージを受信することがある。本明細書では、高層は、ＣＵによってサポートされるがＤＵによって識別されることができないプロトコル層を意味する。加えて、ネットワーク技術の発展に伴って、ＤＵおよびＣＵによってサポートされるプロトコル層が変化し、またプロトコル層の分割が変化する。新しいネットワーク環境において、ＤＵが、ＤＵによりサポートされない高層のメッセージをＣＵから受信するとき、本出願のこの実施形態で提供された方法が、高層のメッセージを伝送するために使用され得る。
【０１０３】
図２に示されている実施形態に関するいくつかの考察が以下に提供される。
【０１０４】
一般に、メッセージは、セルレベルメッセージおよびユーザレベルメッセージを含み得る。セルレベルメッセージは、セルにおいてブロードキャストされるメッセージであるが、特定のユーザに対するメッセージではない。具体的には、メッセージは、セル内の端末デバイスに向けられる。ユーザレベルメッセージは、特定のユーザに対して送信されるメッセージである。たとえば、ＲＲＣメッセージは、セルレベルＲＲＣメッセージおよびユーザレベルＲＲＣメッセージを含む。
【０１０５】
例を使用することによってセルレベルメッセージが以下に説明される。
【０１０６】
特に、伝送信頼性を確実にするために、セルレベルシグナリングは、制御プレーンにおけるトランスポート層プロトコル、すなわち、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、略してＳＣＴＰ）に従って伝送され得ることを、当業者は理解し得る。ＣＵおよびＤＵはＣＲＡＮ内の２つのエンティティであるので、インジケーション情報はインターフェースを介して転送される必要がある。したがって、セルレベルＲＲＣメッセージは、メッセージタイプおよびセル識別子を示すためにＣＵ−ＤＵインターフェースを使用する必要がある。
【０１０７】
ＲＲＣメッセージに関して、セルレベルＲＲＣメッセージは、マスタ情報ブロック（ｍａｓｔｅｒ  ｉｎｆｏｒｍａｔｉｏｎ  ｂｌｏｃｋ、略してＭＩＢ）メッセージ、およびシステム情報ブロック（Ｓｙｓｔｅｍ  ｉｎｆｏｒｍａｔｉｏｎ  ｂｌｏｃｋ、略してＳＩＢ）メッセージを含む。ＳＩＢメッセージはさらに、ＳＩＢ１メッセージおよびＳＩメッセージを含み得る。特定の例では、ページング（Ｐａｇｉｎｇ）メッセージが、特定のユーザをページングするために使用されるが、やはりセルレベルメッセージとみなされることができる。特定の例では、ＳＩＢ２、ＳＩＢ３、…、およびＳＩＢ２３などのＳＩメッセージ、ならびに他ＳＩメッセージが、セルレベルメッセージとユーザレベルメッセージの両方とみなされることができる。ＳＩＢメッセージはさらに、ＳＩＢ１、ＳＩＢ２、ＳＩＢ３、…、およびＳＩＢ２３などのメッセージを含み得る。ＳＩＢ２、ＳＩＢ３、…、およびＳＩＢ２３は、ＳＩメッセージと呼ばれることがある。具体的には、ＳＩＢメッセージは、ＳＩＢ１メッセージおよびＳＩメッセージを含み得る。ＭＩＢメッセージならびにＳＩＢメッセージ（ＳＩＢ１メッセージおよびＳＩメッセージ）は、システムメッセージと呼ばれることがある。たとえば、ＬＴＥシステムにおいて、ＭＩＢの送信期間が４０ｍｓであり、ＳＩＢ１の送信期間が８０ｍｓであり、ＳＩＢ２に続くＳＩＢメッセージは異なる期間を有する。ＳＩＢ２に続くＳＩＢメッセージの期間は、ＳＩＢ１において提供され得る。別の例では、セルレベルＲＲＣメッセージは、最小ＳＩメッセージ、他ＳＩメッセージ、およびページングメッセージを含み得る。最小ＳＩメッセージの送信期間は、前もって合意され得る。他ＳＩメッセージの送信期間は、最小ＳＩによって指定され得る。たとえば、セルレベルＲＲＣメッセージは、ＣＵ−ＤＵインターフェースメッセージを使用してＳＩＢのタイプを示し、ＤＵがＳＩＢのタイプを知ることを可能にする。
【０１０８】
セルレベルメッセージは様々なスケジューリング要件を有するので、ＣＵは、以下の方式でセルレベルメッセージをＤＵに送信し得る。
【０１０９】
第１の任意選択の方式では、ＣＵは、セルレベルメッセージのスケジューリング情報に基づいて、セルレベルメッセージおよびメッセージタイプ（ここで、メッセージタイプはインジケーション情報とみなされてよい）をＤＵに送信する。セルレベルメッセージを受信した後、ＤＵは、メッセージタイプに基づいて、セルレベルメッセージを対応するチャネル上で送信する（ここで、チャネルは、時間および周波数リソースと対応関係を有する）。たとえば、ＤＵは、ＭＩＢメッセージを物理ブロードキャストチャネル（Ｐｈｙｓｉｃａｌ  Ｂｒｏａｄｃａｓｔ  Ｃｈａｎｎｅｌ、ＰＢＣＨ）上で送信し、他のメッセージを物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）上で送信する。この方式で、セルレベルメッセージをスケジューリングする機会はＤＵに対してＣＵによってトリガされる。ＤＵは、セルレベルメッセージのスケジューリング情報を構成する必要がない。ＣＵにより送信されたメッセージを受信した後、ＤＵは、即座にまたは合意された時間後にセルレベルメッセージを送信し得る。
【０１１０】
第２の任意選択の方式では、ＣＵは、セルレベルメッセージ、およびセルレベルメッセージに対応するスケジューリング情報を、ＤＵに送信する。セルレベルメッセージを受信した後、ＤＵは、スケジューリング情報に基づいてセルレベルメッセージを送信する。ＣＵは、そのたびにセルレベルメッセージをＤＵに送信する必要がなくてよい。ＣＵは、セルレベルメッセージが変わるときのみ、インターフェースを介してＤＵに更新されたセルレベルメッセージを送信する。このように、ＣＵとＤＵの間の対話が大幅に減少されることが可能である。ページングメッセージに関して、ＣＵは通常、ページングメッセージを受信した後に直接ページングメッセージを送信する。
【０１１１】
第２の方式の変形例では、スケジューリング情報は、スケジューリング情報と対応関係を有する他の情報と置き換えられてよい。たとえば、メッセージタイプとスケジューリング情報との対応がＤＵ上で構成されたとき、セルレベルメッセージのメッセージタイプがＤＵに送信され、ＤＵはセルレベルメッセージのスケジューリング情報を知り得る。メッセージタイプとスケジューリング情報との対応は、ＣＵによってＤＵに対して構成されてよく、または通信標準で合意されてよい。
【０１１２】
第２の方式および第２の方式の変形例では、セルレベルメッセージのスケジューリング情報が通信標準で規定されない場合、端末は、どのようにセルレベルメッセージを受信するかを知ることができない。したがって、ネットワーク側がスケジューリング情報を端末に通知する必要がある。例では、スケジューリング情報は、ＳＩＢ１メッセージまたは最小ＳＩメッセージで搬送されて端末に送信され得る。端末は、ＳＩＢメッセージまたは最小ＳＩメッセージのスケジューリング情報を前もって知るので、端末は、正しくスケジューリング情報を受信して後続のセルレベルメッセージを受信することができる。
【０１１３】
上述されたように、スケジューリング情報は、主にメッセージを送信する機会を示すために使用される。たとえば、スケジューリング情報は、スケジューリング期間またはスケジューリングウィンドウを含み得る。任意選択で、スケジューリング情報は、有効性情報をさらに含み得る。スケジューリング期間およびスケジューリングウィンドウ情報は、セルレベルメッセージが読み取られるべきサブフレームを決定するために使用される。有効性情報の変更は、システムメッセージの変更を表す。スケジューリングウィンドウおよびスケジューリング期間は、システムメッセージをスケジューリングウィンドウ内で読み取るようにＵＥを制限し、それにより、ＵＥの電力消費を低減し得る。ＣＵが最新のセルレベルメッセージをＤＵに送信したとき、ＤＵは、セルレベルメッセージを受信し、セルレベルメッセージが変わることを認識する。この場合、ＣＵは、セルレベルメッセージを最新のセルレベルメッセージに直接的に置き換え、スケジューリング情報は、有効性情報を含まなくてよい。また、スケジューリング情報が有効性情報を含む場合、ＤＵは、有効性情報を受信し、その有効性情報がローカルに保存された有効性情報と異なることを見出したとき、ＤＵは、セルレベルメッセージが変わることを認識し得る。この場合、ＤＵは、ＣＵにより送信された有効性情報に基づいてセルレベルメッセージを更新する。また、セルレベルメッセージが変わるとき、ＣＵは、ページングメッセージを使用して、セルレベルメッセージが変わることをＵＥに通知し得る。
【０１１４】
まとめると、本出願のこの実施形態は、
ＣＵによって、第１のメッセージおよびインジケーション情報をＤＵに送信するステップと、
ＤＵによって、インジケーション情報に基づいて第１のメッセージを送信するステップと。
を含むメッセージ送信方法を提供する。
【０１１５】
第１の任意選択の設計では、インジケーション情報は、第１のメッセージの第１のメッセージタイプを含む。第１のメッセージタイプは、ＭＩＢメッセージ、ＳＩＢ１メッセージ、ＳＩメッセージ、ページングメッセージ、最小ＳＩメッセージ、または他ＳＩメッセージであり得る。第１のメッセージタイプは、第１のスケジューリング情報に関連付けられる。ＤＵによって、インジケーション情報に基づいて第１のメッセージを送信するステップは、ＤＵによって、第１のメッセージタイプおよび第１のスケジューリング情報に基づいて、第１のメッセージを送信するステップである。
【０１１６】
たとえば、メッセージタイプがＭＩＢメッセージである場合、ＭＩＢメッセージは４０ｍｓの期間に基づいてＰＢＣＨ上で送信される。メッセージタイプがＳＩＢ１メッセージである場合、ＳＩＢ１メッセージは８０ｍｓの期間に基づいてＰＤＳＣＨ上で送信される。
【０１１７】
第２の任意選択の設計では、インジケーション情報は、第１のメッセージの第１のスケジューリング情報、および第１のメッセージの第１のメッセージタイプを含む。第１のメッセージタイプは、ＳＩメッセージまたは他ＳＩメッセージである。ＤＵによって、インジケーション情報に基づいて第１のメッセージを送信するステップは、ＤＵによって、第１のメッセージタイプおよび第１のスケジューリング情報に基づいて、第１のメッセージを送信するステップである。この方法は、ＤＵによって、第２のメッセージ、および第２のメッセージの第２のメッセージタイプを、ＣＵから受信するステップであって、第２のメッセージタイプは、ＳＩＢ１メッセージまたは最小ＳＩメッセージであり、第２のメッセージは、第１のスケジューリング情報を含む、ステップと、ＤＵによって、第２のメッセージタイプ、および第２のメッセージタイプに関連付けられた第２のスケジューリング情報に基づいて、第２のメッセージを送信するステップとをさらに含む。第２のメッセージが送信されると、端末が第１のメッセージのスケジューリング情報を知って第１のメッセージを正しく受信することが可能になる。
【０１１８】
たとえば、ＣＵは、メッセージＡおよびメッセージタイプＡをＤＵに送信し得る。メッセージタイプＡは、最小ＳＩメッセージであり、メッセージＡは、メッセージＢのスケジューリング情報Ｂである。メッセージＡおよびメッセージタイプＡを受信した後、ＤＵは、最小ＳＩメッセージのスケジューリング情報、およびメッセージタイプＡに基づいて、メッセージＡを送信する。ＣＵは、メッセージＢおよびインジケーション情報ＢをＤＵに送信し得る。インジケーション情報Ｂは、メッセージＢのスケジューリング情報ＢおよびメッセージタイプＢを含む。メッセージＢおよびインジケーション情報Ｂを受信した後、ＤＵは、メッセージＢのスケジューリング情報ＢおよびメッセージタイプＢに基づいて、メッセージＢを送信する。端末およびネットワーク側は既に最小ＳＩのスケジューリング情報を知っているので、端末は、メッセージＡを正しく受信し、メッセージＡからスケジューリング情報Ｂを知り得る。端末は、スケジューリング情報Ｂを使用することによってメッセージＢを正しく受信することができる。
【０１１９】
任意選択で、ＳＩメッセージは、ＳＩＢ１メッセージ、ＳＩＢ２メッセージ、…、およびＳＩＢ２３メッセージのいずれか１つであり得る。様々なＳＩＢメッセージが様々なスケジューリング情報に対応し得る。
【０１２０】
前述の方法では、ＤＵは、メッセージタイプに基づいて対応するチャネルを見つけ出して対応するメッセージを送信する。たとえば、メッセージは、第１のメッセージタイプに基づいてブロードキャストチャネル上で送信され得る。
【０１２１】
任意選択で、ＣＵとＤＵの間の対話は、トランスポート層プロトコル、すなわち、ストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、略してＳＣＴＰ）に従って行われ得る。ＳＣＴＰに従ってＣＵとＤＵの間で情報が交換される場合、信頼性が改善されることができる。具体的には、ＣＵは、ＳＣＴＰデータパケットのペイロードとして第１のメッセージを使用し、ＳＣＴＰデータパケットのプロトコルヘッダ内にインジケーション情報を追加し、第１のメッセージおよびインジケーション情報をＤＵに送信し得る。第２のメッセージの処理については、上記方式を参照されたい。
【０１２２】
任意選択で、ＤＵに複数のセルが対応する場合、インジケーション情報はセル識別子をさらに含み得る。セル識別子を受信した後、ＤＵは対応するセルにメッセージを送信し得る。
【０１２３】
任意選択で、ＤＵが様々なネットワーク標準をサポートしている場合、たとえば、ＤＵが２Ｇ、３Ｇ、および４Ｇをサポートできる場合、ネットワーク標準インジケーション情報がインジケーション情報に含まれてもよい。ネットワーク標準インジケーション情報は、メッセージを送信するためにどのアクセス技術が使用されるべきかを示すために使用される。ネットワーク標準情報を受信した後、ＤＵは、対応するネットワーク標準を使用してメッセージを送信し得る。
【０１２４】
任意選択で、ＣＵとＤＵの間の情報交換のために、ＧＰＲＳトンネリングプロトコル−ユーザプレーン（ＧＰＲＳ  Ｔｕｎｎｅｌｉｎｇ  Ｐｒｏｔｏｃｏｌ−Ｕｓｅｒ  Ｐｌａｎｅ、略してＧＴＰ−Ｕ）またはプロトコルカプセル化（Ｐｒｏｔｏｃｏｌ  Ｏｂｌｉｖｉｏｕｓ  Ｅｎｃａｐｓｕｌａｔｉｏｎ、ＰｏＥ）方式がメッセージをＤＵに送信するために使用され得る。
【０１２５】
例１：ＧＴＰ−Ｕトンネルは、ＣＵとＤＵの間のメッセージタイプごとに確立され得る。具体的には、対応（マッピングまたは関連付け）関係がメッセージタイプとトンネルの間で確立される。トンネルを介してＤＵに送信されたメッセージは、トンネルに対応するメッセージタイプを有するとみなされ得る。具体的には、ＧＴＰ−Ｕデータパケットを受信した後、ＤＵは、ＧＴＰ−Ｕデータパケットで搬送されたトンネルの識別子（たとえば、エンドポイント識別子、ここで、エンドポイント識別子はＣＵ側のエンドポイント識別子またはＤＵ側のエンドポイント識別子であってよく、エンドポイント識別子はトンネルを識別し得る）に基づいて、対応するメッセージタイプを知り得る。ＧＴＰ−Ｕは、以下では略してＧＴＰと呼ばれる。
【０１２６】
任意選択で、トンネルのセットアップ中に、メッセージタイプに対応するスケジューリング情報、セル識別子、またはネットワーク標準情報が、ＤＵに送信されてもよい。ＣＵにより送信されたメッセージを、トンネルを介して受信した後、ＤＵは、トンネルに対応するメッセージタイプ、スケジューリング情報、セル識別子、またはネットワーク標準インジケーション情報などを見つけて、トンネルを介して転送されたメッセージを正しく送信する。
【０１２７】
任意選択の実装において、ＣＵおよびＤＵがトンネルを確立したとき、ＣＵは、メッセージタイプをＤＵに送信してよく、そうして、メッセージタイプとトンネルの間の対応関係を確立することができる。（１）スケジューリング情報が通信標準で規定される場合、トンネルのセットアップ中、メッセージタイプに対応するスケジューリング情報がＤＵに送信されなくてよい。（２）スケジューリング情報がＣＵによりＤＵに送信される必要がある場合、トンネルのセットアップ中、メッセージタイプに対応するスケジューリング情報がＤＵに送信される。（３）スケジューリング情報がＣＵによりＤＵに送信される必要がある場合、スケジューリング情報は、メッセージが後続してＤＵに送信されるとき、ＤＵに送信される。たとえば、ＣＵによりＤＵに送信されたＧＴＰデータパケットのペイロードが、送信されるべきメッセージを搬送するとき、ＧＴＰデータパケットのパケットヘッダは、メッセージタイプに対応するスケジューリング情報を搬送する。
【０１２８】
任意選択で、上記のケース（１）、（２）または（３）において、セル識別子またはネットワーク標準情報がさらに必要とされる場合、セル識別子またはネットワーク標準情報は、トンネルのセットアップ中にＤＵに送信され得る。この場合、メッセージが後続してＤＵに送信されるとき、セル識別子またはネットワーク標準情報はもはや送信される必要がなく、ＤＵは、トンネルエンドポイント識別子を使用することによって、必要とされる情報を取得し得る。任意選択で、ケース（１）、（２）または（３）において、セル識別子またはネットワーク標準情報がさらに必要とされる場合、メッセージがＤＵに送信されるときに、セル識別子またはネットワーク標準情報がＤＵに送信され得る。たとえば、ＣＵが、送信されるべきメッセージを、ＤＵに送信されるＧＴＰデータパケットのペイロードに追加する。ＧＴＰデータパケットのパケットヘッダは、セル識別子またはネットワーク標準情報を搬送する。
【０１２９】
任意選択で、ペイロードタイプ（ｐａｙｌｏａｄ  ｔｙｐｅ）が、ＧＴＰパケットヘッダで様々な情報を搬送するために使用され得る。たとえば、ＧＴＰパケットヘッダは、１つまたは複数のペイロードタイプフィールドを含む。１つのペイロードタイプフィールドの異なる値は異なるメッセージタイプを表す。別のペイロードタイプフィールドの異なる値は異なるセル識別子を表す。さらに別のペイロードタイプフィールドの異なる値は異なるネットワーク標準を表す。
【０１３０】
任意選択で、第２の任意選択の設計では、トリガ条件が、第１のメッセージの送信をトリガするために設定され得る。たとえば、第２の任意選択の設計では、この方法は、ＤＵによって、１つまたは複数の端末から第１の要求メッセージを受信するステップであって、第１の要求メッセージは、第１のメッセージタイプを含む、ステップをさらに含み得る。第１の要求メッセージを受信した後、ＤＵは、端末が第１のメッセージを要求していることを認識し得る。たとえば、端末は、ＳＩＢ２メッセージを要求する、ＳＩＢ３メッセージを要求する、または他ＳＩ２メッセージを要求する。
【０１３１】
ＤＵが第１のメッセージを端末に送信するトリガ条件は、端末からの要求の受信であることが認識され得る。ＤＵは、端末からの要求に基づいて第１のメッセージを端末に送信し得る。第１のメッセージがＤＵ上に存在しない、または第１のメッセージが既に無効である、またはＤＵがＣＵから第１のメッセージを毎回取得する必要がある、またはＤＵに設定された条件が満たされる場合、ＤＵは、第１のメッセージをＣＵから取得するための要求をし得る。たとえば、ＤＵは、第２の要求メッセージをＣＵに送信し、第２の要求メッセージは、第１のメッセージタイプを含む。第２の要求メッセージを受信した後、ＣＵは、第２の要求で搬送されたメッセージタイプに基づいて、第１のメッセージがＤＵに送信される必要があることを認識する。
【０１３２】
任意選択で、第２の要求は、ＤＵにより推奨され第１のメッセージに対応するスケジューリング情報をさらに搬送してよく、スケジューリング情報は、ＣＵによって参照のために使用される。ＣＵがスケジューリング情報を使用するのに合意した場合、第１の要求メッセージがＤＵに送信されるとき、推奨されたスケジューリング情報を使用することにＣＵが合意したことをＤＵに通知するために、インジケーション情報のみが送信されればよく、スケジューリング情報は、ＤＵに繰り返し送信される必要はない。
【０１３３】
任意選択で、１つの閾値がＤＵ上に設定され得る。第１のメッセージを端末が要求する回数の量が閾値を満たすとき、ＤＵは、第１のメッセージを端末に送信し、またはＣＵに第１のメッセージをＤＵに送信するように要求して、ＤＵが第１のメッセージを送信することを可能にし得る。
【０１３４】
第２の任意選択の設計は、ＬＴＥシステムにおけるＳＩメッセージ、またはＮＲシステムにおける他ＳＩメッセージに適用され得る。
【０１３５】
現在、ＮＲシステムで論じられるセルレベルメッセージは、最小システム情報（ｍｉｎｉｍｕｍ  Ｓｙｓｔｅｍ  Ｉｎｆｏｒｍａｔｉｏｎ、最小ＳＩ）および他システム情報（ｏｔｈｅｒ  ＳＩ）（オンデマンドＳＩとも呼ばれる）を含む。最小ＳＩのスケジューリング情報は通信標準で規定されてよく、他ＳＩのスケジューリング情報はネットワーク側によって端末に通知されてよい。たとえば、他ＳＩのスケジューリング情報は最小ＳＩで搬送される。
【０１３６】
接続された状態のＵＥの場合、ＵＥは、ＲＲＣメッセージを送信することによって他ＳＩを要求する。基地局は、ＲＲＣメッセージを使用することによって他ＳＩをＵＥに直接送信し、または基地局は、ブロードキャスト方式で他ＳＩを直接ＵＥに送信し得る。特に、ＵＥがアイドル状態または第３の状態である場合、ＵＥは、ランダム−アクセスチャネル（Ｒａｎｄｏｍ−ａｃｃｅｓｓ  Ｃｈａｎｎｅｌ、ＲＡＣＨ）ｍｓｇ１もしくはｍｓｇ３を使用することによって、他ＳＩを要求してよく、基地局は、ＲＡＣＨ  ｍｓｇ２もしくはｍｓｇ４を使用することによって、ＵＥにより要求された他ＳＩをＵＥに直接送信してよく、またはブロードキャスト方式で他ＳＩをＵＥに直接送信してよい。
【０１３７】
最小ＳＩおよび他ＳＩをＤＵに送信するとき、ＣＵは、最小ＳＩおよび他ＳＩをＤＵに直接送信してよく、または予め設定された閾値をＤＵに送信してよい。ＵＥにより送信されＤＵに受信された他ＳＩを要求するためのメッセージの量が、予め設定された閾値を超えた後、ＤＵは、インジケーションメッセージをＣＵに送信する。インジケーションメッセージは、他ＳＩを送信するようＣＵに命令するために使用される通知メッセージ（たとえば、通知メッセージは、他ＳＩのＳＩＢタイプを含み、たとえば、ＤＵは、ＳＩＢ２およびＳＩＢ５を送信するようＣＵに要求する）を含むだけでなく、ＤＵにより推奨された他ＳＩのスケジューリング情報も含む。たとえば、ＤＵによりＣＵに送信される通知メッセージは、「ＳＩＢ２＋期間＋ＳＩウィンドウ」および「ＳＩＢ５＋期間＋ＳＩウィンドウ」である。加えて、ＤＵはさらに、ｍｓｇ２／ｍｓｇ４を使用することによって通知メッセージをＵＥに送信して、他ＳＩを取得するためにブロードキャストをリッスンするようＵＥに命令し得る。ＣＵがインジケーションメッセージを受信した後、他ＳＩのスケジューリング情報がＵＥに通知される必要があるため、ＣＵは、更新された最小ＳＩをＤＵに送信する。任意選択で、ＣＵが、ＤＵにより推奨された他ＳＩのスケジューリング情報を受け入れた場合、ＣＵは、他ＳＩのスケジューリング情報をＤＵにもはや送信しない。ＣＵが、ＤＵにより推奨された他ＳＩのスケジューリング情報を受け入れない場合、ＣＵは、ＣＵにより決定された他ＳＩのＳＩＢタイプおよび対応するスケジューリング情報を、ＤＵに送信する必要がさらにある。任意選択で、ＣＵが、初めて他ＳＩをＤＵに送信するとき、または他ＳＩが変更されたとき、ＣＵは、変更された他ＳＩをＤＵに送信する必要がさらにある。
【０１３８】
ＵＥにより送信されＤＵに受信された要求メッセージの量が、予め設定された閾値を超えるとき、以下のケースが含まれ得る。ＵＥにより送信されＤＵに受信されたＲＲＣメッセージをブロードキャストするよう要求するための要求メッセージの総量が、第１の予め設定された閾値を超える、予め設定された時間期間内に受信された要求メッセージの総量が、第２の予め設定された閾値を超える、または要求メッセージを受信する頻度が、第３の予め設定された閾値を超える。
【０１３９】
ＣＵは、前述の制御プレーン方式または前述のユーザプレーン方式で、更新された最小ＳＩ、他ＳＩのＳＩＢタイプおよびスケジューリング情報、ならびに他ＳＩメッセージを、ＤＵに送信し得ることに留意されたい。この実施形態において特定の送信方式は本明細書で限定されない。
【０１４０】
この実施形態で提供されたメッセージ送信方法では、スケジューリング情報は、ＣＵによりＤＵに送信されたメッセージをＤＵが正しく送信することを可能にするように、ＤＵに示される。さらに、スケジューリング情報とメッセージタイプとの間の対応が前もって確立され、それにより、ＣＵとＤＵの間の対話の負担を軽減する。
【０１４１】
ユーザレベルメッセージが例を使用して以下に説明される。
【０１４２】
たとえば、ユーザレベルメッセージは、ＳＲＢメッセージであり得る。ＳＲＢメッセージは、シグナリング無線ベアラ（ｓｉｇｎａｌｉｎｇ  ｒａｄｉｏ  ｂｅａｒｅｒ、略してＳＲＢ）０（たとえば、ＲＲＣ接続セットアップ要求、ＲＲＣ接続セットアップメッセージ、またはＲＲＣ接続セットアップ完了メッセージ）、ＳＲＢ１（たとえば、ＲＲＣ再構成メッセージまたはＲＲＣ再構成完了メッセージ）、およびＳＲＢ２（セキュリティに関係付けられたＲＲＣメッセージ）を含み得る。透過モード（ｔｒａｎｓｐａｒｅｎｔ  ｍｏｄｅ、ＴＭ）がＳＲＢ０のために現在のところ使用され、対応するＰＤＣＰ／ＲＬＣエンティティが存在しない。例では、ＰＤＣＰ／ＲＬＣエンティティは、ＲＲＣ接続が確立された後、基地局のＲＲＣメッセージを使用することによって構成される。したがって、ＲＲＣ接続が確立される前のＳＲＢ０メッセージは、対応するＰＤＣＰ／ＲＬＣエンティティを有しない。ＳＲＢ１およびＳＲＢ２は各々、対応するＰＤＣＰおよびＲＬＣエンティティを有する。例では、ＲＲＣ接続が確立された後、基地局は、ＲＲＣメッセージを使用することによって、ＳＲＢ１に対応するＰＤＣＰエンティティ／ＲＬＣエンティティを構成する。セキュリティ認証手順の後、基地局は、ＲＲＣメッセージを使用することによって、ＳＲＢ２に対応するＰＤＣＰエンティティ／ＲＬＣエンティティをさらに構成する。本明細書では、ＳＲＢ０、ＳＲＢ１、およびＳＲＢ２は、異なるメッセージタイプとみなされてよい。時として、ＳＲＢ０、ＳＲＢ１、およびＳＲＢ２は、ＳＲＢ識別子情報と呼ばれることがある。ＳＲＢ１またはＳＲＢ２に関して、ＤＵは、ＳＲＢのメッセージタイプ、および端末デバイス識別子情報に基づいて、対応するＰＤＣＰ／ＲＬＣエンティティ（現在のＬＴＥプロトコルでは、ＰＤＣＰ／ＲＬＣエンティティは、各ＵＥの各ＳＲＢ／ＤＲＢに対応する）を見つけ出し得る。ＳＲＢ１またはＳＲＢ２は、ＰＤＣＰ／ＲＬＣエンティティによって処理され、次いでＭＡＣ／ＰＨＹ層内に送信され、最終的に対応する端末に送信される。ＳＲＢ０は、ＭＡＣ／ＰＨＹ層内に直接送信され、ＰＤＣＰエンティティ／ＲＬＣエンティティにより処理されることなく、対応する端末に最終的に送信される。例では、ＤＵは、ＳＲＢ識別子情報すなわちＳＲＢ０に基づいて、ＳＲＢ０を処理のためにＭＡＣ／ＰＨＹ層に直接送信し、ＳＲＢ０は、エアインターフェースを介して、端末識別子情報に対応する端末に最終的に送信される。例では、ＤＵは、ＳＲＢ識別子情報すなわちＳＲＢ０に基づいて、ＳＲＢ０を処理のためにＭＡＣ／ＰＨＹ層に直接送信する。ＳＲＢ０は、エアインターフェースを介して、端末識別子情報に対応する端末に最終的に送信される。
【０１４３】
本出願では、ユーザレベルメッセージは以下の方式で送信され得る。第１の任意選択の設計では、ＣＵ−ＤＵ制御プレーンプロトコルがメッセージを転送するために使用され得る。例では、ＣＵ−ＤＵインターフェース制御プレーンプロトコルはユーザレベルメッセージを転送するために使用され得る。
【０１４４】
この設計では、本出願の実施形態で提供されるメッセージ送信方法は、
ＣＵによって、第１のメッセージおよびインジケーション情報をＤＵに送信するステップを含み、
任意選択で、インジケーション情報は、第１のメッセージの第１のメッセージタイプ、および端末識別子を含み、第１のメッセージタイプは、ＳＲＢ０メッセージ、ＳＲＢ１メッセージ、ＳＲＢ２メッセージ、ＳＩメッセージ、または他ＳＩメッセージである。この場合、第１のメッセージタイプは、ＳＲＢ識別子またはＳＲＢ識別子情報と呼ばれることがある。
【０１４５】
さらに、ＤＵによって、第１のメッセージタイプおよび端末識別子に基づいて、第１のメッセージを送信するステップを含む。
【０１４６】
任意選択で、第１のメッセージタイプがＳＲＢ０である場合、ＤＵは、端末識別子およびＳＲＢ０に基づいて、端末に分散されＳＲＢ０に対応する物理リソース上で、第１のメッセージを送信する。
【０１４７】
任意選択で、第１のメッセージタイプがＳＲＢ１またはＳＲＢ２である場合、端末識別子に対応するＰＤＣＰ／ＲＬＣエンティティ、およびＳＲＢタイプを見つけ出し、第１のメッセージを対応する処理のために対応するＰＤＣＰ／ＲＬＣエンティティに送信した後、ＤＵは、端末に分散されＳＲＢ１またはＳＲＢ２に対応する物理リソース上で、第１のメッセージを送信し得る。
【０１４８】
任意選択で、第１のメッセージタイプがＳＩメッセージまたは他ＳＩメッセージである場合、ＤＵは、ＳＲＢ０メッセージ、ＳＲＢ１メッセージ、またはＳＲＢ２メッセージとしてＳＩメッセージまたは他ＳＩメッセージを処理し得る。
【０１４９】
実装において、ＳＣＴＰプロトコルは、ＣＵとＤＵの間の対話のために使用され得る。ＣＵは、第１のメッセージをＳＣＴＰデータパケットのペイロードに追加し得る。ＳＣＴＰデータパケットのパケットヘッダは、インジケーション情報および端末識別子を搬送して、第１のメッセージ、インジケーション情報、および端末識別子をＤＵに送信する。
【０１５０】
任意選択で、インジケーション情報は、セル識別子またはネットワーク標準をさらに含み得る。たとえば、ＤＵによって、インジケーション情報に基づいて第１のメッセージを送信するステップは、第１のメッセージタイプおよび端末識別子に基づいて、セル識別子に対応するセルにおいて第１のメッセージを送信するステップであってよく、またはＤＵによって、インジケーション情報に基づいて第１のメッセージを送信するステップは、ＤＵによって、第１のメッセージタイプおよび端末識別子に基づいて、およびネットワーク標準に対応するワイヤレス技術を使用することによって、第１のメッセージを送信するステップであってよい。
【０１５１】
第２の任意選択の設計では、ＣＵとＤＵの間のユーザプレーントンネルがメッセージを転送するために使用され得る。関係付けられた内容については、ＧＴＰ−Ｕがセルレベルメッセージを転送するために使用される前述の関係付けられた内容を参照されたい。
【０１５２】
第１の任意選択の実装では、１つのユーザプレーントンネル、たとえば、ＧＴＰ−Ｕトンネルが、ＣＵとＤＵの間の各端末の各ＳＲＢについて確立され得る。
【０１５３】
例１：ＤＵは、トンネルセットアップ要求をＣＵに送信し、セットアップ要求は、第１のメッセージの第１のメッセージタイプ、および端末識別子を含む。
【０１５４】
例２：ＣＵは、トンネルセットアップ要求をＤＵに送信し、セットアップ要求は、第１のメッセージの第１のメッセージタイプ、および端末識別子を含む。
【０１５５】
上記の２つの例を使用することによって、対応関係が、トンネルと第１のメッセージタイプおよび端末識別子の各々との間に確立され得る。言い換えれば、対応関係は、トンネルエンドポイント識別子と第１のメッセージタイプおよび端末識別子の各々との間に確立され得る。ＤＵは、トンネルを介して受信されたメッセージから、対応するメッセージタイプおよび端末識別子を知り得る。トンネルエンドポイント識別子は、ＣＵ側のトンネルエンドポイント識別子であってよく、またはＤＵ側のトンネルエンドポイント識別子であってよい。
【０１５６】
実装において、本出願の実施形態で提供されるメッセージ送信方法は、
ＣＵによって、インジケーション情報および第１のメッセージをＤＵに送信するステップであって、インジケーション情報は、トンネルエンドポイント識別子である、ステップと、
ＤＵによって、トンネルに対応する第１のメッセージタイプおよび端末識別子に基づいて、第１のメッセージを送信するステップと
を含む。
【０１５７】
任意選択で、ＣＵによりＤＵに送信されるＧＴＰデータパケットのペイロード部分は、第１のメッセージを搬送してよく、ＧＴＰデータパケットのパケットヘッダは、インジケーション情報、たとえば、トンネルエンドポイント識別子を搬送してよい。
【０１５８】
任意選択で、インジケーション情報は、セル識別子またはネットワーク標準情報をさらに含み、したがって、ＤＵは、対応するセルにおいて第１のメッセージを送信し、または対応するネットワーク技術を使用することによって第１のメッセージを送信することができる。
【０１５９】
上記の解決策では、各端末の各ＳＲＢについてトンネルが確立され、ＣＵが、メッセージのメッセージタイプおよび端末識別子をＤＵに毎回送信する必要がなく、したがって、ＣＵとＤＵの間の対話のためのリソースが節約される。
【０１６０】
第２の任意選択の実装では、ＣＵとＤＵの間で各端末について１つのユーザプレーントンネルが確立される。
【０１６１】
例１：ＤＵはトンネルセットアップ要求をＣＵに送信し、セットアップ要求は端末識別子を含む。
【０１６２】
例２：ＣＵはトンネルセットアップ要求をＤＵに送信し、セットアップ要求は端末識別子を含む。
【０１６３】
上記の２つの例を使用することによって、トンネルと端末識別子との間の対応関係が確立され得る。言い換えれば、トンネルエンドポイント識別子と端末識別子との間の対応関係が確立され得る。ＤＵは、トンネルから受信されたメッセージから対応する端末識別子を知り得る。トンネルエンドポイント識別子は、ＣＵ側のトンネルエンドポイント識別子であってよく、またはＤＵ側のトンネルエンドポイント識別子であってよい。
【０１６４】
実装において、本出願の実施形態で提供されるメッセージ送信方法は、
ＣＵによって、インジケーション情報および第１のメッセージをＤＵに送信するステップであって、インジケーション情報は、トンネルエンドポイント識別子、および第１のメッセージの第１のメッセージタイプを含む、ステップと、
ＤＵによって、端末に対応する端末識別子および第１のメッセージタイプに基づいて、第１のメッセージを送信するステップと
を含む。
【０１６５】
任意選択で、ＣＵによりＤＵに送信されるＧＴＰデータパケットのペイロード部分は、第１のメッセージを搬送してよく、ＧＴＰデータパケットのパケットヘッダは、インジケーション情報、たとえば、トンネルエンドポイント識別子、および第１のメッセージの第１のメッセージタイプを搬送してよい。
【０１６６】
任意選択で、インジケーション情報は、セル識別子またはネットワーク標準情報をさらに含み、したがって、ＤＵは、対応するセルにおいて第１のメッセージを送信し、または対応するネットワーク技術を使用することによって第１のメッセージを送信することができる。
【０１６７】
上記の解決策では、各端末の各ＳＲＢについてトンネルが確立され、ＣＵが、メッセージに対応する端末識別子をＤＵに毎回送信する必要がなく、したがって、ＣＵとＤＵの間の対話のためのリソースが節約される。
【０１６８】
例では、ペイロードタイプ（ｐａｙｌｏａｄ  ｔｙｐｅ）は、ＧＴＰパケットヘッダで様々な情報を搬送するために使用され得る。たとえば、ＧＴＰパケットヘッダは、１つまたは複数のペイロードタイプフィールドを含む。１つのペイロードタイプフィールドの異なる値は異なるメッセージタイプを表す。別のペイロードタイプフィールドの異なる値は異なるセル識別子を表す。さらに別のペイロードタイプフィールドの異なる値は異なるネットワーク標準を表す。
【０１６９】
ユーザプレーントンネルが双方向であることは当業者には認識されよう。したがって、ＣＵが、各ＤＲＢまたはＳＲＢメッセージが送信されるトンネルエンドポイントをＤＵに通知するためにＣＵ側にトンネルエンドポイントを提供する必要があるだけでなく、各ＳＲＢまたはＤＲＢメッセージが送信されるトンネルエンドポイントをＣＵに通知するためにＤＵ側にトンネルエンドポイントを提供する必要がある。したがって、ＣＵとＤＵは、インジケーション情報とトンネルエンドポイントとの間のマッピング関係を知るためにメッセージを交換する。
【０１７０】
この実施形態で提供されたメッセージ送信方法では、ＣＵにより送信されたＳＲＢのメッセージタイプおよび端末デバイス識別子情報を受信した後、ＤＵは、ＳＲＢのメッセージタイプおよび端末デバイス識別子情報に基づいて、端末デバイス識別子情報に対応する端末デバイスにメッセージを送信し得る。
【０１７１】
図３は、本出願による無線リソース制御ＲＲＣメッセージ送信方法の実施形態２の概略フローチャートである。本出願のこの実施形態は、無線リソース制御ＲＲＣメッセージ送信方法を提供する。この方法は、無線リソース制御ＲＲＣメッセージ送信方法を行う任意の装置によって行われ得る。装置は、ソフトウェアおよび／またはハードウェアによって実装され得る。この実施形態では、装置はＤＵに組み込まれ得る。図３に示されるように、この実施形態の方法は以下のステップを含み得る。
【０１７２】
ステップ３０１：ＤＵは、ＣＵにより送信されたＲＲＣメッセージを、ユーザプレーントンネルを介して受信する。
【０１７３】
ステップ３０２：ＤＵは、ユーザプレーントンネルに対応する端末にＲＲＣメッセージを送信する。
【０１７４】
本出願において、ＳＣＴＰ制御プレーンプロトコルがＵＥ−レベルシグナリング伝送で使用され得る。ＣＵは、ＤＵに対してＳＲＢ識別子情報および端末デバイス識別子情報を指定する必要がある。この実施形態の別の任意選択の実装では、ユーザプレーンにおけるトランスポート層プロトコル、すなわち、ユーザデータプロトコル（Ｕｓｅｒ  Ｄａｔａ  Ｐｒｏｔｏｃｏｌ、略してＵＤＰ）およびＧＰＲＳトンネリングプロトコル−ユーザプレーン（ＧＰＲＳ  Ｔｕｎｎｅｌｉｎｇ  Ｐｒｏｔｏｃｏｌ−Ｕｓｅｒ  Ｐｌａｎｅ、略してＧＴＰ−Ｕ）に従って、シグナリングが伝送され得る。ＣＵは、ＧＴＰ−Ｕトンネルを介してＲＲＣメッセージをＤＵに送信し得る。ＧＴＰ−Ｕは、トンネルエンドポイント識別子（Ｔｕｎｎｅｌ  Ｅｎｄｐｏｉｎｔ  ＩＤ、略してＴＥＩＤ）を搬送する。したがって、ＣＵは、ＳＲＢ識別子情報および端末デバイス識別子情報をＤＵに追加的に示す必要はない。このようにして、ＤＵは、ＴＥＩＤに基づいてＲＲＣメッセージをＵＥに正しく転送することができる。
【０１７５】
本出願のこの実施形態で提供された無線リソース制御ＲＲＣメッセージ送信方法では、ＤＵは、ＣＵにより送信されたＲＲＣメッセージを、ユーザプレーントンネルを介して受信し、ＲＲＣメッセージを送信する。ＧＴＰ−ＵがＴＥＩＤを搬送するので、ＤＵは、ＴＥＩＤに基づいてＲＲＣメッセージを送信し得る。このようにして、ＤＵは、シグナリングを正しく転送し得る。
【０１７６】
任意選択で、ＤＵによって、ＣＵにより送信されたＲＲＣメッセージを受信するステップの前に、この方法は、ＤＵによって、ＣＵにより送信されたベアラセットアップ要求メッセージを受信するステップと、ＤＵによって、ベアラセットアップ要求メッセージに基づいてＤＵとＣＵの間のユーザプレーントンネルを確立するステップとをさらに含む。
【０１７７】
具体的には、ＣＵがＲＲＣメッセージをＤＵに送信する前に、ＣＵとＤＵの間のユーザプレーントンネルがまず確立される必要がある。特定の実装中に、様々なユーザプレーントンネルが様々なＳＲＢタイプに基づいて確立され得る。ユーザプレーントンネルが確立された後、ＣＵは、ユーザプレーントンネルを介してＲＲＣメッセージをＤＵに送信する。
【０１７８】
また、ユーザプレーントンネルのセットアップ中に、ＲＲＣメッセージがデータから区別される。特定の実装中に、ＣＵによりＤＵに送信されたベアラセットアップ要求メッセージはＴＥＩＤを含むので、ＤＵは、ＴＥＩＤを使用することによって、データからＲＲＣメッセージのＳＲＢタイプを区別することができる。ＳＲＢタイプは、たとえば、ＳＲＢ１およびＳＲＢ２であり得る。ＳＲＢタイプがデータから区別された後、シグナリングの優先度（priority）を確保するために様々な方式が使用される。データの優先度がサービス品質（Ｑｕａｌｉｔｙ  ｏｆ  Ｓｅｒｖｉｃｅ、略してＱｏＳ）パラメータを使用することによって確保されることを、当業者は理解し得る。この実施形態では、ＲＲＣメッセージの優先度が、次の方式、すなわち、差別化サービスコードポイント（Ｄｉｆｆｅｒｅｎｔｉａｔｅｄ  Ｓｅｒｖｉｃｅｓ  Ｃｏｄｅ  Ｐｏｉｎｔ、略してＤＳＣＰ）で定義された伝送優先度を再使用する、またはＤＳＣＰにおける未使用フィードの優先度を再定義することで定義され得る。図４は、ＤＳＣＰプレシデンスおよびＩＰプレシデンスのビットの概略図である。図４に示されるように、サービスタイプ（Ｔｙｐｅ  Ｏｆ  Ｓｅｒｖｉｃｅ、略してＴＯＳ）の最初の６ビットがＤＳＣＰとして定義され、最後の２ビットは予約されている。このようにして、ＤＳＣＰは６４レベルを定義し得る。現在のところ、２０ほどのレベルのみが使用されている。定義されていないフィールドが、ＲＲＣメッセージの伝送優先度を定義するために使用され得る。
【０１７９】
ＤＳＣＰ値は、２つの表現方式、すなわち、デジタル形式およびキーワード形式を有する。デジタル形式が使用されるとき、６ビットがＤＳＣＰに使用され、１０進数での区間は０から６３である。したがって、６４レベル（優先度）が定義され得る。たとえば、２進数のＤＳＣＰ値００００００は、１０進数のＤＳＣＰ値０に等しく、２進数のＤＳＣＰ値０１００１０は、１０進数のＤＳＣＰ値１８に等しい。また、キーワード形式のＤＳＣＰ値は、ホップ単位動作（Ｐｅｒ−Ｈｏｐ  Ｂｅｈａｖｉｏｒ、略してＰＨＢ）と呼ばれる。現在のところ、３つのタイプのＰＨＢ、すなわち、ベストエフォートサービス（Ｂｅｓｔ  Ｅｆｆｏｒｔ  Ｓｅｒｖｉｃｅ、略してＢＥサービス）、相対的優先転送（Ａｓｓｕｒｅｄ  Ｆｏｒｗａｒｄｉｎｇ、略してＡＦ）、および完全優先転送（Ｅｘｐｅｄｉｔｅｄ  ｆｏｒｗａｒｄｉｎｇ、略してＥＦ）が定義されている。ＤＳＣＰプレシデンスとＩＰプレシデンスの共存が整合性の問題を引き起こす。加えて、ＤＳＣＰは比較的低い可読性を有する。したがって、ＤＳＣＰはさらに分類される。合計４クラスのＤＳＣＰ、すなわち、クラスセレクタ（Ｃｌａｓｓ  Ｓｅｌｅｃｔｏｒ、略してＣＳ）ａａａ  ０００、ＥＦ  １０１  １１０、ＡＦ  ａａａ  ｂｂ０、およびデフォルト０００  ０００が存在する。また、ＣＳ６およびＣＳ７が、デフォルトでプロトコルパケットに使用され、これらのパケットの受信の失敗は、プロトコル中断を引き起こすものであり、これらのパケットは、ほとんどのベンダのハードウェアキューにおいて最も高い優先度を有するパケットである。ＥＦは、音声トラフィックを搬送するために使用され、なぜならば、音声は低遅延、低ジッタ、低パケット損失率を必要とし、音声パケットはプロトコルパケットに次いで重要であるためである。ＡＦ４は、音声のシグナリングトラフィックを搬送するために使用される。ＡＦ３は、インターネットプロトコルテレビ（Ｉｎｔｅｒｎｅｔ  Ｐｒｏｔｏｃｏｌ  Ｔｅｌｅｖｉｓｉｏｎ、略してＩＰＴＶ）のライブトラフィックを搬送するために使用され得る。生放送の高リアルタイム性能は、継続性および保証された高スループットを必要とする。ＡＦ２は、ビデオオンデマンド（Ｖｉｄｅｏ  ｏｎ  Ｄｅｍａｎｄ、略してＶＯＤ）のトラフィックを搬送するために使用され得る。ＶＯＤは、生放送に必要とされるほど高いリアルタイム性能を必要とせず、待ち時間またはバッファリングを許容する。ＡＦ１は、比較的重要でない専用線サービスを搬送し得る。専用線サービスと異なり、ＩＰＴＶおよび音声サービスは、事業者の主要なサービスであり、最上位の優先度が与えられる必要がある。
【０１８０】
方法実施形態のステップの全部または一部が、関係付けられたハードウェアに命令するプログラムによって実装され得ることを、当業者は理解し得る。プログラムは、コンピュータ可読記憶媒体に記憶され得る。プログラムを実行したとき、方法実施形態のステップが行われる。上記の記憶媒体は、ＲＯＭ、ＲＡＭ、磁気ディスク、または光ディスクなどのプログラムコードを記憶することができる任意の媒体を含む。
【０１８１】
図５は、本出願の実施形態による無線リソース制御ＲＲＣメッセージ送信装置の実施形態１の概略構造図である。送信装置は、独立したＤＵであってよく、またはＤＵに統合された装置であってよい。装置は、ソフトウェア、ハードウェア、またはソフトウェアとハードウェアの組み合わせによって実装され得る。図５に示されるように、送信装置は、
中央ノードＣＵにより送信された無線リソース制御ＲＲＣメッセージおよびインジケーション情報を受信するように構成された受信モジュール１１と、
インジケーション情報に基づいてＲＲＣメッセージを送信するように構成された送信モジュール１２と
を含む。
【０１８２】
任意選択で、対応して、受信モジュール１１は受信端デバイスにおける受信機であってよく、送信モジュール１２は受信端デバイスにおける送信機であってよい。
【０１８３】
本出願のこの実施形態で提供された無線リソース制御ＲＲＣメッセージ送信装置は、ＣＵにより送信されたＲＲＣメッセージおよびインジケーション情報を受信し、インジケーション情報に基づいてＲＲＣメッセージを送信する。ＲＲＣメッセージおよびインジケーション情報を受信した後、無線リソース制御ＲＲＣメッセージ送信装置は、インジケーション情報に基づいてＲＲＣメッセージを送信してよく、そうすることで、装置はシグナリングを正しく転送することが可能である。
【０１８４】
任意選択で、インジケーション情報は、メッセージタイプおよびセル識別子を含み、メッセージタイプは、ＲＲＣメッセージのメッセージタイプを示すために使用され、
送信モジュール１２は、セル識別子およびメッセージタイプに基づいて、セル識別子に対応するセルにおいてＲＲＣメッセージをブロードキャストするようにさらに構成される。
【０１８５】
任意選択で、インジケーション情報は、ネットワーク標準インジケーション情報をさらに含み、ネットワーク標準インジケーション情報は、ＲＲＣメッセージが送信される無線アクセスネットワークの標準タイプを示すために使用される。
【０１８６】
任意選択で、インジケーション情報は、シグナリング無線ベアラＳＲＢ識別子情報および端末デバイス識別子情報を含み、
送信モジュール１２は、ＳＲＢ識別子情報および端末デバイス識別子情報に基づいて、ＲＲＣメッセージを、端末デバイス識別子情報に対応する端末デバイスに送信するようにさらに構成される。
【０１８７】
本出願のこの実施形態で提供された無線リソース制御ＲＲＣメッセージ送信装置は、上記の方法実施形態を実施し得る。それらの実装原理および技術的効果は同様である。詳細は本明細書では再度説明されない。
【０１８８】
図６は、本出願の実施形態による無線リソース制御ＲＲＣメッセージ送信装置の実施形態２の概略構造図である。送信装置は、独立したＤＵであってよく、またはＤＵに統合された装置であってよい。装置は、ソフトウェア、ハードウェア、またはソフトウェアとハードウェアの組み合わせによって実装され得る。図６に示されるように、無線リソース制御ＲＲＣメッセージ送信装置は、
中央ノードＣＵにより送信された無線リソース制御ＲＲＣメッセージを、ユーザプレーントンネルを介して受信するように構成された受信モジュール２１と、
ユーザプレーントンネルに対応する端末にＲＲＣメッセージを送信するように構成された送信モジュール２２と
を含む。
【０１８９】
本出願のこの実施形態で提供された無線リソース制御ＲＲＣメッセージ送信装置では、ＤＵは、ＣＵにより送信されたＲＲＣメッセージを、ユーザプレーントンネルを介して受信し、ＲＲＣメッセージを送信する。ＧＴＰ−ＵがＴＥＩＤを搬送するので、ＤＵは、ＴＥＩＤに基づいてＲＲＣメッセージを送信し得る。このようにして、ＤＵは、シグナリングを正しく転送し得る。
【０１９０】
図７は、本出願の実施形態による無線リソース制御ＲＲＣメッセージ送信装置の実施形態３の概略構造図である。前述の実施形態に基づいて、図７に示されるように、装置は確立モジュール２３をさらに含み、
受信モジュール２１は、ＣＵにより送信されたベアラセットアップ要求メッセージを受信するようにさらに構成され、
確立モジュール２３は、ベアラセットアップ要求メッセージに基づいて、ＤＵとＣＵの間のユーザプレーントンネルを確立するように構成される。
【０１９１】
本出願のこの実施形態で提供された無線リソース制御ＲＲＣメッセージ送信装置は、前述の方法実施形態を実施し得る。それらの実装原理および技術的効果は同様である。詳細は本明細書では再度説明されない。
【０１９２】
図８は、本出願の実施形態によるＤＵの実施形態１の概略構造図である。図８に示されるように、ＤＵは、送信機２０、プロセッサ２１、メモリ２２、および少なくとも１つの通信バス２３を含み得る。通信バス２３は、構成要素間の通信および接続を実装するように構成される。メモリ２２は、高速ＲＡＭメモリ２２を含んでよく、不揮発性メモリＮＶＭ、たとえば少なくとも１つの磁気ディスクメモリ２２をさらに含んでよい。メモリ２２は、種々の処理機能を実装し、この実施形態の方法ステップを実装するために、種々のプログラムを記憶し得る。加えて、ＤＵは、受信機２４をさらに含み得る。この実施形態における受信機２４は、通信機能および情報受信機能を有する対応する入力インターフェースであってよく、またはＤＵ上の無線周波数モジュールもしくはベースバンドモジュールであってよい。この実施形態における送信機２０は、通信機能および情報送信機能を有する対応する出力インターフェースであってよく、またはＤＵ上の無線周波数モジュールもしくはベースバンドモジュールであってよい。任意選択で、送信機２０および受信機２４は、１つの通信インターフェースに統合されてよく、または２つの独立した通信インターフェースであってよい。
【０１９３】
この実施形態では、受信機２４は、中央ノードＣＵにより送信された無線リソース制御ＲＲＣメッセージおよびインジケーション情報を受信するように構成され、
送信機２０は、インジケーション情報に基づいてＲＲＣメッセージを送信するように構成される。
【０１９４】
任意選択で、インジケーション情報は、メッセージタイプおよびセル識別子を含み、メッセージタイプは、ＲＲＣメッセージのメッセージタイプを示すために使用され、
送信機２０は、セル識別子およびメッセージタイプに基づいて、セル識別子に対応するセルにおいてＲＲＣメッセージをブロードキャストするようにさらに構成される。
【０１９５】
任意選択で、インジケーション情報は、ネットワーク標準インジケーション情報をさらに含み、ネットワーク標準インジケーション情報は、ＲＲＣメッセージが送信される無線アクセスネットワークの標準タイプを示すために使用される。
【０１９６】
任意選択で、インジケーション情報は、シグナリング無線ベアラＳＲＢ識別子情報および端末デバイス識別子情報を含み、
送信機２０は、ＳＲＢ識別子情報および端末デバイス識別子情報に基づいて、端末デバイス識別子情報に対応する端末デバイスにＲＲＣメッセージを送信するようにさらに構成される。
【０１９７】
本出願のこの実施形態で提供されたＤＵは、前述の方法実施形態を実施し得る。それらの実装原理および技術的効果は同じである。詳細は本明細書では再度説明されない。
【０１９８】
図９は、本出願の実施形態によるＤＵの実施形態２の概略構造図である。図９に示されるように、ＤＵは、送信機３０、プロセッサ３１、メモリ３２、および少なくとも１つの通信バス３３を含み得る。通信バス３３は、構成要素間の通信および接続を実装するように構成される。メモリ３２は、高速ＲＡＭメモリ３２を含んでよく、不揮発性メモリＮＶＭ、たとえば少なくとも１つの磁気ディスクメモリ３２をさらに含んでよい。メモリ３２は、種々の処理機能を実装し、この実施形態の方法ステップを実装するために、種々のプログラムを記憶し得る。加えて、ＤＵは、受信機３４をさらに含み得る。この実施形態における受信機３４は、通信機能および情報受信機能を有する対応する入力インターフェースであってよく、またはＤＵ上の無線周波数モジュールもしくはベースバンドモジュールであってよい。この実施形態における送信機３０は、通信機能および情報送信機能を有する対応する出力インターフェースであってよく、またはＤＵ上の無線周波数モジュールもしくはベースバンドモジュールであってよい。任意選択で、送信機３０および受信機３４は、１つの通信インターフェースに統合されてよく、または２つの独立した通信インターフェースであってよい。
【０１９９】
この実施形態では、受信機３４は、中央ノードＣＵにより送信された無線リソース制御ＲＲＣメッセージを、ユーザプレーントンネルを介して受信するように構成され、
送信機３０は、ユーザプレーントンネルに対応する端末にＲＲＣメッセージを送信するように構成される。
【０２００】
任意選択で、受信機３４は、ＣＵにより送信されたベアラセットアップ要求メッセージを受信するようにさらに構成され、
プロセッサ３１は、ベアラセットアップ要求メッセージに基づいて、ＤＵとＣＵの間のユーザプレーントンネルを確立するように構成される。
【０２０１】
本出願のこの実施形態で提供されたＤＵは、前述の方法実施形態を実施し得る。それらの実装原理および技術的効果は同様である。詳細は本明細書では再度説明されない。
【０２０２】
本出願の実施形態は、ノードをさらに提供する。ノードは、たとえば、前述のメッセージ送信方法を実装するように構成される。任意選択で、ノードはＤＵであり得る。
【０２０３】
任意選択の設計において、ノードは、プロセッサ、トランシーバ、および通信回路を含む。プロセッサは、通信回路を使用することによって、中央ノードＣＵから第１のメッセージおよびインジケーション情報を受信し、インジケーション情報に基づいて第１のメッセージを送信するように構成される。
【０２０４】
別の任意選択の設計では、ノードは、プロセッサおよびメモリを含む。メモリは、たとえば前述のメッセージ送信方法を実装するためのプログラムを記憶するように構成される。プロセッサは、前述のプログラムを実行して前述のメッセージ送信方法などの方法を実装するように構成される。
【０２０５】
どのようにノードがメッセージを送信するかについては、たとえば前述のメッセージ送信方法の内容を参照されたい。
【０２０６】
第４の態様によれば、本出願の実施形態は、さらに別のノードを提供する。ノードは、たとえば、前述のメッセージ送信方法を実装するように構成される。任意選択で、ノードはＣＵであり得る。
【０２０７】
任意選択の設計において、ノードは、プロセッサおよび通信回路を含む。プロセッサは、第１のメッセージに関連付けられたインジケーション情報を取得するように構成される。インジケーション情報は、第１のメッセージを送信するために使用される。プロセッサは、通信回路を使用することによって、第１のメッセージおよびインジケーション情報を、分散されたノードＤＵに送信する。
【０２０８】
別の任意選択の設計では、ノードは、プロセッサおよびメモリを含む。メモリは、前述のメッセージ送信方法を実装するためのプログラムを記憶するように構成される。プロセッサは、前述のプログラムを実行して前述のメッセージ送信方法を実装するように構成される。
【０２０９】
どのようにノードがメッセージを送信するかについては、前述のメッセージ送信方法の内容を参照されたい。
【０２１０】
本出願の実施形態は、前述の２つのノードを含む通信システムをさらに提供する。
【０２１１】
本出願の実施形態は、コンピュータプログラム製品をさらに提供する。プログラム製品は、前述のメッセージ送信方法を実装するために使用されるプログラムを含む。
【０２１２】
本出願の実施形態は、コンピュータ可読記憶媒体をさらに提供する。媒体は、前述のプログラムを記憶する。
【０２１３】
本出願は、以下の実施形態をさらに提供する。以下の実施形態のシーケンス番号は必ずしも厳密に実行されないことに留意されたい。
【０２１４】
実施形態１：
分散されたノードＤＵによって、中央ノードＣＵから第１のメッセージおよびインジケーション情報を受信するステップと、
ＤＵによって、インジケーション情報に基づいて第１のメッセージを送信するステップと
を含むメッセージ送信方法。
【０２１５】
実施形態２：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のスケジューリング情報に関連付けられ、
ＤＵによって、インジケーション情報に基づいて第１のメッセージを送信するステップは、
ＤＵによって、第１のメッセージタイプおよび第１のスケジューリング情報に基づいて、第１のメッセージを送信するステップである実施形態１に記載の方法。
【０２１６】
実施形態３：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
ＤＵによって、インジケーション情報に基づいて第１のメッセージを送信するステップは、
ＤＵによって、第１のメッセージタイプおよび第１のスケジューリング情報に基づいて、第１のメッセージを送信するステップであり、
上記方法は、
ＤＵによって、ＣＵから、第２のメッセージ、および第２のメッセージの第２のメッセージタイプを受信するステップであって、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含む、ステップと、
ＤＵによって、第２のメッセージタイプ、および第２のメッセージタイプに関連付けられた第２のスケジューリング情報に基づいて、第２のメッセージを送信するステップと
をさらに含む実施形態１に記載の方法。
【０２１７】
実施形態４：
ＤＵによって、１つまたは複数の端末から第１の要求メッセージを受信するステップであって、第１の要求メッセージは、第１のメッセージタイプを含む、ステップと、
ＤＵによって、第２の要求メッセージをＣＵに送信するステップであって、第２の要求メッセージは、第１のメッセージタイプを含む、ステップと
をさらに含む実施形態３に記載の方法。
【０２１８】
実施形態５：
第１の要求メッセージの量は閾値条件を満たす実施形態４に記載の方法。
【０２１９】
実施形態６：
ＤＵによって、ＣＵから閾値条件を受信するステップをさらに含む実施形態５に記載の方法。
【０２２０】
実施形態７：
インジケーション情報は、セル識別子またはネットワーク標準をさらに含み、
ＤＵによって、第１のメッセージタイプおよび第１のスケジューリング情報に基づいて、第１のメッセージを送信するステップは、
ＤＵによって、第１のメッセージタイプおよび第１のスケジューリング情報に基づいて、セル識別子に対応するセルにおいて第１のメッセージを送信するステップ、または
ＤＵによって、第１のメッセージタイプおよび第１のスケジューリング情報に基づいて、およびネットワーク標準に対応するワイヤレス技術を使用することによって、第１のメッセージを送信するステップである実施形態２乃至６のいずれか一項に記載の方法。
【０２２１】
実施形態８：
第１のスケジューリング情報は、有効性情報、スケジューリング期間、またはスケジューリングウィンドウを含む実施形態２乃至７のいずれか一項に記載の方法。
【０２２２】
実施形態９：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージであり、
ＤＵによって、インジケーション情報に基づいて第１のメッセージを送信するステップは、
ＤＵによって、第１のメッセージタイプおよび端末識別子に基づいて、第１のメッセージを送信するステップである実施形態１に記載の方法。
【０２２３】
実施形態１０：
ＤＵによって、トンネルのセットアップ要求メッセージをＣＵに送信するステップであって、セットアップ要求メッセージは、第１のメッセージタイプの第１のメッセージ、および端末識別子を含む、ステップをさらに含み、
インジケーション情報は、トンネルの識別子を含み、
ＤＵによって、インジケーション情報に基づいて第１のメッセージを送信するステップは、
ＤＵによって、第１のメッセージタイプおよび端末識別子に基づいて、第１のメッセージを送信するステップである実施形態１に記載の方法。
【０２２４】
実施形態１１：
ＤＵによって、トンネルのセットアップ要求メッセージをＣＵに送信するステップであって、セットアップ要求メッセージは、端末識別子を含む、ステップをさらに含み、
インジケーション情報は、トンネルの識別子、および第１のメッセージの第１のメッセージタイプを含み、
ＤＵによって、インジケーション情報に基づいて第１のメッセージを送信するステップは、
ＤＵによって、第１のメッセージタイプおよび端末識別子に基づいて、第１のメッセージを送信するステップである実施形態１に記載の方法。
【０２２５】
実施形態１２：
インジケーション情報は、セル識別子またはネットワーク標準をさらに含み、
ＤＵによって、第１のメッセージタイプおよび端末識別子に基づいて、第１のメッセージを送信するステップは、
ＤＵによって、第１のメッセージタイプおよび端末識別子に基づいて、セル識別子に対応するセルにおいて第１のメッセージを送信するステップ、または
ＤＵによって、第１のメッセージタイプおよび端末識別子に基づいて、およびネットワーク標準に対応するワイヤレス技術を使用することによって、第１のメッセージを送信するステップである実施形態９乃至１１のいずれか一項に記載の方法。
【０２２６】
実施形態１３：
中央ノードＣＵによって、第１のメッセージに関連付けられたインジケーション情報を取得するステップであって、インジケーション情報は、第１のメッセージを送信するために使用される、ステップと、
ＣＵによって、第１のメッセージおよびインジケーション情報を、分散されたノードＤＵに送信するステップと
を含むメッセージ送信方法。
【０２２７】
実施形態１４：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のメッセージの第１のスケジューリング情報に関連付けられる実施形態１３に記載の方法。
【０２２８】
実施形態１５：
ＣＵによって、第１のスケジューリング情報をＤＵに送信するステップをさらに含む実施形態１４に記載の方法。
【０２２９】
実施形態１６：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
上記方法は、
ＣＵによって、第２のメッセージ、および第２のメッセージの第２のメッセージタイプを、ＤＵに送信するステップであって、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含む、ステップをさらに含む実施形態１４または１５に記載の方法。
【０２３０】
実施形態１７：
ＣＵによって、ＤＵから第２の要求メッセージを受信するステップであって、第２の要求メッセージは、第１のメッセージタイプを含む、ステップをさらに含む実施形態１６に記載の方法。
【０２３１】
実施形態１８：
ＣＵによって、第２の要求メッセージに関連付けられた閾値条件をＤＵに送信するステップをさらに含む実施形態１７に記載の方法。
【０２３２】
実施形態１９：
第１のスケジューリング情報は、有効性情報、スケジューリング情報、またはスケジューリングウィンドウを含む実施形態１４乃至１８のいずれか一項に記載の方法。
【０２３３】
実施形態２０：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージである実施形態１３に記載の方法。
【０２３４】
実施形態２１：
ＣＵによって、ＤＵからトンネルのセットアップ要求メッセージを受信するステップであって、セットアップ要求メッセージは、第１のメッセージの第１のメッセージタイプ、および端末識別子を含む、ステップをさらに含み、
インジケーション情報は、トンネルの識別子を含む実施形態１３に記載の方法。
【０２３５】
実施形態２２：
ＣＵによって、ＤＵからトンネルのセットアップ要求メッセージを受信するステップであって、セットアップ要求メッセージは、端末識別子を含む、ステップをさらに含み、
インジケーション情報は、トンネルの識別子、および第１のメッセージの第１のメッセージタイプを含む実施形態１３に記載の方法。
【０２３６】
実施形態２３：
インジケーション情報は、セル識別子またはネットワーク標準をさらに含む実施形態２０乃至２２のいずれか一項に記載の方法。
【０２３７】
実施形態２４：
プロセッサと、通信回路と、トランシーバとを含むノードであって、
プロセッサは、通信回路を使用することによって、中央ノードＣＵから第１のメッセージおよびインジケーション情報を受信し、インジケーション情報に基づいて第１のメッセージを送信するように構成される、ノード。
【０２３８】
実施形態２５：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のスケジューリング情報に関連付けられ、
プロセッサは、トランシーバを使用することによって、第１のメッセージタイプおよび第１のスケジューリング情報に基づいて、第１のメッセージを送信するように構成される実施形態２４に記載のノード。
【０２３９】
実施形態２６：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
プロセッサは、トランシーバを使用することによって、第１のメッセージタイプおよび第１のスケジューリング情報に基づいて、第１のメッセージを送信するように構成され、
プロセッサは、通信回路を使用することによって、第２のメッセージ、および第２のメッセージの第２のメッセージタイプを受信するようにさらに構成され、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含み、
プロセッサは、トランシーバを使用することによって、第２のメッセージタイプ、および第２のメッセージタイプに関連付けられた第２のスケジューリング情報に基づいて、第２のメッセージを送信するようにさらに構成される実施形態２４に記載のノード。
【０２４０】
実施形態２７：
プロセッサは、トランシーバを使用することによって、１つまたは複数の端末から第１の要求メッセージを受信するようにさらに構成され、第１の要求メッセージは、第１のメッセージタイプを含み、
プロセッサは、通信回路を使用することによって、第２の要求メッセージをＣＵに送信するようにさらに構成され、第２の要求メッセージは、第１のメッセージタイプを含む実施形態２６に記載のノード。
【０２４１】
実施形態２８：
第１の要求メッセージの量は閾値条件を満たす。実施形態２７に記載のノード。
【０２４２】
実施形態２９：
プロセッサは、通信回路を使用することによって、ＣＵから閾値条件を受信するようにさらに構成される実施形態２８に記載のノード。
【０２４３】
実施形態３０：
インジケーション情報は、セル識別子またはネットワーク標準をさらに含み、
プロセッサは、トランシーバを使用することによって、第１のメッセージタイプおよび第１のスケジューリング情報に基づいて、セル識別子に対応するセルにおいて第１のメッセージを送信し、または、トランシーバを使用することによって、第１のメッセージタイプおよび第１のスケジューリング情報に基づいて、およびネットワーク標準に対応するワイヤレス技術を使用することによって、第１のメッセージを送信するように構成される実施形態２５乃至２９のいずれか一項に記載のノード。
【０２４４】
実施形態３１：
第１のスケジューリング情報は、有効性情報、スケジューリング期間、またはスケジューリングウィンドウを含む実施形態２５乃至３０のいずれか一項に記載のノード。
【０２４５】
実施形態３２：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージであり、
プロセッサは、トランシーバ使用することによって、第１のメッセージタイプおよび端末識別子に基づいて、第１のメッセージを送信するように構成される実施形態２４に記載のノード。
【０２４６】
実施形態３３：
プロセッサは、通信回路を使用することによって、トンネルのセットアップ要求メッセージをＣＵに送信するようにさらに構成され、セットアップ要求メッセージは、第１のメッセージの第１のメッセージタイプ、および端末識別子を含み、
インジケーション情報は、トンネルの識別子を含み、
プロセッサは、トランシーバを使用することによって、第１のメッセージタイプおよび端末識別子に基づいて、第１のメッセージを送信するように構成される実施形態２４に記載のノード。
【０２４７】
実施形態３５：
インジケーション情報は、セル識別子またはネットワーク標準をさらに含み、
プロセッサは、トランシーバを使用することによって、第１のメッセージタイプおよび端末識別子に基づいて、セル識別子に対応するセルにおいて第１のメッセージを送信し、または、トランシーバを使用することによって、第１のメッセージタイプおよび端末識別子に基づいて、およびネットワーク標準に対応するワイヤレス技術を使用することによって、第１のメッセージを送信するように構成される実施形態３２乃至３４のいずれか一項に記載のノード。
【０２４８】
実施形態３６：
プロセッサと、通信回路とを含むノードであって、
プロセッサは、第１のメッセージに関連付けられたインジケーション情報を取得するように構成され、インジケーション情報は、第１のメッセージを送信するために使用され、
プロセッサは、通信回路を使用することによって、第１のメッセージおよびインジケーション情報を、分散されたノードＤＵに送信する、ノード。
【０２４９】
実施形態３７：
インジケーション情報は、第１のメッセージの第１のメッセージタイプを含み、第１のメッセージタイプは、マスタ情報ブロック（ＭＩＢ）メッセージ、システム情報ブロックタイプ１（ＳＩＢ１）メッセージ、ページング（ｐａｇｉｎｇ）メッセージ、最小システム情報（ｍｉｎｉｍｕｍ  ＳＩ）メッセージ、システム情報（ＳＩ）メッセージ、または他システム情報（ｏｔｈｅｒ−ＳＩ）メッセージであり、第１のメッセージタイプは、第１のメッセージの第１のスケジューリング情報に関連付けられる実施形態３６に記載のノード。
【０２５０】
実施形態３８：
プロセッサは、通信回路を使用することによって、第１のスケジューリング情報をＤＵに送信するようにさらに構成される実施形態３７に記載のノード。
【０２５１】
実施形態３９：
インジケーション情報は、第１のメッセージの第１のスケジューリング情報、および第１のメッセージの第１のメッセージタイプを含み、第１のメッセージタイプは、システム情報（ＳＩ）メッセージまたは他システム情報（ｏｔｈｅｒ−ＳＩ）メッセージであり、
プロセッサは、通信回路を使用することによって、第２のメッセージ、および第２のメッセージの第２のメッセージタイプを、ＤＵに送信するようにさらに構成され、第２のメッセージタイプは、システム情報ブロックタイプ１（ＳＩＢ１）メッセージまたは最小システム情報（ｍｉｎｉｍｕｍ  ＳＩ）メッセージであり、第２のメッセージは、第１のスケジューリング情報を含む実施形態３６または３７に記載のノード。
【０２５２】
実施形態４０：
プロセッサは、通信回路を使用することによって、ＤＵから第２の要求メッセージを受信するようにさらに構成され、第２の要求メッセージは、第１のメッセージタイプを含む実施形態３９に記載のノード。
【０２５３】
実施形態４１：
プロセッサは、通信回路を使用することによって、第２の要求メッセージに関連付けられた閾値条件をＤＵに送信するようにさらに構成される実施形態４０に記載のノード。
【０２５４】
実施形態４２：
第１のスケジューリング情報は、有効性情報、スケジューリング情報、またはスケジューリングウィンドウを含む実施形態３７乃至４１のいずれか一項に記載のノード。
【０２５５】
実施形態４３：
インジケーション情報は、第１のメッセージの第１のメッセージタイプ、および端末識別子を含み、第１のメッセージタイプは、シグナリング無線ベアラ１（ＳＲＢ１）メッセージ、シグナリング無線ベアラ２（ＳＲＢ２）メッセージ、システム情報（ＳＩ）メッセージ、または他システム情報（ｏｔｈｅｒ−ＳＩ）メッセージである実施形態３６に記載のノード。
【０２５６】
実施形態４４：
プロセッサは、通信回路を使用することによって、ＤＵからトンネルのセットアップ要求メッセージを受信するようにさらに構成され、セットアップ要求メッセージは、第１のメッセージの第１のメッセージタイプ、および端末識別子を含み、
インジケーション情報は、トンネルの識別子を含む実施形態３６に記載のノード。
【０２５７】
実施形態４５：
プロセッサは、通信回路を使用することによって、ＤＵからトンネルのセットアップ要求メッセージを受信するようにさらに構成され、セットアップ要求メッセージは、端末識別子を含み、
インジケーション情報は、トンネルの識別子、および第１のメッセージの第１のメッセージタイプを含む実施形態３６に記載のノード。
【０２５８】
実施形態４６：
インジケーション情報は、セル識別子またはネットワーク標準をさらに含む実施形態４３乃至４５のいずれか一項に記載のノード。
【０２５９】
本出願で提供されたいくつかの実施形態において、開示された装置および方法は他の方式で実施され得ることは理解されたい。たとえば、説明された装置実施形態は単に例である。たとえば、ユニット分割は、単に論理機能分割であり、実際の実装では他の分割であってよい。たとえば、複数のユニットまたは構成要素が他のシステムに組み合わされもしくは統合されてよく、またはいくつかの特徴が無視されてよくもしくは実施されなくてよい。さらに、表示されまたは論じられた相互結合または直接結合または通信接続は、いくつかのインターフェースを使用することによって実装され得る。装置またはユニット間の間接結合または通信接続は、電子的、機械的、または他の形態で実施され得る。
【０２６０】
別々の部分として説明されたユニットは、物理的に分離してよくもしくは分離しなくてよく、ユニットとして表示された部分は、物理的ユニットであってよくもしくは物理的ユニットでなくてよく、１つの位置に配置されてよく、または複数のネットワークユニット上に分散されてよい。ユニットの一部または全部は、実施形態の解決策の目的を達成するための実際の要件に基づいて選択され得る。
【０２６１】
さらに、本出願の実施形態における機能ユニットは、１つの処理ユニットに統合されてよく、またはユニットの各々が物理的に単体で存在してよく、または２つ以上のユニットが１つのユニットに統合される。統合されたユニットは、ハードウェアの形態で実装されてよく、またはソフトウェア機能ユニットに加えてハードウェアの形態で実装されてよい。
【０２６２】
前述の統合されたユニットがソフトウェア機能ユニットの形態で実装されたとき、統合されたユニットは、コンピュータ可読記憶媒体に記憶され得る。ソフトウェア機能ユニットは、記憶媒体に記憶され、本出願の実施形態で説明された方法のステップのいくつかを行うようにコンピュータデバイス（パーソナルコンピュータ、サーバ、もしくはネットワークデバイスなどであり得る）またはプロセッサに命令するためのいくつかの命令を含む。前述の記憶媒体は、プログラムコードを記憶できる任意の媒体、たとえば、ＵＳＢフラッシュドライブ、リムーバブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ−ａｃｃｅｓｓ  Ｍｅｍｏｒｙ、ＲＡＭ）、磁気ディスク、または光ディスクなどを含む。
【０２６３】
便利で簡単な説明を目的として、前述の機能モジュールの分割が例示のための例として使用されていることは、当業者によって明確に理解され得る。実際の適用では、前述の機能は、要件に応じて異なる機能モジュールに割り当てられ実装されることが可能であり、言い換えれば、装置の内部構成が異なる機能モジュールに分割されて、上述された機能の全部または一部を実装する。前述の装置の詳細な動作処理については、前述の方法実施形態における対応する処理に対して参照が行われてよく、詳細は本明細書では再度説明されない。
【０２６４】
本明細書における第１、第２、および種々の番号は、本出願の実施形態の範囲を限定するのではなく、単に説明を容易にするための区別のために使用されていることは、当業者には理解されるべきである。
【０２６５】
前述の処理のシーケンス番号が本出願の種々の実施形態における実行シーケンスを意味しないことは、当業者には理解し得る。処理の実行シーケンスは、処理の機能および内部論理に従って決定されるべきであり、本出願の実施形態の実装処理に対しいかなる限定としても解釈されるべきではない。
【０２６６】
前述の実施形態の全部または一部は、ソフトウェア、ハードウェア、ファームウェア、またはこれらの任意の組み合わせを使用することによって実装され得る。ソフトウェアが実施形態を実装するために使用されたとき、実施形態は、コンピュータプログラム製品の形態で完全にまたは部分的に実装され得る。コンピュータプログラム製品は、１つまたは複数のコンピュータ命令を含む。コンピュータプログラム命令がロードされコンピュータ上で実行されたとき、本出願の実施形態による手順または機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体に記憶されてよく、またはコンピュータ可読記憶媒体から別のコンピュータ可読記憶媒体に伝送されてよい。たとえば、コンピュータ命令は、有線（たとえば、同軸ケーブル、光ファイバ、もしくはデジタル加入者線（ＤＳＬ））またはワイヤレス（たとえば、赤外線、無線、およびマイクロ波）方式で、ウェブサイト、コンピュータ、サーバ、またはデータセンタから他のウェブサイト、コンピュータ、サーバ、またはデータセンタに伝送され得る。コンピュータ可読記憶媒体は、コンピュータによってアクセス可能な任意の使用可能媒体、または１つもしくは複数の使用可能媒体を統合するサーバまたはデータセンタなどのデータ記憶デバイスであり得る。使用可能媒体は、磁気媒体（たとえば、フロッピーディスク、ハードディスク、もしくは磁気テープ）、光媒体（たとえば、ＤＶＤ）、または半導体媒体（たとえば、ソリッドステートディスク（Solid State Disk：ＳＳＤ））などであり得る。
【国際調査報告】
2019533355.tif 000018
2019533355.tif 000019
2019533355.tif 000020
2019533355.tif 000021